(57)【要約】  アクセサリは、カメラボディに着脱可能に装着されるアクセサリであって、第１の伝送線路を用いてカメラボディと通信する第１通信部と、所定条件が成立すると、第１の伝送線路と、第１の伝送線路とは異なる第２の伝送線路とを用いてカメラボディと通信する第２通信部と、所定条件が成立すると、カメラボディとの通信を第１通信部による通信から第２通信部による通信に切り替える切替部と、を備える。
2013168742.tif 000002
【特許請求の範囲】
【請求項１】
カメラボディに着脱可能に装着されるアクセサリであって、
第１の伝送線路を用いて前記カメラボディと通信する第１通信部と、
所定条件が成立すると、前記第１の伝送線路と、前記第１の伝送線路とは異なる第２の伝送線路とを用いて前記カメラボディと通信する第２通信部と、
前記所定条件が成立すると、前記カメラボディとの通信を前記第１通信部による通信から前記第２通信部による通信に切り替える切替部と、
を備えるアクセサリ。
【請求項２】
請求項１に記載のアクセサリにおいて、
前記第２通信部は、前記第１通信部を含むアクセサリ。
【請求項３】
請求項１または２に記載のアクセサリにおいて、
前記第２通信部は、前記第１の伝送線路に出力された信号に相補的な反転信号を前記第２の伝送線路へ出力するアクセサリ。
【請求項４】
請求項１から３のいずれか一項に記載のアクセサリにおいて、
前記アクセサリが前記第２通信部を備えることを表す仕様情報を記憶する情報記憶部をさらに備え、
前記第１通信部は、前記仕様情報を前記カメラボディへ送信し、
前記所定条件には、前記第１通信部が前記仕様情報を送信したことが含まれるアクセサリ。
【請求項５】
請求項１から４のいずれか一項に記載のアクセサリにおいて、
前記アクセサリには、前記第２の伝送線路に電気的に接続する第２アクセサリが着脱可能に接続され、
前記第１通信部は、前記第２の伝送線路を用いて前記第２アクセサリとさらに通信するアクセサリ。
【請求項６】
カメラボディと前記カメラボディに着脱可能に装着される交換レンズとを有し、前記交換レンズと前記カメラボディとの間に第１の伝送線路と第２の伝送線路とを有するカメラシステムに用いられ、少なくとも前記交換レンズに着脱可能に装着されるアクセサリであって、
前記第１の伝送線路を用いて前記交換レンズと通信する通信部と、
前記交換レンズが前記第１伝送線路と前記第２伝送線路とを用いて前記カメラボディと通信を開始する際に、前記通信部による前記交換レンズとの通信を遮断する遮断部と、
を備えるアクセサリ。
【請求項７】
アクセサリが着脱可能に装着されるカメラボディであって、
第１の伝送線路を用いて前記アクセサリと通信する第１通信部と、
所定条件が成立すると、前記第１の伝送線路と、前記第１の伝送線路とは異なる第２の伝送線路とを用いて前記アクセサリと通信する第２通信部と、
前記所定条件が成立すると、前記アクセサリとの通信を前記第１通信部による通信から前記第２通信部による通信に切り替える切替部とを備えるカメラボディ。
【請求項８】
請求項７に記載のカメラボディにおいて、
前記第２通信部は、前記第１通信部を含むカメラボディ。
【請求項９】
請求項７または８に記載のカメラボディにおいて、
前記第２通信部は、前記第１の伝送線路に出力された信号に相補的な反転信号を前記第２の伝送線路へ出力するカメラボディ。
【請求項１０】
請求項７から９のいずれか一項に記載のカメラボディにおいて、
前記所定条件には、前記第１の伝送線路と前記第２の伝送線路とを用いて前記第２通信部と通信を行うアクセサリ側通信部を前記アクセサリが有していることに関する仕様情報を前記第１通信部が受信したことが含まれるカメラボディ。
【請求項１１】
第１ボディ接点と第２ボディ接点と第３ボディ接点と第４ボディ接点と第５ボディ接点と第６ボディ接点とを備えるカメラボディに着脱可能に装着されるアクセサリであって、
前記カメラボディに装着されているとき前記第１ボディ接点に接続される第１アクセサリ接点と、
前記カメラボディに装着されているとき前記第２ボディ接点に接続される第２アクセサリ接点と、
前記カメラボディに装着されているとき前記第３ボディ接点に接続される第３アクセサリ接点と、
前記カメラボディに装着されているとき前記第４ボディ接点に接続される第４アクセサリ接点と、
前記カメラボディに装着されているとき前記第５ボディ接点に接続される第５アクセサリ接点と、
前記カメラボディに装着されているとき前記第６ボディ接点に接続される第６アクセサリ接点と、
複数の第１伝送線路の各々を前記第１アクセサリ接点と前記第１ボディ接点との間、前記第２アクセサリ接点と前記第２ボディ接点との間、前記第３アクセサリ接点と前記第３ボディ接点との間にそれぞれ形成して、前記複数の第１伝送線路を用いて前記カメラボディと通信する第１通信部と、
所定条件が成立すると、複数の第２伝送線路の各々を前記第４アクセサリ接点と前記第４ボディ接点との間、前記第５アクセサリ接点と前記第５ボディ接点との間、前記第６アクセサリ接点と前記第６ボディ接点との間にそれぞれ形成して、前記複数の第１伝送線路と前記複数の第２伝送線路とを用いて前記カメラボディと通信する第２通信部と、
前記所定条件が成立すると、前記カメラボディとの通信を前記第１通信部による通信から前記第２通信部による通信に切り替える切替部と、
を備え、
前記第１通信部は、
前記第１アクセサリ接点と前記第１ボディ接点との間でリードライト信号を送受信し、
前記第２アクセサリ接点を介して前記第２ボディ接点から第１のクロックパルス信号を受信し、
前記リードライト信号が第１の真理値に対応するレベルの場合、前記第１のクロックパルス信号に同期した第１のデータ信号を前記第３アクセサリ接点を介して前記第３ボディ接点から受信し、
前記リードライト信号が前記第１の真理値とは異なる第２の真理値に対応するレベルの場合、前記第３アクセサリ接点を介して前記第３ボディ接点へ前記第１のデータ信号を送信し、
前記第２通信部は、
前記第１アクセサリ接点と前記第１ボディ接点との間で前記リードライト信号を送受信すると共に、前記リードライト信号に相補的な第１の反転信号を前記第４アクセサリ接点と前記第４ボディ接点との間で送受信し、
前記第２アクセサリ接点を介して前記第２ボディ接点から前記第１クロックパルス信号より周波数が高い第２のクロックパルス信号を受信すると共に、前記第２のクロックパルス信号に相補的な第２の反転信号を前記第５アクセサリ接点を介して前記第５ボディ接点から受信し、
前記リードライト信号が前記第１の真理値に対応するレベルの場合、前記第２のクロックパルス信号に同期した第２のデータ信号を前記第３アクセサリ接点を介して前記第３ボディ接点から受信すると共に、前記第２のデータ信号に相補的な第３の反転信号を前記第６アクセサリ接点を介して前記第６ボディ接点から受信し、
前記リードライト信号が前記第２の真理値に対応するレベルの場合、前記第３アクセサリ接点を介して前記第３ボディ接点へ前記第２のデータ信号を送信すると共に、前記第３の反転信号を前記第６アクセサリ接点を介して前記第６ボディ接点へ送信するアクセサリ。
【請求項１２】
請求項１１に記載のアクセサリにおいて、
前記第２通信部は、前記第１通信部を含むアクセサリ。
【請求項１３】
請求項１１または１２に記載のアクセサリにおいて、
前記アクセサリが前記第２通信部を備えることを表す仕様情報を記憶する情報記憶部をさらに備え、
前記第１通信部は、前記仕様情報を前記カメラボディへ送信し、
前記所定条件には、前記第１通信部が前記仕様情報を送信したことが含まれるアクセサリ。
【請求項１４】
請求項１１から１３のいずれか一項に記載のアクセサリにおいて、
前記アクセサリには、前記第２の伝送線路に電気的に接続する第２アクセサリが着脱可能に接続され、
前記第１通信部は、
前記アクセサリに前記第２アクセサリが装着されているとき、前記第４アクセサリ接点を介して前記第２アクセサリへ第３のクロックパルス信号を送信し、
前記アクセサリに前記第２アクセサリが装着されているとき、前記第５アクセサリ接点を介して前記第２アクセサリとの間で前記第３のクロックパルス信号に同期する第３のデータ信号を送受信するアクセサリ。
【請求項１５】
第１ボディ接点と第２ボディ接点と第３ボディ接点と第４ボディ接点と第５ボディ接点と第６ボディ接点とを備えるカメラボディと、前記カメラボディに着脱可能に装着される交換レンズとを有するカメラシステムに用いられ、少なくとも前記交換レンズに着脱可能に装着されるアクセサリであって、
前記交換レンズは、
前記交換レンズが前記カメラボディに装着されているとき前記第１ボディ接点に接続される第１レンズ接点と、
前記交換レンズが前記カメラボディに装着されているとき前記第２ボディ接点に接続される第２レンズ接点と、
前記交換レンズが前記カメラボディに装着されているとき前記第３ボディ接点に接続される第３レンズ接点と、
前記交換レンズが前記カメラボディに装着されているとき前記第４ボディ接点に接続される第４レンズ接点と、
前記交換レンズが前記カメラボディに装着されているとき前記第５ボディ接点に接続される第５レンズ接点と、
前記交換レンズが前記カメラボディに装着されているとき前記第６ボディ接点に接続される第６レンズ接点と、
複数の第１伝送線路の各々を前記第１レンズ接点と前記第１ボディ接点との間、前記第２レンズ接点と前記第２ボディ接点との間、前記第３レンズ接点と前記第３ボディ接点との間にそれぞれ形成して、前記複数の第１伝送線路を用いて前記カメラボディと通信する第１通信部と、
所定条件が成立すると、複数の第２伝送線路の各々を前記第４レンズ接点と前記第４ボディ接点との間、前記第５レンズ接点と前記第５ボディ接点との間、前記第６レンズ接点と前記第６ボディ接点との間にそれぞれ形成して、前記複数の第１伝送線路と前記複数の第２伝送線路とを用いて前記カメラボディと通信する第２通信部と、
を備え、
前記アクセサリは、
前記交換レンズに装着されているとき前記第５レンズ接点に接続される第１アクセサリ接点と、
前記交換レンズに装着されているとき前記第６レンズ接点に接続される第２アクセサリ接点と、
前記第１アクセサリ接点と前記第２アクセサリ接点とを用いて前記交換レンズと通信する通信部と、
前記交換レンズが前記第２通信部を用いて前記カメラボディと通信を開始する際に、前記通信部による前記交換レンズとの通信を遮断する遮断部と、
を備えるアクセサリ。
【請求項１６】
第１アクセサリ接点と第２アクセサリ接点と第３アクセサリ接点と第４アクセサリ接点と第５アクセサリ接点と第６アクセサリ接点とを備えるアクセサリに着脱可能に装着されるカメラボディであって、
前記アクセサリに装着されているとき前記第１アクセサリ接点に接続される第１ボディ接点と、
前記アクセサリに装着されているとき前記第２アクセサリ接点に接続される第２ボディ接点と、
前記アクセサリに装着されているとき前記第３アクセサリ接点に接続される第３ボディ接点と、
前記アクセサリに装着されているとき前記第４アクセサリ接点に接続される第４ボディ接点と、
前記アクセサリに装着されているとき前記第５アクセサリ接点に接続される第５ボディ接点と、
前記アクセサリに装着されているとき前記第６アクセサリ接点に接続される第６ボディ接点と、
複数の第１伝送線路の各々を前記第１アクセサリ接点と前記第１ボディ接点との間、前記第２アクセサリ接点と前記第２ボディ接点との間、前記第３アクセサリ接点と前記第３ボディ接点との間にそれぞれ形成して、前記複数の第１伝送線路を用いて前記アクセサリと通信する第１通信部と、
所定条件が成立すると、複数の第２伝送線路の各々を前記第４アクセサリ接点と前記第４ボディ接点との間、前記第５アクセサリ接点と前記第５ボディ接点との間、前記第６アクセサリ接点と前記第６ボディ接点との間にそれぞれ形成して、前記複数の第１伝送線路と前記複数の第２伝送線路とを用いて前記アクセサリと通信する第２通信部と、
前記所定条件が成立すると、前記カメラボディとの通信を前記第１通信部による通信から前記第２通信部による通信に切り替える切替部と、
を備え、
前記第１通信部は、
前記第１アクセサリ接点と前記第１ボディ接点との間でリードライト信号を送受信し、
前記第２ボディ接点を介して前記第２アクセサリ接点へ第１のクロックパルス信号を送信し、
前記リードライト信号が第１の真理値に対応するレベルの場合、前記第１のクロックパルス信号に同期した第１のデータ信号を前記第３ボディ接点を介して前記第３アクセサリ接点へ送信し、
前記リードライト信号が前記第１の真理値とは異なる第２の真理値に対応するレベルの場合、前記第３ボディ接点を介して前記第３アクセサリ接点から前記第１のデータ信号を受信し、
前記第２通信部は、
前記第１アクセサリ接点と前記第１ボディ接点との間で前記リードライト信号を送受信すると共に、前記リードライト信号に相補的な第１の反転信号を前記第４アクセサリ接点と前記第４ボディ接点との間で送受信し、
前記第２ボディ接点を介して前記第２アクセサリ接点へ前記第１クロックパルス信号よりも周波数が高い第２のクロックパルス信号を送信すると共に、前記第２のクロックパルス信号に相補的な第２の反転信号を前記第５ボディ接点を介して前記第５アクセサリ接点へ送信し、
前記リードライト信号が前記第１の真理値に対応するレベルの場合、前記第２のクロックパルス信号に同期した第２のデータ信号を前記第３ボディ接点を介して前記第３アクセサリ接点へ送信すると共に、前記第６ボディ接点を介して前記第２のデータ信号に相補的な第３の反転信号を前記第６ボディ接点を介して前記第６アクセサリ接点へ送信し、
前記リードライト信号が前記第２の真理値に対応するレベルの場合、前記第２のデータ信号を前記第３ボディ接点を介して前記第３アクセサリ接点から受信すると共に、前記第３の反転信号を前記第６ボディ接点を介して前記第６アクセサリ接点から受信するカメラボディ。
【発明の詳細な説明】
【技術分野】
【０００１】
本発明はアクセサリおよびカメラボディに関する。
【背景技術】
【０００２】
カメラボディとアクセサリ（アダプタやコンバータ、交換レンズを含む）とにより構成されるカメラシステムにおいて、複数の通信系を有するカメラシステムが知られている（特許文献１参照）。特許文献１のカメラシステムは、カメラボディと交換レンズとの間の通信を行う通信接点群と、アダプタと交換レンズとの間の通信を行う通信接点群とを有している。
【先行技術文献】
【特許文献】
【０００３】
【特許文献１】日本国特開平０７−２３４４３２号公報
【発明の概要】
【発明が解決しようとする課題】
【０００４】
カメラシステムにあっては、オートフォーカスや手振れ補正等の技術が進歩する中で、カメラボディとアクセサリとの間の通信量が増加する傾向にある。しかしながら、通信時間の増加は撮影時間の増加につながり、利便性を損ねてしまう。
【課題を解決するための手段】
【０００５】
本発明の第１の態様によると、アクセサリは、カメラボディに着脱可能に装着されるアクセサリであって、第１の伝送線路を用いてカメラボディと通信する第１通信部と、所定条件が成立すると、第１の伝送線路と、第１の伝送線路とは異なる第２の伝送線路とを用いてカメラボディと通信する第２通信部と、所定条件が成立すると、カメラボディとの通信を第１通信部による通信から第２通信部による通信に切り替える切替部と、を備える。
本発明の第２の態様によると、第１の態様のアクセサリにおいて、第２通信部は、第１通信部を含むことが好ましい。
本発明の第３の態様によると、第１または第２のアクセサリにおいて、第２通信部は、第１の伝送線路に出力された信号に相補的な反転信号を第２の伝送線路へ出力することが好ましい。
本発明の第４の態様によると、第１から第３のいずれか一態様のアクセサリにおいて、アクセサリが第２通信部を備えることを表す仕様情報を記憶する情報記憶部をさらに備え、第１通信部は、仕様情報をカメラボディへ送信し、所定条件には、第１通信部が仕様情報を送信したことが含まれることが好ましい。
本発明の第５の態様によると、第１から第４のいずれか一態様のアクセサリにおいて、アクセサリには、第２の伝送線路に電気的に接続する第２アクセサリが着脱可能に接続され、第１通信部は、第２の伝送線路を用いて第２アクセサリとさらに通信することが好ましい。【０００６】
本発明の第６の態様によると、アクセサリは、カメラボディとカメラボディに着脱可能に装着される交換レンズとを有し、交換レンズとカメラボディとの間に第１の伝送線路と第２の伝送線路とを有するカメラシステムに用いられ、少なくとも交換レンズに着脱可能に装着されるアクセサリであって、第１の伝送線路を用いて交換レンズと通信する通信部と、交換レンズが第１伝送線路と第２伝送線路とを用いてカメラボディと通信を開始する際に、通信部による交換レンズとの通信を遮断する遮断部と、を備える。【０００７】
本発明の第７の態様によると、カメラボディは、アクセサリが着脱可能に装着されるカメラボディであって、第１の伝送線路を用いてアクセサリと通信する第１通信部と、所定条件が成立すると、第１の伝送線路と、第１の伝送線路とは異なる第２の伝送線路とを用いてアクセサリと通信する第２通信部と、所定条件が成立すると、アクセサリとの通信を第１通信部による通信から第２通信部による通信に切り替える切替部とを備える。
本発明の第８の態様によると、第７の態様のカメラボディにおいて、第２通信部は、第１通信部を含むことが好ましい。
本発明の第９の態様によると、第７または第８の態様のカメラボディにおいて、第２通信部は、第１の伝送線路に出力された信号に相補的な反転信号を第２の伝送線路へ出力することが好ましい。
本発明の第１０の態様によると、第７から第９のいずれか一態様のカメラボディにおいて、所定条件には、第１の伝送線路と第２の伝送線路とを用いて第２通信部と通信を行うアクセサリ側通信部をアクセサリが有していることに関する仕様情報を第１通信部が受信したことが含まれることが好ましい。【０００８】
本発明の第１１の態様によると、アクセサリは、第１ボディ接点と第２ボディ接点と第３ボディ接点と第４ボディ接点と第５ボディ接点と第６ボディ接点とを備えるカメラボディに着脱可能に装着されるアクセサリであって、カメラボディに装着されているとき第１ボディ接点に接続される第１アクセサリ接点と、カメラボディに装着されているとき第２ボディ接点に接続される第２アクセサリ接点と、カメラボディに装着されているとき第３ボディ接点に接続される第３アクセサリ接点と、カメラボディに装着されているとき第４ボディ接点に接続される第４アクセサリ接点と、カメラボディに装着されているとき第５ボディ接点に接続される第５アクセサリ接点と、カメラボディに装着されているとき第６ボディ接点に接続される第６アクセサリ接点と、複数の第１伝送線路の各々を第１アクセサリ接点と第１ボディ接点との間、第２アクセサリ接点と第２ボディ接点との間、第３アクセサリ接点と第３ボディ接点との間にそれぞれ形成して、複数の第１伝送線路を用いてカメラボディと通信する第１通信部と、所定条件が成立すると、複数の第２伝送線路の各々を第４アクセサリ接点と第４ボディ接点との間、第５アクセサリ接点と第５ボディ接点との間、第６アクセサリ接点と第６ボディ接点との間にそれぞれ形成して、複数の第１伝送線路と複数の第２伝送線路とを用いてカメラボディと通信する第２通信部と、所定条件が成立すると、カメラボディとの通信を第１通信部による通信から第２通信部による通信に切り替える切替部と、を備え、第１通信部は、第１アクセサリ接点と第１ボディ接点との間でリードライト信号を送受信し、第２アクセサリ接点を介して第２ボディ接点から第１のクロックパルス信号を受信し、リードライト信号が第１の真理値に対応するレベルの場合、第１のクロックパルス信号に同期した第１のデータ信号を第３アクセサリ接点を介して第３ボディ接点から受信し、リードライト信号が第１の真理値とは異なる第２の真理値に対応するレベルの場合、第３アクセサリ接点を介して第３ボディ接点へ第１のデータ信号を送信し、第２通信部は、第１アクセサリ接点と第１ボディ接点との間でリードライト信号を送受信すると共に、リードライト信号に相補的な第１の反転信号を第４アクセサリ接点と第４ボディ接点との間で送受信し、第２アクセサリ接点を介して第２ボディ接点から第１クロックパルス信号より周波数が高い第２のクロックパルス信号を受信すると共に、第２のクロックパルス信号に相補的な第２の反転信号を第５アクセサリ接点を介して第５ボディ接点から受信し、リードライト信号が第１の真理値に対応するレベルの場合、第２のクロックパルス信号に同期した第２のデータ信号を第３アクセサリ接点を介して第３ボディ接点から受信すると共に、第２のデータ信号に相補的な第３の反転信号を第６アクセサリ接点を介して第６ボディ接点から受信し、リードライト信号が第２の真理値に対応するレベルの場合、第３アクセサリ接点を介して第３ボディ接点へ第２のデータ信号を送信すると共に、第３の反転信号を第６アクセサリ接点を介して第６ボディ接点へ送信する。
本発明の第１２の態様によると、第１１の態様のアクセサリにおいて、第２通信部は、第１通信部を含むことが好ましい。
本発明の第１３の態様によると、第１１または第１２の態様のアクセサリにおいて、アクセサリが第２通信部を備えることを表す仕様情報を記憶する情報記憶部をさらに備え、第１通信部は、仕様情報をカメラボディへ送信し、所定条件には、第１通信部が仕様情報を送信したことが含まれることが好ましい。
本発明の第１４の態様によると、第１１から第１３のいずれか一態様のアクセサリにおいて、アクセサリには、第２の伝送線路に電気的に接続する第２アクセサリが着脱可能に接続され、第１通信部は、アクセサリに第２アクセサリが装着されているとき、第４アクセサリ接点を介して第２アクセサリへ第３のクロックパルス信号を送信し、アクセサリに第２アクセサリが装着されているとき、第５アクセサリ接点を介して第２アクセサリとの間で第３のクロックパルス信号に同期する第３のデータ信号を送受信することが好ましい。【０００９】
本発明の第１５の態様によると、アクセサリは、第１ボディ接点と第２ボディ接点と第３ボディ接点と第４ボディ接点と第５ボディ接点と第６ボディ接点とを備えるカメラボディと、カメラボディに着脱可能に装着される交換レンズとを有するカメラシステムに用いられ、少なくとも交換レンズに着脱可能に装着されるアクセサリであって、交換レンズは、交換レンズがカメラボディに装着されているとき第１ボディ接点に接続される第１レンズ接点と、交換レンズがカメラボディに装着されているとき第２ボディ接点に接続される第２レンズ接点と、交換レンズがカメラボディに装着されているとき第３ボディ接点に接続される第３レンズ接点と、交換レンズがカメラボディに装着されているとき第４ボディ接点に接続される第４レンズ接点と、交換レンズがカメラボディに装着されているとき第５ボディ接点に接続される第５レンズ接点と、交換レンズがカメラボディに装着されているとき第６ボディ接点に接続される第６レンズ接点と、複数の第１伝送線路の各々を第１レンズ接点と第１ボディ接点との間、第２レンズ接点と第２ボディ接点との間、第３レンズ接点と第３ボディ接点との間にそれぞれ形成して、複数の第１伝送線路を用いてカメラボディと通信する第１通信部と、所定条件が成立すると、複数の第２伝送線路の各々を第４レンズ接点と第４ボディ接点との間、第５レンズ接点と第５ボディ接点との間、第６レンズ接点と第６ボディ接点との間にそれぞれ形成して、複数の第１伝送線路と複数の第２伝送線路とを用いてカメラボディと通信する第２通信部と、を備え、アクセサリは、交換レンズに装着されているとき第５レンズ接点に接続される第１アクセサリ接点と、交換レンズに装着されているとき第６レンズ接点に接続される第２アクセサリ接点と、第１アクセサリ接点と第２アクセサリ接点とを用いて交換レンズと通信する通信部と、交換レンズが第２通信部を用いてカメラボディと通信を開始する際に、通信部による交換レンズとの通信を遮断する遮断部と、を備える。【００１０】
本発明の第１６の態様によると、カメラボディは、第１アクセサリ接点と第２アクセサリ接点と第３アクセサリ接点と第４アクセサリ接点と第５アクセサリ接点と第６アクセサリ接点とを備えるアクセサリに着脱可能に装着されるカメラボディであって、アクセサリに装着されているとき第１アクセサリ接点に接続される第１ボディ接点と、アクセサリに装着されているとき第２アクセサリ接点に接続される第２ボディ接点と、アクセサリに装着されているとき第３アクセサリ接点に接続される第３ボディ接点と、アクセサリに装着されているとき第４アクセサリ接点に接続される第４ボディ接点と、アクセサリに装着されているとき第５アクセサリ接点に接続される第５ボディ接点と、アクセサリに装着されているとき第６アクセサリ接点に接続される第６ボディ接点と、複数の第１伝送線路の各々を第１アクセサリ接点と第１ボディ接点との間、第２アクセサリ接点と第２ボディ接点との間、第３アクセサリ接点と第３ボディ接点との間にそれぞれ形成して、複数の第１伝送線路を用いてアクセサリと通信する第１通信部と、所定条件が成立すると、複数の第２伝送線路の各々を第４アクセサリ接点と第４ボディ接点との間、第５アクセサリ接点と第５ボディ接点との間、第６アクセサリ接点と第６ボディ接点との間にそれぞれ形成して、複数の第１伝送線路と複数の第２伝送線路とを用いてアクセサリと通信する第２通信部と、所定条件が成立すると、カメラボディとの通信を第１通信部による通信から第２通信部による通信に切り替える切替部と、を備え、第１通信部は、第１アクセサリ接点と第１ボディ接点との間でリードライト信号を送受信し、第２ボディ接点を介して第２アクセサリ接点へ第１のクロックパルス信号を送信し、リードライト信号が第１の真理値に対応するレベルの場合、第１のクロックパルス信号に同期した第１のデータ信号を第３ボディ接点を介して第３アクセサリ接点へ送信し、リードライト信号が第１の真理値とは異なる第２の真理値に対応するレベルの場合、第３ボディ接点を介して第３アクセサリ接点から第１のデータ信号を受信し、第２通信部は、第１アクセサリ接点と第１ボディ接点との間でリードライト信号を送受信すると共に、リードライト信号に相補的な第１の反転信号を第４アクセサリ接点と第４ボディ接点との間で送受信し、第２ボディ接点を介して第２アクセサリ接点へ第１クロックパルス信号よりも周波数が高い第２のクロックパルス信号を送信すると共に、第２のクロックパルス信号に相補的な第２の反転信号を第５ボディ接点を介して第５アクセサリ接点へ送信し、リードライト信号が第１の真理値に対応するレベルの場合、第２のクロックパルス信号に同期した第２のデータ信号を第３ボディ接点を介して第３アクセサリ接点へ送信すると共に、第６ボディ接点を介して第２のデータ信号に相補的な第３の反転信号を第６ボディ接点を介して第６アクセサリ接点へ送信し、リードライト信号が第２の真理値に対応するレベルの場合、第２のデータ信号を第３ボディ接点を介して第３アクセサリ接点から受信すると共に、第３の反転信号を第６ボディ接点を介して第６アクセサリ接点から受信する。
【発明の効果】
【００１１】
本発明によれば、カメラボディとアクセサリとの間の通信を高速化できる。
【図面の簡単な説明】
【００１２】
【図１】本発明の第１の実施の形態による交換レンズ（アクセサリ）とカメラボディを備えるデジタルカメラシステムのブロック構成図である。
【図２】本発明の第１の実施の形態によるカメラボディと交換レンズ（アクセサリ）との間の通信を示すブロック図である。
【図３】本発明の第１の実施の形態によるカメラボディと交換レンズ（アクセサリ）の各通信接点に信号を出力する通信制御回路に関するブロック図である。
【図４】通信動作に関するフローチャートの一例である。
【図５】高速通信開始時のタイミングチャートの一例である。
【図６】本発明の第２の実施の形態による交換レンズ（アクセサリ）およびカメラボディと中間アダプタとを備えるデジタルカメラシステムのブロック構成図である。
【図７】本発明の第２の実施の形態によるカメラボディと交換レンズ（アクセサリ）との間の通信を示すブロック図である。
【図８】中間アダプタの各通信接点に信号を出力する通信制御回路に関するブロック図である。
【図９】通信動作に関するフローチャートの一例である。
【図１０】本発明の第２の実施の形態の変形例によるカメラボディと交換レンズ（アクセサリ）との間の通信を示すブロック図である。
【図１１】従来のカメラボディと交換レンズ（アクセサリ）との間の通信を示すブロック図である。
【図１２】本発明の第３の実施の形態によるカメラボディと交換レンズ（アクセサリ）とを備えるデジタルカメラシステムのブロック構成図である。
【図１３】本発明の第３の実施の形態によるカメラボディのマウント部の平面図である。
【図１４】本発明の第３の実施の形態による交換レンズ（アクセサリ）のマウント部の平面図である。
【図１５】本発明の第３の実施の形態による中間アダプタ（アクセサリ）の前マウント部の平面図である。
【図１６】本発明の第３の実施の形態による中間アダプタ（アクセサリ）の後マウント部の平面図である。
【図１７】本発明の第３の実施の形態によるカメラボディと交換レンズ（アクセサリ）との間の通信を示すブロック図である。
【図１８】信号制御回路の回路図である。
【図１９】本発明の第３の実施の形態によるカメラボディと交換レンズ（アクセサリ）との間の各伝送線路で行われる通信を３パターン例示した表である。
【図２０】信号制御回路の設定表である。
【図２１】信号制御回路の設定表である。
【図２２】信号制御回路の設定表である。
【図２３】信号制御回路の設定表である。
【図２４】信号制御回路の設定表である。
【図２５】信号制御回路の設定表である。
【図２６】信号制御回路の設定表である。
【図２７】本発明の第３の実施の形態によるカメラボディと交換レンズ（アクセサリ）と中間アダプタ（アクセサリ）との間で行われる初期通信動作に関するフローチャートの一例である。
【図２８】通信を切り替える際のタイミングチャートである。
【発明を実施するための形態】
【００１３】
（第１の実施の形態）
図１は、本発明の第１の実施の形態によるアクセサリとカメラボディとを備えるデジタルカメラシステムの概略ブロック図である。図１のデジタルカメラシステム１は、交換レンズ１００とカメラボディ２００とを備える。交換レンズ１００は、アクセサリの一種であって、レンズ側マイコン１１０とレンズ側記憶部１１５とレンズ側マウント部１２０とレンズ側接点群１３０とを備える。カメラボディ２００は、ボディ側マイコン２１０とボディ側記憶部２１５とボディ側マウント部２２０とボディ側接点群２３０とを備える。なお、交換レンズ１００とカメラボディ２００とは、図１に図示した構成以外にも撮像素子等、多数の構成を有する。
【００１４】
交換レンズ１００は、レンズ側マウント部１２０を介して、カメラボディ２００に着脱可能に装着される。レンズ側マウント部１２０は、カメラボディ２００のボディ側マウント部２２０に着脱可能に装着される。図１には、レンズ側マウント部１２０がボディ側マウント部２２０に装着された状態が図示されている。レンズ側マウント部１２０がボディ側マウント部２２０に装着されると、レンズ側接点群１３０がボディ側接点群２３０に電気的に接続される。
【００１５】
レンズ側マイコン１１０とボディ側マイコン２１０は、手振れ補正処理やオートフォーカス処理などの種々の処理を実行しているとき、レンズ側接点群１３０とボディ側接点群２３０とを介した通信を行う。たとえば、レンズ側マイコン１１０は、レンズ側接点群１３０とボディ側接点群２３０とを介して、ボディ側マイコン２１０へレンズ情報や手振れ補正処理中であることを表す信号などを送信する。一方、ボディ側マイコン２１０は、フォーカスレンズ１４０の焦点位置に関する情報をレンズ側マイコン１１０に送信する。レンズ側マイコン１１０は、受信したフォーカスレンズ１４０の焦点位置に関する情報に基づいて、フォーカスレンズ駆動部１４１を制御してフォーカスレンズ１４０を駆動する。なお、レンズ情報には、開放Ｆ値等のレンズに関する各種情報のほかに、交換レンズ１００がレンズ側接点群１３０を介して実施可能な信号出力方式と伝送方式に関する仕様情報が含まれる。交換レンズ１００が実施可能な信号出力方式と伝送方式については、その詳細を後述する。
【００１６】
レンズ側記憶部１１５は、フラッシュメモリなどの不揮発性の記憶媒体であって、レンズ側マイコン１１０が交換レンズ１００を制御する際に実行する制御プログラムやレンズ情報などが記憶されている。
ボディ側記憶部２１５は、フラッシュメモリなどの不揮発性の記憶媒体であって、ボディ側マイコン２１０がカメラボディ２００を制御する際に実行する制御プログラムなどが記憶されている。
【００１７】
（レンズ側マイコン１１０とボディ側マイコン２１０との電気的な接続の説明）
図２は、レンズ側接点群１３０とボディ側接点群２３０とを介するレンズ側マイコン１１０とボディ側マイコン２１０との間の電気的な接続を示す図である。レンズ側マイコン１１０は、レンズ側第１通信接点群１１１とレンズ側第２通信接点群１１２とを有する。
【００１８】
レンズ側第１通信接点群１１１には、たとえばＣＬＫ１端子とＤＡＴＡ１端子とＲ／Ｗ１端子が含まれる。レンズ側第２通信接点群１１２には、たとえばＣＬＫ２端子とＤＡＴＡ２端子とＲ／Ｗ２端子が含まれる。
【００１９】
ボディ側マイコン２１０は、ボディ側第１通信接点群２１１とボディ側第２通信接点群２１２とを有する。ボディ側第１通信接点群２１１には、レンズ側第１通信接点群１１１と同様の端子、すなわちＣＬＫ１端子とＤＡＴＡ１端子とＲ／Ｗ１端子が含まれる。ボディ側第２通信接点群２１２にはレンズ側第２通信接点群１１２と同様の端子、すなわちＣＬＫ２端子とＤＡＴＡ２端子とＲ／Ｗ２端子が含まれる。
【００２０】
レンズ側第１通信接点群１１１とボディ側第１通信接点群２１１とレンズ側第２通信接点群１１２とは、従来のデジタルカメラシステムにおいて利用される。図１１（ａ）および（ｂ）は、従来のデジタルカメラにおいて、交換レンズとカメラボディとの間の電気的な接続の一例をそれぞれ表す。図１１（ａ）では、レンズ側第１通信接点群１１１とレンズ側第２通信接点群１１２とを有する交換レンズ６００がボディ側第１通信接点群２１１を有するカメラボディ７００に装着されている。図１１（ｂ）では、交換レンズ６００が中間アダプタ８００を介在させてカメラボディ７００と接続されている。
【００２１】
図２の交換レンズ１００がカメラボディ２００に接続されているとき、レンズ側第１通信接点群１１１のＣＬＫ１端子とボディ側第１通信接点群２１１のＣＬＫ１端子とが電気的に接続され、二つのＣＬＫ１端子間に伝送線路が形成される。同様に、レンズ側第１通信接点群１１１のＤＡＴＡ１端子はボディ側第１通信接点群２１１のＤＡＴＡ１端子と電気的に接続され、レンズ側第１通信接点群１１１のＲ／Ｗ１端子はボディ側第１通信接点群２１１のＲ／Ｗ１端子と電気的に接続され、各２端子間に伝送線路が形成される。レンズ側第１通信接点群１１１とボディ側第１通信接点群２１１のＣＬＫ１端子同士は、半二重のデータ通信を行う。同様にレンズ側第１通信接点群１１１とボディ側第１通信接点群２１１のＤＡＴＡ１端子同士、Ｒ／Ｗ１端子同士も、半二重のデータ通信を行う。
【００２２】
また、交換レンズ１００がカメラボディ２００に接続されているとき、レンズ側第２通信接点群１１２のＣＬＫ２端子とボディ側第２通信接点群２１２のＣＬＫ２端子とが電気的に接続され、二つのＣＬＫ２端子間に伝送線路が形成される。同様に、レンズ側第２通信接点群１１２のＤＡＴＡ２端子はボディ側第２通信接点群２１２のＤＡＴＡ２端子と電気的に接続され、レンズ側第２通信接点群１１２のＲ／Ｗ２端子はボディ側第２通信接点群２１２のＲ／Ｗ２端子と電気的に接続され、各２端子間に伝送線路が形成される。レンズ側第２通信接点群１１２とボディ側第２通信接点群２１２のＣＬＫ２端子同士は、半二重のデータ通信を行う。同様にレンズ側第２通信接点群１１２とボディ側第２通信接点群２１２のＤＡＴＡ２端子同士、Ｒ／Ｗ２端子同士も、半二重のデータ通信を行う。
【００２３】
カメラボディ２００はバッテリ２４０を有する。バッテリ２４０の出力電源は、ＤＣ／ＤＣコンバータ２５０を介して、カメラボディ２００全体に給電される。また、ＤＣ／ＤＣコンバータ２５０の出力電源は、レンズ側接点群１３０とボディ側接点群２３０とを介して交換レンズ１００にも給電される。レンズ側マイコン１１０などの交換レンズ１００の各部には、ＤＣ／ＤＣコンバータ１５０を介して給電される。
【００２４】
（レンズ側マイコン１１０とボディ側マイコン２１０との間の通信）
図３は、図２に示したレンズ側第１通信接点群１１１およびレンズ側第２通信接点群１１２へ信号を入出力する通信制御回路の概略ブロック図である。図３に例示される通信制御回路は、レンズ側マイコン１１０に内蔵される。なお、ボディ側第１通信接点群２１１およびボディ側第２通信接点群２１２に接続される通信制御回路も図３と同様であり、ボディ側マイコン２１０に内蔵される。
【００２５】
図３に示すように通信制御回路には、レンズ側第１通信接点群１１１およびレンズ側第２通信接点群１１２の各端子（ＣＬＫ１端子、ＤＡＴＡ１端子、Ｒ／Ｗ１端子、ＣＬＫ２端子、ＤＡＴＡ２端子、Ｒ／Ｗ２端子）ごとに第１通信回路３００と第２通信回路３０１と切替器３０２とをそれぞれ有する。切替器３０２の各々は、各端子に接続される通信回路（第１通信回路３００と第２通信回路３０１）の切り替えまたは遮断（切断、オープン、開放、Ｈｉ−Ｚ状態にする）を行う。切替器３０２の各々による切り替えは、切替制御回路３０３から出力される切替信号に応じて行われる。
【００２６】
第１通信回路３００は、オープンドレイン（オープンコレクタ）タイプの信号出力回路を有する。第２通信回路３０１は、ＣＭＯＳタイプの信号出力回路を有する。第２通信回路３０１は、第１通信回路３００よりもパルス周波数が大きい（速い）クロックパルス信号を出力可能である。上述のレンズ情報に含まれる仕様情報には、交換レンズ１００が実施可能な信号出力方式として、オープンドレイン（オープンコレクタ）タイプと、ＣＭＯＳタイプとが含まれている。
【００２７】
レンズ側マイコン１１０とボディ側マイコン２１０とは、第１通信回路３００を用いた通信に切り替えられると、レンズ側第１通信接点群１１１とボディ側第１通信接点群２１１の間、レンズ側第２通信接点群１１２とボディ側第２通信接点群２１２との間でそれぞれシングルエンド方式の通信を行う。
【００２８】
レンズ側マイコン１１０とボディ側マイコン２１０とは、第２通信回路３０１を用いた通信に切り替えられると、レンズ側第１通信接点群１１１の各端子とボディ側第１通信接点群２１１の各端子との間の各伝送線路と、レンズ側第２通信接点群１１２の各端子とボディ側第２通信接点群２１２の各端子との間の各伝送線路とを差動伝送線路として用いて差動伝送方式の通信を行う。上述のレンズ情報に含まれる仕様情報には、交換レンズ１００が実施可能な伝送方式として、シングルエンド方式と、差動伝送方式とが含まれている。
【００２９】
（二つの伝送方式における出力信号の説明）
ＤＡＴＡ１端子およびＤＡＴＡ２端子は、二値化されたデータを出入力（送受信）するための端子である。ＤＡＴＡ１端子およびＤＡＴＡ２端子の信号レベルは、０レベル（Ｌレベル，Ｌｏｗレベル）または１レベル（Ｈレベル，Ｈｉｇｈレベル）となる。
【００３０】
第１通信回路３００を用いたシングルエンド方式の通信では、ＤＡＴＡ１端子とＤＡＴＡ２端子とでは、互いに独立したデータが出入力される。
第２通信回路３０１を用いた差動伝送方式の通信では、ＤＡＴＡ２端子には、ＤＡＴＡ１端子のデータ信号に相補的な反転信号が出入力される。
【００３１】
ＣＬＫ１端子は、クロックパルス信号を出入力（送受信）するための端子である。ＤＡＴＡ１端子に出力されるデータは、ＣＬＫ１端子のクロックパルス信号に同期する。
ＣＬＫ２端子は、クロックパルス信号を出入力（送受信）するための端子である。ＤＡＴＡ２端子に出力されるデータは、ＣＬＫ２端子のクロックパルス信号に同期する。
【００３２】
第１通信回路３００を用いたシングルエンド方式の通信では、ＣＬＫ１端子とＣＬＫ２端子とでは、個別にクロックパルス信号が出入力される。
第２通信回路３０１を用いた差動伝送方式の通信では、ＣＬＫ２端子には、ＣＬＫ１端子のクロックパルス信号に相補的な反転信号が出入力される。また、第２通信回路３０１を用いた差動伝送方式の通信において出入力されるクロックパルス信号は、第１通信回路３００を用いたシングルエンド方式の通信において出入力されるクロックパルス信号よりもパルス周波数が大きい（パルス周期が短い）。第２通信回路３０１を用いた通信では、ＣＭＯＳタイプの信号出力回路を用いることや差動伝送方式を用いることにより、クロックパルス信号のパルス周波数を大きくすることができる。すなわち、第２通信回路３０１を用いた差動伝送方式の通信は、第１通信回路３００を用いたシングルエンド方式の通信よりも数倍〜十数倍だけ高速にデータ通信を行うことができる。
【００３３】
Ｒ／Ｗ１端子およびＲ／Ｗ２端子は、マイコンの読み書き制御（データの入出力制御）に利用されるリードライト信号を出入力（送受信）するための端子である。Ｒ／Ｗ１端子およびＲ／Ｗ２端子の信号レベルは、Ｌレベル（Ｌｏｗレベル）またはＨレベル（Ｈｉｇｈレベル）となる。
【００３４】
第１通信回路３００を用いたシングルエンド方式の通信では、Ｒ／Ｗ１端子とＲ／Ｗ２端子とでは、互いに独立したリードライト信号が出入力される。
Ｒ／Ｗ１端子のリードライト信号レベルがＬレベルのとき、レンズ側マイコン１１０がＤＡＴＡ１端子にデータを出力する。
Ｒ／Ｗ１端子のリードライト信号レベルがＨレベルのとき、ボディ側マイコン２１０がＤＡＴＡ１端子にデータを出力する。
Ｒ／Ｗ２端子のリードライト信号レベルがＬレベルのとき、レンズ側マイコン１１０がＤＡＴＡ２端子にデータを出力する。
Ｒ／Ｗ２端子のリードライト信号レベルがＨレベルのとき、ボディ側マイコン２１０がＤＡＴＡ２端子にデータを出力する。
【００３５】
第２通信回路３０１を用いた差動伝送方式の通信では、Ｒ／Ｗ２端子には、Ｒ／Ｗ１端子のリードライト信号に相補的な反転信号が出入力される。
Ｒ／Ｗ１端子のリードライト信号レベルがＬレベルのとき、Ｒ／Ｗ２端子のリードライト信号レベルがＨレベルとなる。このとき、レンズ側マイコン１１０は、ＤＡＴＡ１端子にデータを出力し、ＤＡＴＡ２端子に当該データの反転信号を出力する。
Ｒ／Ｗ１端子のリードライト信号レベルがＨレベルのとき、Ｒ／Ｗ２端子のリードライト信号レベルがＬレベルとなる。このとき、ボディ側マイコン２１０は、ＤＡＴＡ１端子にデータを出力し、ＤＡＴＡ２端子に当該データの反転信号を出力する。
【００３６】
第２通信回路３０１を用いた差動伝送方式の通信では、受信（入力）側のマイコンは、ＣＬＫ１端子間のパルス信号とＣＬＫ２端子間のパルス信号とを一対の差動信号として受信する。また同様に、第２通信回路３０１を用いた差動伝送方式の通信では、受信側のマイコンは、ＤＡＴＡ１端子間のパルス信号とＤＡＴＡ２端子間のパルス信号とを一対の差動信号として受信し、Ｒ／Ｗ１端子間のパルス信号とＲ／Ｗ２端子間のパルス信号とを一対の差動信号として受信する。
【００３７】
（通信動作）
図４（ａ）は、デジタルカメラ１の通信動作に関するフローチャートである。カメラボディ２００の電源がオンされると、ボディ側マイコン２１０を含むカメラボディ２００の各部に電源が供給される。電源を供給されたボディ側マイコン２１０は、ステップＳ１の動作に進み、詳細を後述する初期通信動作の実行を開始する。この初期通信動作の過程においてカメラボディ２００から交換レンズ１００に向けて電源の供給が開始される。電源を供給されたレンズ側マイコン１１０は、ステップＳ２の動作に進み、詳細を後述する初期通信動作を実行する。ボディ側マイコン２１０とレンズ側マイコン１１０は、ステップＳ１とステップＳ２で実行する初期通信動作の過程において、定常通信動作で用いる信号出力方式と伝送方式とを決定する。ステップＳ３とステップＳ４では、ボディ側マイコン２１０とレンズ側マイコン１１０は、初期通信動作の過程で決定された信号出力方式と伝送方式とを用いた定常通信を行う。
【００３８】
図４（ｂ）は、図４（ａ）のステップＳ１およびステップＳ２で実行される初期通信動作に関するフローチャートである。ステップＳ１０では、電源を供給されたボディ側マイコン２１０がカメラボディ２００の各部を初期化する。たとえば、ボディ側マイコン２１０は、ボディ側第１通信接点群２１１の各端子に第１通信回路３００が接続されるように切替器３０２の各々を切り替えると共に、ボディ側第２通信接点群２１２の各端子に接続される通信回路が遮断（切断、オープン、開放、Ｈｉ−Ｚ状態にする）されるように切替器３０２を切り替える。ここで、初めから第２通信回路３０１に切り替えないのは、カメラボディ２００に着脱可能に装着されている交換レンズがレンズ側第２通信接点群１１２を有さない虞があるためである。
【００３９】
ステップＳ２０では、ボディ側マイコン２１０は、ＤＣ／ＤＣコンバータ２５０を介して、交換レンズ１００への電源の供給を開始する。電源の供給を受けた交換レンズ１００のレンズ側マイコン１１０は、図４（ａ）のステップＳ２の初期通信動作を開始して、ステップＳ１００の動作を開始する。ステップＳ１００では、レンズ側マイコン１１０は、交換レンズ１００の各部の制御を開始して、通信の初期化を行う。たとえば、レンズ側マイコン１１０は、レンズ側第１通信接点群１１１およびレンズ側第２通信接点群１１２の各端子に第１通信回路３００が接続されるようにレンズ側マイコン１１０の切替器３０２を切り替える。その後、レンズ側マイコン１１０は、ステップＳ１１０の動作に進み、フォーカスレンズ駆動部１４１などの駆動系の初期化動作を行う。
【００４０】
ステップＳ３０では、ボディ側マイコン２１０は、ボディ側第１通信接点群２１１を用いて、交換レンズ１００に対してレンズ情報の要求コマンドを送信する。
ステップＳ１２０では、レンズ側マイコン１１０は、レンズ側第１通信接点群１１１を用いて、そのレンズ情報の要求コマンドを受信する。
【００４１】
その後、レンズ側マイコン１１０は、ステップＳ１３０の動作に進み、レンズ側第２通信接点群１１２を用いて、補正パラメータの要求コマンドを送信する。補正パラメータとは、たとえば図１１（ｂ）に示されるように、交換レンズとカメラボディとの間に中間アダプタが接続されている場合にその中間レンズにより補正される光路長などを含む。レンズ側マイコン１１０は、補正パラメータの要求コマンドを送信後、ステップＳ１４０の動作に進み、所定時間の間、補正パラメータの受信待ち状態となる。第１の実施の形態では、中間アダプタが接続されていないため、レンズ側マイコン１１０が補正パラメータを受信することはなく、タイムアウトする。
【００４２】
その後、レンズ側マイコン１１０は、ステップＳ１５０の動作に進み、レンズ側第１通信接点群１１１を用いて、レンズ側記憶部１１５に記憶されているレンズ情報（上述の仕様情報を含む）をカメラボディ２００へ送信する。
ステップＳ４０では、ボディ側マイコン２１０は、ボディ側第１通信接点群２１１を用いて、レンズ情報（上述の仕様情報を含む）を受信する。ボディ側マイコン２１０は、レンズ情報を受信したことにより、交換レンズ１００との間で第１通信接点群を用いた通信が確立されたことを認識する。
【００４３】
ステップＳ４５では、ボディ側マイコン２１０は、ステップＳ４０で受信したレンズ情報に含まれる仕様情報を解析して、交換レンズ１００が高速通信に対応しているか否かを判定する。ボディ側マイコン２１０は、仕様情報にＣＭＯＳタイプの信号出力方式に関する情報と差動伝送方式に関する情報とが含まれる場合、交換レンズ１００が高速通信対応レンズであるものと判断して、ステップＳ４５を肯定判定する。仕様情報にＣＭＯＳタイプの信号出力方式に関する情報または差動伝送方式に関する情報が含まれない場合、ボディ側マイコン２１０は、ステップＳ４５を否定判定する。ステップＳ４５が肯定判定された場合、ボディ側マイコン２１０は、ＣＭＯＳタイプかつ差動伝送方式による通信、すなわち第２通信回路３０１を用いた通信を定常通信において行うことに決定して、ステップＳ５０の動作に進む。
【００４４】
ステップＳ４５が否定判定された場合、ボディ側マイコン２１０は、オープンドレインタイプかつシングルエンド方式による通信、すなわち第１通信回路３００を用いた通信を定常通信において行うことに決定して、図４（ｂ）の動作を終了して、定常通信動作を開始する。
【００４５】
ステップＳ５０では、ボディ側マイコン２１０は、ボディ側第１通信接点群２１１を用いて、レンズ側マイコン１１０へ通信切替コマンドを送信する。
ステップＳ１６０では、レンズ側マイコン１１０は、レンズ側第１通信接点群１１１を用いて、通信切替コマンドを受信する。その後、レンズ側マイコン１１０は、ステップＳ１７０の動作に進み、レンズ側第２通信接点群１１２を用いて、中間アダプタ用の遮断コマンドを送信する。第１の実施の形態では、交換レンズ１００とカメラボディ２００との間に中間アダプタが接続されていないため、この遮断コマンドは受信されない。
【００４６】
その後、レンズ側マイコン１１０は、ステップＳ１８０の動作に進み、レンズ側第１通信接点群１１１を用いて、カメラボディ２００へ開始信号を送信する。その後、レンズ側マイコン１１０は、ステップＳ１９０の動作に進み、各端子に第２通信回路３０１が接続されるようにレンズ側第１通信接点群１１１およびレンズ側第２通信接点群１１２の切替器３０２の各々を切り替える。
ステップＳ６０では、ボディ側マイコン２１０は、ボディ側第１通信接点群２１１を用いて、開始信号を受信する。その後、ボディ側マイコン２１０は、ステップＳ７０の動作に進み、ボディ側第１通信接点群２１１およびボディ側第２通信接点群２１２の各端子に接続される通信回路を第２通信回路３０１側に切り替える。
【００４７】
以降、レンズ側マイコン１１０とボディ側マイコン２１０とは、第１通信接点群１１１および２１１と、第２通信接点群１１２および２１２とを用いた差動伝送方式の通信を行う。交換レンズ１００とカメラボディ２００とは、この差動伝送方式の通信により、フォーカスレンズ１４０の焦点位置に関する情報など種々の情報を、高速に送受信する。
【００４８】
図５は、図４のステップＳ１８０以降のレンズ側第１通信接点群１１１およびレンズ側第２通信接点群１１２の各端子の信号レベルのタイミングチャートの一例である。図５に例示されるタイミングチャートには、時間Ｔ１２０と時間Ｔ１３０と時間Ｔ１４０とが図示されている。
【００４９】
時間Ｔ１２０から時間Ｔ１３０の間の期間は、レンズ側マイコン１１０が図４（ｂ）のステップＳ１８０を実行している。レンズ側マイコン１１０は、開始信号をボディ側マイコン２１０に送信するため、第１通信回路３００を用いてＲ／Ｗ１端子のリードライト信号レベルをＬレベルに変更する。次に、レンズ側マイコン１１０は、第１通信回路３００を用いて、ＣＬＫ１端子にクロック信号を出力し、ＤＡＴＡ１端子に開始信号を出力する。図５では、開始信号の一例として“０１００００００”が送信されている。なお、図５では、開始信号を８ビットで示したが、開始信号のビット長は１６ビットでも３２ビットでもよく、任意に定められる。
【００５０】
時間Ｔ１３０から時間Ｔ１４０の間の期間では、レンズ側マイコン１１０が図４（ｂ）のステップＳ１９０を実行し、ボディ側マイコン２１０が図４のステップＳ７０を実行する。これにより、レンズ側マイコン１１０とボディ側マイコン２１０との両方がレンズ側第１通信接点群１１１およびレンズ側第２通信接点群１１２の各端子に第２通信回路３０１を接続する。
【００５１】
時間Ｔ１４０以降では、レンズ側マイコン１１０とボディ側マイコン２１０とは、第１通信接点群１１１および２１１と、第２通信接点群１１２および２１２とを用いた差動伝送方式の通信を行っている。具体的には、時間Ｔ１４０以降では、Ｒ／Ｗ２端子にＲ／Ｗ１端子の出力信号の反転信号が出力され、ＣＬＫ２端子にＣＬＫ１端子の出力信号の反転信号が出力され、ＤＡＴＡ２端子にＤＡＴＡ１端子の出力信号“０１１０００００”の反転信号“１００１１１１１”が出力されている。
【００５２】
時間Ｔ１４０以降（第２通信回路３０１に切り替えられた後）にＣＬＫ１端子に出力されるクロックパルス信号は、時間Ｔ１４０以前（第２通信回路３０１に切り替えられる前）のクロックパルス信号よりもパルス周波数が大きい。なお、図５では、各端子のＨレベルの信号レベルが時間Ｔ１４０以降と時間Ｔ１４０以前とで同レベルになるように図示したが、第２通信回路３０１に切り替えられた後（時間Ｔ１４０以降）はＨレベルの信号レベルが小さくなるようにしてもよい。これにより、出力信号の立ち上がりおよび立ち下がりに要する時間が短くなり、さらなる通信の高速化を図ることができる。
【００５３】
（第２の実施の形態）
本発明の第２の実施の形態について説明する。図６は、本発明の第２の実施の形態によるアクセサリとカメラボディとを備えるデジタルカメラシステムの概略ブロック図である。図６のデジタルカメラシステム２は、交換レンズ１００とカメラボディ２００とを備え、交換レンズ１００とカメラボディ２００との間に中間アダプタ４００を備える。交換レンズ１００とカメラボディ２００の構成は、第１の実施の形態と同一であるため、構成の説明を省略する。なお、中間アダプタ４００が交換レンズ１００とカメラボディ２００との間に挿入されているため、高速通信開始動作は第１の実施の形態と異なる。
【００５４】
中間アダプタ４００は、アクセサリの一種であって、前マウント部４１０と後マウント部４２０と前接点群４３０と後接点群４４０とアダプタ側マイコン４５０とアダプタ記憶部４５１とを備える。前マウント部４１０には、交換レンズ１００のレンズ側マウント部１２０が着脱可能に装着される。後マウント部４２０には、カメラボディ２００のボディ側マウント部２２０が着脱可能に装着される。
【００５５】
中間アダプタ４００の前マウント部４１０にレンズ側マウント部１２０が装着されると、前接点群４３０がレンズ側接点群１３０に電気的に接続される。また、中間アダプタ４００の後マウント部４２０にボディ側マウント部２２０が装着されると、後接点群４４０がボディ側接点群２３０に電気的に接続される。前接点群４３０の各端子と後接点群４４０の各端子との間は電気的に接続されているため、レンズ側マイコン１１０の各端子とボディ側マイコン２１０の各端子とは、中間アダプタ４００を介して接続される。
【００５６】
アダプタ記憶部４５１は、フラッシュメモリなどの不揮発性の記憶媒体であって、中間アダプタ４００を装着したときに補正される光路長などの補正パラメータが記憶されている。
【００５７】
図７は、レンズ側マイコン１１０とボディ側マイコン２１０とアダプタ側マイコン４５０との間の電気的な接続を示す図である。図２と同様にレンズ側マイコン１１０は、レンズ側第１通信接点群１１１とレンズ側第２通信接点群１１２とを有する。そして、アダプタ側マイコン４５０には、レンズ側第２通信接点群１１２との通信用のＣＬＫ２端子とＤＡＴＡ２端子とＲ／Ｗ２端子とが含まれる。
【００５８】
レンズ側マイコン１１０のＣＬＫ２端子は、ボディ側マイコン２１０およびアダプタ側マイコン４５０のＣＬＫ２端子と電気的に接続されている。レンズ側マイコン１１０のＤＡＴＡ２端子は、ボディ側マイコン２１０およびアダプタ側マイコン４５０のＤＡＴＡ２端子と電気的に接続されている。レンズ側マイコン１１０のＲ／Ｗ２端子は、ボディ側マイコン２１０およびアダプタ側マイコン４５０のＲ／Ｗ２端子と電気的に接続されている。
【００５９】
カメラボディ２００はバッテリ２４０を有する。バッテリ２４０の出力電源は、ＤＣ／ＤＣコンバータ２５０を介して、カメラボディ２００全体に給電される。また、ＤＣ／ＤＣコンバータ２５０の出力電源は、ボディ側接点群２３０と後接点群４４０とを介して、交換レンズ１００だけでなく中間アダプタ４００側にも給電される。
【００６０】
図８は、アダプタ側マイコン４５０の各端子（ＣＬＫ２端子とＤＡＴＡ２端子とＲ／Ｗ２端子）に接続される通信制御回路の概略ブロック図である。図８の通信制御回路は、アダプタ側マイコン４５０に内蔵される。
【００６１】
図８に示されるように、アダプタ側マイコン４５０の各端子には、開閉器３０４を間に挟んで第１通信回路３００がそれぞれ接続されている。開閉器３０４の各々の開閉は、開閉制御回路３０５から出力される切替信号に応じて同時に行われる。開閉器３０４が開かれると、第１通信回路３００がアダプタ側マイコン４５０の各端子から遮断（切断、オープン、開放、Ｈｉ−Ｚ状態にする）されて、中間アダプタ４００との通信が切断される。このとき、レンズ側マイコン１１０とボディ側マイコン２１０のＣＬＫ２端子同士と、ＤＡＴＡ２端子同士と、Ｒ／Ｗ２端子同士とがそれぞれ接続された状態となる。
【００６２】
図９（ａ）は、デジタルカメラ２の通信動作に関するフローチャートである。カメラボディ２００の電源がオンされると、ボディ側マイコン２１０を含むカメラボディ２００の各部に電源が供給される。電源を供給されたボディ側マイコン２１０は、ステップＳ５の動作に進み、詳細を後述する初期通信動作の実行を開始する。
【００６３】
第２の実施の形態では、この初期通信動作の過程において、交換レンズ１００だけでなく中間アダプタ４００に向けてもカメラボディ２００からの電源供給が開始する。電源を供給されたレンズ側マイコン１１０は、ステップＳ６の動作に進み、詳細を後述する初期通信動作を実行する。電源を供給されたアダプタ側マイコン４５０は、ステップＳ７の動作に進み、初期通信動作を実行する。アダプタ側マイコン４５０は、ステップＳ７の初期通信動作を完了すると、通信動作を終了する。ボディ側マイコン２１０とレンズ側マイコン１１０は、ステップＳ５とステップＳ６で実行する初期通信動作の過程において、定常通信動作で用いる信号出力方式と伝送方式とを決定する。ステップＳ８とステップＳ９では、ボディ側マイコン２１０とレンズ側マイコン１１０は、初期通信動作の過程で決定された信号出力方式と伝送方式とを用いた定常通信を行う。
【００６４】
図９（ｂ）は、図９（ａ）のステップＳ８およびステップＳ９で実行される初期通信動作に関するフローチャートである。なお、図９（ｂ）において、図４（ｂ）と同様の動作を表すフローには同一の符号を付してその説明を省略する。
【００６５】
ステップＳ２２０では、ボディ側マイコン２１０は、ＤＣ／ＤＣコンバータ２５０を介して、交換レンズ１００と中間アダプタ４００への電源の供給を開始する。ステップＳ４１０では、電源が供給された中間アダプタ４００のアダプタ側マイコン４５０は、通信の初期化を行う。アダプタ側マイコン４５０は、開閉器３０４を閉じて各端子に第１通信回路３００を接続する。
【００６６】
ステップＳ３３０では、レンズ側マイコン１１０は、ステップＳ１３０と同様に、レンズ側第２通信接点群１１２を用いて、補正パラメータの要求コマンドを送信する。その後、レンズ側マイコン１１０は、ステップＳ３４０の動作に進み、補正パラメータの要求コマンドを送信後から所定時間経過するまでの間、補正パラメータの受信待ち状態となる。
ステップＳ４２０では、アダプタ側マイコン４２０は、ステップＳ３４０で送信された補正パラメータの要求コマンドを受信する。ステップＳ４３０では、アダプタ側マイコン４２０は、アダプタ側記憶部４５１に記憶されている補正パラメータを、交換レンズ１００へ送信する。ステップＳ３４０で補正パラメータの受信待ち状態となっていたレンズ側マイコン１１０は、ステップＳ４３０で送信された補正パラメータを受信する。これにより、レンズ側マイコン１１０は、中間アダプタ４００との間の通信が第２通信接点群１１２を用いて確立されたことを認識する。
【００６７】
ステップＳ３５０では、レンズ側マイコン１１０は、ステップＳ３４０で受信した補正パラメータに基づいてレンズ側記憶部１１５に記憶されているレンズ情報（上述の仕様情報を含む）を補正した後、補正後のレンズ情報を、レンズ側第１通信接点群１１１を用いてカメラボディ２００へ送信する。
【００６８】
ステップＳ３７０では、レンズ側マイコン１１０は、レンズ側第２通信接点群１１２を用いて、中間アダプタ用の遮断コマンドを送信する。
ステップＳ４４０では、アダプタ側マイコン４２０は、中間アダプタ用の遮断コマンドを受信する。ステップＳ４５０では、アダプタ側マイコン４２０は、開閉器３０４を開いて各端子から第１通信回路３００を遮断する。
【００６９】
アダプタ側マイコン４５０の第１通信回路３００が接点から遮断されるため、レンズ側マイコン１１０とボディ側マイコン２１０との間で差動伝送方式の通信が開始されたとき、差動伝送用の信号により中間アダプタ４００が誤動作することはない。
【００７０】
（第３の実施の形態）
本発明の第３の実施の形態について説明する。図１２（ａ）および（ｂ）は、本発明の第３の実施の形態によるアクセサリとカメラボディとを備えるデジタルカメラシステムの概略ブロック図である。図１２（ａ）および（ｂ）に示されるデジタルカメラシステム３は、交換レンズ３１００とカメラボディ３２００とを備え、交換レンズ３１００とカメラボディ３２００との間に中間アダプタ３４００を備える。
【００７１】
交換レンズ３１００は、アクセサリの一種であって、レンズ側マイコン３１１０とレンズ側記憶部３１１５とレンズ側マウント部１２０とレンズ側接点群３１３０とを備える。カメラボディ３２００は、ボディ側マイコン３２１０とボディ側記憶部３２１５とボディ側マウント部２２０とボディ側接点群３２３０とを備える。なお、交換レンズ３１００とカメラボディ３２００は、図１２（ａ）および（ｂ）に図示した構成以外にも撮像素子等、多数の構成を有する。中間アダプタ３４００は、アクセサリの一種であって、前マウント部４１０と後マウント部４２０と前接点群３４３０と後接点群３４４０とアダプタ側マイコン３４５０とアダプタ記憶部３４５１とを備える。
【００７２】
中間アダプタ３４００の前マウント部４１０には、交換レンズ３１００のレンズ側マウント部１２０が着脱可能に装着される。中間アダプタ３４００の後マウント部４２０には、カメラボディ３２００のボディ側マウント部２２０が着脱可能に装着される。図１２（ａ）には、交換レンズ３１００のレンズ側マウント部１２０に中間アダプタ３４００の前マウント部４１０が装着され、カメラボディ３２００のボディ側マウント部２２０に中間アダプタ３４００の後マウント部４２０が装着された状態が図示されている。図１２（ｂ）には、交換レンズ３１００のレンズ側マウント部１２０にカメラボディ３２００のボディ側マウント部２２０が装着された状態が図示されている。
【００７３】
中間アダプタ３４００の前マウント部４１０にレンズ側マウント部１２０が装着されると、前接点群３４３０がレンズ側接点群３１３０に電気的に接続される。また、中間アダプタ３４００の後マウント部４２０にボディ側マウント部２２０が装着されると、後接点群３４４０がボディ側接点群３２３０に電気的に接続される。前接点群３４３０の各端子と後接点群４４０の各端子は、中間アダプタ３４００の内部で電気的に接続されている。そのため、レンズ側接点群３１３０とボディ側接点群３２３０とは、中間アダプタ３４００を介して電気的に接続されている。
【００７４】
レンズ側マイコン３１１０とボディ側マイコン３２１０は、レンズ側接点群３１３０とボディ側接点群３２３０とを用いて通信を行う。たとえば、レンズ側マイコン３１１０は、ボディ側マイコン３２１０へレンズ情報や手振れ補正処理中であることを表す信号などを送信する。一方、ボディ側マイコン３２１０は、フォーカスレンズ１４０の焦点位置に関する情報をレンズ側マイコン３１１０へ送信する。
【００７５】
レンズ側マイコン３１１０とボディ側マイコン３２１０は、複数の信号出力方式と複数の伝送方式とをそれぞれ切り替えながら通信を行う。複数の信号出力方式にはオープンドレインタイプとＣＭＯＳタイプとが含まれ、複数の伝送方式にはシングルエンド方式と差動伝送方式とが含まれる。
【００７６】
レンズ側記憶部３１１５は、フラッシュメモリなどの不揮発性の記憶媒体であって、レンズ側マイコン３１１０が交換レンズ３１００を制御する際に実行する制御プログラムやレンズ情報などが記憶されている。レンズ情報は、開放Ｆ値等のレンズに関する各種情報のほかに、交換レンズ３１００がレンズ側接点群３１３０を用いて実施可能な信号出力方式と伝送方式とに関する仕様情報が含まれる。
【００７７】
ボディ側記憶部３２１５は、フラッシュメモリなどの不揮発性の記憶媒体であって、ボディ側マイコン３２１０がカメラボディ２００を制御する際に実行する制御プログラムなどが記憶されている。また、ボディ側記憶部３２１５には、カメラボディ３２００がボディ側接点分３２３０を用いて実施可能な信号出力方式と伝送方式とに関する情報が含まれる。
【００７８】
アダプタ記憶部３４５１は、フラッシュメモリなどの不揮発性の記憶媒体であって、中間アダプタ３４００を装着したときに補正される光路長などの補正パラメータが記憶されている。
【００７９】
（ボディ側接点群３２３０とレンズ側接点群３１３０）
図１３は、ボディ側マウント部２２０の平面図を模式的に表した図である。カメラボディ３２００のボディ側マウント部２２０の近傍位置にはボディ側保持部３２３１が設けられており、このボディ側保持部３２３１にはボディ側接点群３２３０に含まれる１１個の端子が保持されている。図１３に示すように、ボディ側保持部３２３１に保持される１１個の端子を図中左からＢＢ端子、ＢＩ端子、ＢＣ端子、ＢＪ端子、ＢＤ端子、ＢＫ端子、ＢＥ端子、ＢＨ端子、ＢＡ端子、ＢＦ端子、ＢＧ端子と称する。
【００８０】
ＢＡ端子、ＢＦ端子、ＢＧ端子は電力供給用の端子であって、ＢＢ端子、ＢＣ端子、ＢＤ端子、ＢＥ端子、ＢＨ端子、ＢＩ端子、ＢＪ端子、およびＢＫ端子は通信用の端子である。ボディ側マイコン３２１０は、通信に用いる信号出力方式と伝送方式とに基づいて、通信用の各端子を用いて送受信する信号の種類と、通信用の各端子を用いて行う通信方式（たとえば、片方向通信、半二重通信）とを変更する。ボディ側マイコン３２１０によるこのような信号の種類と通信方式とに関する制御については、その詳細を後述する。
【００８１】
図１４は、レンズ側マウント部１２０の平面図を模式的に表した図である。交換レンズ３１００のレンズ側マウント部１２０の近傍位置にはレンズ側保持部３１３１が設けられており、このレンズ側保持部３１３１にはレンズ側接点群３１３０に含まれる１１個の端子が保持されている。図１４に示すように、レンズ側保持部３１３１は、ボディ側保持部３２３１に保持される１１個の端子にそれぞれ対応するＬＢ端子、ＬＩ端子、ＬＣ端子、ＬＪ端子、ＬＤ端子、ＬＫ端子、ＬＥ端子、ＬＨ端子、ＬＡ端子、ＬＦ端子、ＬＧ端子を保持する。
【００８２】
（前接点群３４３０と後接点群３４４０）
図１５は、中間アダプタ３４００の前マウント部４１０の平面図を模式的に表した図である。中間アダプタ３４００の前マウント部４１０の近傍位置には、前接点群３４３０に含まれる１１個の端子が保持される前保持部３４３１が設けられている。前保持部３４３１は、図１５に示すように、ＦＢ端子、ＦＩ端子、ＦＣ端子、ＦＪ端子、ＦＤ端子、ＦＫ端子、ＦＥ端子、ＦＨ端子、ＦＡ端子、ＦＦ端子、ＦＧ端子を有している。
【００８３】
図１６は、中間アダプタ３４００の後マウント部４２０の平面図を模式的に表した図である。中間アダプタ３４００の後マウント部４２０の近傍位置には、後接点群３４４０に含まれる１１個の端子が保持される後保持部３４４１が設けられている。後保持部３４４１は、図１６に示すように、ＲＢ端子、ＲＩ端子、ＲＣ端子、ＲＪ端子、ＲＤ端子、ＲＫ端子、ＲＥ端子、ＲＨ端子、ＲＡ端子、ＲＦ端子、ＲＧ端子を有している。
【００８４】
（レンズ側マイコン３１１０とボディ側マイコン３２１０との電気的な接続について）
図１７は、交換レンズ３１００とカメラボディ３２００と中間アダプタ３４００の通信に関係する構成とそれらの電気的な接続を示す図である。
図１７には、カメラボディ３２００の構成のうち、ボディ側マイコン３２１０とボディ側接点群３２３０とＤＣ／ＤＣコンバータ３２５０とバッテリ２４０とが図示されている。ボディ側マイコン３２１０は、通信制御回路３２１１ａ〜ｄを内蔵している。
【００８５】
通信制御回路３２１１ａ〜ｄは、ボディ側マイコン３２１０の制御に基づいて通信を実行するための回路である。通信制御回路３２１１ａは、ボディ側接点群３２３０のＢＢ端子とＢＩ端子が接続されており、ＢＢ端子とＢＩ端子とを用いた通信を実行する。同様に、通信制御回路３２１１ｂにはボディ側接点群３２３０のＢＣ端子とＢＪ端子が接続され、通信制御回路３２１１ｃにはボディ側接点群３２３０のＢＤ端子とＢＫ端子が接続され、通信制御回路３２１１ｄにはボディ側接点群３２３０のＢＥ端子とＢＨ端子が接続されている。これらの通信制御回路３２１１ｂ〜ｄは、各々に接続されている各端子を用いた通信をそれぞれ実行する。
【００８６】
ボディ側接点群３２３０のＢＡ端子、ＢＦ端子、ＢＧ端子は、ＤＣ／ＤＣコンバータ３２５０に接続されている。ＤＣ／ＤＣコンバータ３２５０は、バッテリ２４０の出力電圧を変圧して、マイコン等への入力電圧Ｖ１とフォーカスレンズ駆動部１４１等の駆動系への入力電圧Ｖ２とを生成する。
【００８７】
マイコン等への入力電圧Ｖ１は、ボディ側マイコン３２１０などへ印加されると共に、ボディ側保持部３２３１のＢＡ端子を介して中間アダプタ３４００や交換レンズ３１００へ出力される。
【００８８】
駆動系への入力電圧Ｖ２はボディ側保持部３２３１のＢＦ端子を介して中間アダプタ３４００や交換レンズ３１００へ出力される。ＢＧ端子は、ＢＦ端子と対を成す接地端子としてＤＣ／ＤＣコンバータ３２５０に接続されている。
【００８９】
交換レンズ３１００については、フォーカスレンズ駆動部１４１とレンズ側マイコン３１１０とレンズ側接点群３１３０とＤＣ／ＤＣコンバータ３１５０とが図１７に図示されている。レンズ側マイコン３１１０は、通信制御回路３１１１ａ〜ｄを内蔵している。
【００９０】
通信制御回路３１１１ａ〜ｄは、レンズ側マイコン３１１０の制御に基づいて通信を実行するための回路である。通信制御回路３１１１ａは、レンズ側接点群３１３０のＬＢ端子とＬＩ端子が接続されており、ＬＢ端子とＬＩ端子とを用いた通信を実行する。同様に、通信制御回路３１１１ｂにはレンズ側接点群３１３０のＬＣ端子とＬＪ端子が接続され、通信制御回路３１１１ｃにはレンズ側接点群３１３０のＬＤ端子とＬＫ端子が接続され、通信制御回路３１１１ｄにはレンズ側接点群３１３０のＬＥ端子とＬＨ端子が接続されている。これらの通信制御回路３１１１ｂ〜ｄは、各々に接続されている各端子を用いた通信をそれぞれ実行する。
【００９１】
レンズ側接点群３１３０のＬＡ端子、ＬＦ端子、ＬＧ端子は、ＤＣ／ＤＣコンバータ３１５０に接続されている。ＤＣ／ＤＣコンバータ３１５０は、ＬＡ端子を介して入力された入力電圧をレンズ側マイコン３１１０へ印加する。また、ＤＣ／ＤＣコンバータ３１５０は、ＬＦ端子およびＬＧ端子を介して供給された電力をフォーカスレンズ駆動部１４１等の駆動系へ供給する。
【００９２】
中間アダプタ３４００については、前接点群３４３０と後接点群３４４０とアダプタ側マイコン３４５０と信号制御回路３４５１ａおよび３４５１ｂが図１７に示されている。前接点群３４３０のＦＡ端子は、後接点群３４４０のＲＡ端子に接続されている。同様に前接点群３４３０のＦＢ〜ＦＫ端子は、後接点群３４４０のＲＢ〜ＲＫ端子に接続されている。信号制御回路３４５１ａはＦＩ−ＲＩ端子間に接続されており、信号制御回路３４５１ｂはＦＪ−ＲＪ端子間に接続されている。
【００９３】
信号制御回路３４５１ａはＦＩ端子を介してレンズ側マイコン３１１０との間で通信を行い、信号制御回路３４５１ｂはＦＪ端子を介してレンズ側マイコン３１１０との間で通信を行う。信号制御回路３４５１ａおよび信号制御回路３４５１ｂは、信号出力方式がオープンドレインタイプであって、伝送方式がシングルエンド方式である通信に対応している。
【００９４】
（通信制御回路３１１１ａ〜ｄおよび通信制御回路３２１１ａ〜ｄ）
図１８は、通信制御回路３１１１ａの回路図の一例である。通信制御回路３１１１ｂ〜ｄと通信制御回路３２１１ａ〜ｄの回路も図１８に示す回路と同様の回路を有する。図１８に示すように、通信制御回路３１１１ａは、ＮＯＴ素子Ｘ１〜Ｘ４、ＮＡＮＤ素子Ｘ５およびＸ６、ＮＯＲ素子Ｘ７およびＸ８、ＡＮＤ素子Ｘ９およびＸ１０、ＯＲ素子Ｘ１１、バッファ回路Ｘ１２およびＸ１３、オペアンプＰ１、ｐチャネル型の金属酸化物半導体型電界効果トランジスタ（ＭＯＳＦＥＴ）Ｑ１〜Ｑ４、ｎチャネル型の金属酸化物半導体型電界効果トランジスタ（ＭＯＳＦＥＴ）Ｑ５およびＱ６、抵抗器Ｒ１およびＲ２を備える。以降、金属酸化物半導体型電界効果トランジスタのことを単に電界効果トランジスタと記載する。
【００９５】
通信制御回路３１１１ａには、Ｐｕｌｌ−ｕｐ  Ｅｎａｂｌｅ１、Ｐｕｌｌ−ｕｐ  Ｅｎａｂｌｅ２、Ｓｅｎｄ  ＤＡＴＡ１、Ｓｅｎｄ  ＤＡＴＡ２、Ｏｕｔｐｕｔ  Ｄｉｓａｂｌｅ１、Ｏｕｔｐｕｔ  Ｄｉｓａｂｌｅ２、Ｓｅｎｄ  ＤＡＴＡ  ＳＷとそれぞれ呼称される入力パラメータがレンズ側マイコン３１１０から入力される。各入力パラメータは、ＬレベルとＨレベルのいずれかの値を取る。Ｌレベルとは、真理値Ｆａｌｓｅ（偽、０）に対応する信号レベルであって、たとえば０．８Ｖ以下の信号電圧である。Ｈレベルとは、真理値Ｔｒｕｅ（真、１）に対応する信号レベルであって、たとえば電源電圧Ｖｄｄの約０．５倍以上の信号電圧である。
【００９６】
なお、これらの入力パラメータは通信制御回路３１１１ａ〜ｄの各々に対して一つずつ設けられており、レンズ側マイコン３１１０は通信制御回路３１１１ａ〜ｄの各々を個別に制御することができる。通信制御回路３２１１ａ〜ｄの各々に対しても同様に上記の入力パラメータが一つずつ設けられており、ボディ側マイコン３２１０は通信制御回路３２１１ａ〜ｄの各々を個別に制御することができる。
【００９７】
通信制御回路３１１１ａは、レンズ側接点群３１３０のＬＢ端子に接続される接続端子ＩＮ／ＯＵＴ１と、レンズ側接点群３１３０のＬＩ端子に接続される接続端子ＩＮ／ＯＵＴ２とを有する。接続端子ＩＮ／ＯＵＴ１は、レンズ側マイコン３１１０がＬＢ端子を介して信号を送信する場合は出力端子として用いられ、レンズ側マイコン３１１０がＬＢ端子を介して信号を受信する場合は入力端子として用いられる。不図示の通信制御回路３１１１ｂ〜ｄについても同様に接続端子ＩＮ／ＯＵＴ１と接続端子ＩＮ／ＯＵＴ２とを有し、レンズ側接点群３１３０の各端子に接続されている。たとえば、通信制御回路３１１１ｂの場合、接続端子ＩＮ／ＯＵＴ１がレンズ側接点群３１３０のＬＣ端子に接続され、接続端子ＩＮ／ＯＵＴ２がレンズ側接点群３１３０のＬＪ端子に接続される。
【００９８】
なお、不図示の通信制御回路３２１１ａも同様に接続端子ＩＮ／ＯＵＴ１と接続端子ＩＮ／ＯＵＴ２とを有し、接続端子ＩＮ／ＯＵＴ１がボディ側接点群３２３０のＢＢ端子に接続され、接続端子ＩＮ／ＯＵＴ２がボディ側接点群３２３０のＢＩ端子に接続されている。不図示の通信制御回路３２１１ｂ〜ｄについても同様に接続端子ＩＮ／ＯＵＴ１と接続端子ＩＮ／ＯＵＴ２とを有し、図１７で示したように、ボディ側接点群３２３０の各端子に接続されている。
【００９９】
Ｒｅｃｅｉｖｅ  ＤＡＴＡ１、Ｒｅｃｅｉｖｅ  ＤＡＴＡ２、Ｒｅｃｅｉｖｅ  ＤＡＴＡ３は、通信制御回路３１１１ａが接続端子ＩＮ／ＯＵＴ１や接続端子ＩＮ／ＯＵＴ２を介して受信した信号である。なお、通信制御回路３１１１ｂ〜ｄ、通信制御回路３２１１ａ〜ｄも、同様に、Ｒｅｃｅｉｖｅ  ＤＡＴＡ１、Ｒｅｃｅｉｖｅ  ＤＡＴＡ２、Ｒｅｃｅｉｖｅ  ＤＡＴＡ３を有する。
【０１００】
入力パラメータＰｕｌｌ−ｕｐ  Ｅｎａｂｌｅ１は、電界効果トランジスタＱ３のゲートへ入力される。入力パラメータＰｕｌｌ−ｕｐ  Ｅｎａｂｌｅ１がＬレベルのとき、電界効果トランジスタＱ３がオン状態となり、入力パラメータＰｕｌｌ−ｕｐ  Ｅｎａｂｌｅ１がＨレベルのとき電界効果トランジスタＱ３がオフ状態となる。
入力パラメータＳｅｎｄ  ＤＡＴＡ１は、ＮＯＴ素子Ｘ２とＮＡＮＤ素子Ｘ５とＮＯＲ素子Ｘ７へ入力される。
入力パラメータＯｕｔｐｕｔ  Ｄｉｓａｂｌｅ１は、ＮＯＴ素子Ｘ１とＮＯＲ素子Ｘ７へ入力される。
【０１０１】
入力パラメータＰｕｌｌ−ｕｐ  Ｅｎａｂｌｅ２は、電界効果トランジスタＱ６のゲートへ入力される。入力パラメータＰｕｌｌ−ｕｐ  Ｅｎａｂｌｅ２がＬレベルのとき電界効果トランジスタＱ６がオン状態となり、入力パラメータＰｕｌｌ−ｕｐ  Ｅｎａｂｌｅ２がＨレベルのとき電界効果トランジスタＱ６がオフ状態となる。
入力パラメータＳｅｎｄ  ＤＡＴＡ２は、ＡＮＤ素子Ｘ９へ入力される。
入力パラメータＯｕｔｐｕｔ  Ｄｉｓａｂｌｅ２は、ＮＯＴ素子Ｘ４とＮＯＲ素子Ｘ８へ入力される。
【０１０２】
入力パラメータＳｅｎｄ  ＤＡＴＡ  ＳＷは、ＮＯＴ素子Ｘ３とＡＮＤ素子Ｘ１０へ入力される。入力パラメータＳｅｎｄ  ＤＡＴＡ  ＳＷは、信号制御回路３１１１ａが差動伝送方式による信号出力を開始するときにＨレベルに設定される。
【０１０３】
ＮＯＴ素子Ｘ１は、入力パラメータＯｕｔｐｕｔ  Ｄｉｓａｂｌｅ１を反転（論理否定）させた値をＮＡＮＤ素子Ｘ５へ出力する。
ＮＯＴ素子Ｘ２は、入力パラメータＳｅｎｄ  ＤＡＴＡ１を反転（論理否定）させた値をＡＮＤ素子Ｘ１０へ出力する。
ＮＯＴ素子Ｘ３は、入力パラメータＳｅｎｄ  ＤＡＴＡ  ＳＷを反転（論理否定）させた値をＡＮＤ素子Ｘ９へ出力する。
ＮＯＴ素子Ｘ４は、入力パラメータＯｕｔｐｕｔ  Ｄｉｓａｂｌｅ２を反転（論理否定）させた値をＮＡＮＤ素子Ｘ６へ出力する。
【０１０４】
ＮＡＮＤ素子Ｘ５は、入力パラメータＳｅｎｄ  ＤＡＴＡ１とＮＯＴ素子Ｘ１の演算結果とを入力として否定論理積を演算する。演算結果は、電界効果トランジスタＱ１のゲートへ出力される。
ＮＡＮＤ素子Ｘ６は、ＯＲ素子Ｘ１１による論理和の演算結果とＮＯＴ素子Ｘ４による論理否定の演算結果とを入力として否定論理積を演算する。演算結果は、電界効果トランジスタＱ４のゲートへ出力される。
【０１０５】
ＮＯＲ素子Ｘ７は、入力パラメータＳｅｎｄ  ＤＡＴＡ１と入力パラメータＯｕｔｐｕｔ  Ｄｉｓａｂｌｅ１とを入力として否定論理和を演算する。演算結果は、電界効果トランジスタＱ２へ出力される。
ＮＯＲ素子Ｘ８は、ＯＲ素子Ｘ１１による論理和の演算結果と入力パラメータＯｕｔｐｕｔ  Ｄｉｓａｂｌｅ２とを入力として否定論理和を演算する。演算結果は、電界効果トランジスタＱ５へ出力される。
【０１０６】
ＡＮＤ素子Ｘ９は、入力パラメータＳｅｎｄ  ＤＡＴＡ２とＮＯＴ素子Ｘ３の論理否定の演算結果とを入力として論理積を演算する。演算結果は、ＯＲ素子Ｘ１１へ出力される。
ＡＮＤ素子Ｘ１０は、入力パラメータＳｅｎｄ  ＤＡＴＡ  ＳＷとＮＯＴ素子Ｘ２の論理否定の演算結果とを入力として論理積を演算する。演算結果は、ＯＲ素子Ｘ１１へ出力される。
ＯＲ素子Ｘ１１は、ＡＮＤ素子Ｘ９の演算結果とＡＮＤ素子Ｘ１０の演算結果とを入力として論理和を演算する。演算結果は、ＮＡＮＤ素子Ｘ６とＮＯＲ素子Ｘ８とへ出力される。
【０１０７】
バッファ回路Ｘ１２は、接続端子ＩＮ／ＯＵＴ１を介して入力されたデータを、Ｒｅｃｅｉｖｅ  ＤＡＴＡ１へ出力すると共に、オペアンプＰ１へ非反転入力（＋）として入力する。
バッファ回路Ｘ１３は、接続端子ＩＮ／ＯＵＴ２を介して入力されたデータを、Ｒｅｃｅｉｖｅ  ＤＡＴＡ２へ出力すると共に、オペアンプＰ１へ反転入力（−）として入力する。
【０１０８】
電界効果トランジスタＱ１は、そのドレインが電源電圧Ｖｄｄに接続されており、ソースが接続端子ＩＮ／ＯＵＴ１に接続されている。電界効果トランジスタＱ１のゲートにはＮＡＮＤ素子Ｘ５から否定論理積の演算結果が入力され、電界効果トランジスタＱ１は電源電圧Ｖｄｄと接続端子ＩＮ／ＯＵＴ１との間のスイッチング動作を行う。
【０１０９】
電界効果トランジスタＱ２は、そのドレインが電源電圧Ｖｄｄに接続されており、ソースが抵抗器Ｒ１を介して接続端子ＩＮ／ＯＵＴ１に接続されている。電界効果トランジスタＱ２のゲートには入力パラメータＰｕｌｌ−ｕｐ  Ｅｎａｂｌｅ１が入力され、電界効果トランジスタＱ２は電源電圧Ｖｄｄと接続端子ＩＮ／ＯＵＴ１との間のスイッチング動作を行う。電界効果トランジスタＱ２がオン状態となると、接続端子ＩＮ／ＯＵＴ１がプルアップされる。このとき、抵抗器Ｒ１はプルアップ抵抗として用いられる。
【０１１０】
電界効果トランジスタＱ３は、そのドレインが電源電圧Ｖｄｄに接続されており、ソースが接続端子ＩＮ／ＯＵＴ２に接続されている。電界効果トランジスタＱ３のゲートにはＮＡＮＤ素子Ｘ６から否定論理積の演算結果が入力され、電界効果トランジスタＱ３は電源電圧Ｖｄｄと接続端子ＩＮ／ＯＵＴ２との間のスイッチング動作を行う。
【０１１１】
電界効果トランジスタＱ４は、そのドレインが電源電圧Ｖｄｄに接続されており、ソースが抵抗器Ｒ２を介して接続端子ＩＮ／ＯＵＴ２に接続されている。電界効果トランジスタＱ４のゲートには入力パラメータＰｕｌｌ−ｕｐ  Ｅｎａｂｌｅ２が入力され、電界効果トランジスタＱ４は電源電圧Ｖｄｄと接続端子ＩＮ／ＯＵＴ２との間のスイッチング動作を行う。電界効果トランジスタＱ４がオン状態となると、接続端子ＩＮ／ＯＵＴ２がプルアップされる。このとき、抵抗器Ｒ２はプルアップ抵抗として用いられる。
【０１１２】
電界効果トランジスタＱ５は、そのドレインが接続端子ＩＮ／ＯＵＴ２に接続されており、ソースが接地されている。電界効果トランジスタＱ５のゲートにはＮＯＲ素子Ｘ７から否定論理和の演算結果が入力される。電界効果トランジスタＱ５がオン状態となると、接続端子ＩＮ／ＯＵＴ１が電界効果トランジスタＱ５を介してプルダウンされる。
【０１１３】
電界効果トランジスタＱ６は、そのドレインが接続端子ＩＮ／ＯＵＴ２に接続されており、ソースが接地されている。電界効果トランジスタＱ６のゲートにはＮＯＲ素子Ｘ８から否定論理和の演算結果が入力される。電界効果トランジスタＱ６がオン状態となると、接続端子ＩＮ／ＯＵＴ２が電界効果トランジスタＱ６を介してプルダウンされる。
【０１１４】
抵抗器Ｒ１は、電界効果トランジスタＱ２がオン状態である場合に、電界効果トランジスタＱ５がオフ状態のときは接続端子ＩＮ／ＯＵＴ１の電位がＨレベルとなり、電界効果トランジスタＱ５がオン状態のときは接続端子ＩＮ／ＯＵＴ１の電位がＬレベルとなるように設定されている。
【０１１５】
抵抗器Ｒ２は、電界効果トランジスタＱ４がオン状態である場合に、電界効果トランジスタＱ６がオフ状態のときは接続端子ＩＮ／ＯＵＴ２の電位がＨレベルとなり、電界効果トランジスタＱ６がオン状態のときは接続端子ＩＮ／ＯＵＴ２の電位がＬレベルとなるように設定されている。
【０１１６】
オペアンプＰ１は、差動伝送の受信端に配置されるアンプとして用いられ、非反転入力にバッファ回路Ｘ１２の出力端子が接続されており、反転入力にバッファ回路Ｘ１３の出力端子が接続されている。オペアンプＰ１は、非反転入力から反転入力を減じた差を差動伝送で送信された信号Ｒｅｃｅｉｖｅ  ＤＡＴＡ３として出力する。
【０１１７】
（通信制御回路３１１１ａ〜ｄおよび通信制御回路３２１１ａ〜ｄによる通信制御）
レンズ側マイコン３１１０とボディ側マイコン３２１０とは、信号出力方式と伝送方式とを以下の通信パターン（１）〜（３）のように組み合わせた通信を実行する。
通信パターン（１）：オープンドレインタイプ，シングルエンド方式
通信パターン（２）ＣＭＯＳタイプ，シングルエンド方式
通信パターン（３）ＣＭＯＳタイプ，差動伝送方式
【０１１８】
図１９には、通信パターン（１）〜（３）の各々について、通信用の各端子間の伝送線路で行う信号の送受信が示されている。最初に、通信パターン（１）について説明する。
レンズ側接点群３１３０のＬＢ端子とボディ側接点群３２３０のＢＢ端子との間（ＬＢ−ＢＢ端子間）に形成される伝送線路では、レンズ側マイコン３１１０とボディ側マイコン３２１０との間でリードライト信号Ｒ／Ｗ３を送受信する半二重通信が行われる。
レンズ側接点群３１３０のＬＣ端子とボディ側接点群３２３０のＢＣ端子との間（ＬＣ−ＢＣ端子間）に形成される伝送線路では、ボディ側マイコン３２１０からレンズ側マイコン３１１０へクロックパルス信号ＣＬＫ３を送信する片方向通信が行われる。
レンズ側接点群３１３０のＬＤ端子とボディ側接点群３２３０のＢＤ端子との間（ＬＤ−ＢＤ端子間）に形成される伝送線路では、レンズ側マイコン３１１０とボディ側マイコン３２１０との間でデータ信号ＤＡＴＡ３を送受信する半二重通信が行われる。データ信号ＤＡＴＡ３には、各種のコマンド、それらのコマンドに対する応答、レンズ情報などが含まれる。
【０１１９】
レンズ側マイコン３１１０がデータ信号ＤＡＴＡ３を出力する際、ＬＢ−ＢＢ端子間へＬレベルのリードライト信号Ｒ／Ｗ３を送信した後、ＬＤ−ＢＤ端子間へデータ信号ＤＡＴＡ３を出力する。このとき、ボディ側マイコン３２１０は、データ信号ＤＡＴＡ３を受信する。
ボディ側マイコン３１１０がデータ信号ＤＡＴＡ３を出力する際、ＬＢ−ＢＢ端子間へＨレベルのリードライト信号Ｒ／Ｗ３を送信した後、ＬＤ−ＢＤ端子間へデータ信号ＤＡＴＡ３を出力する。このとき、レンズ側マイコン３１１０は、データ信号ＤＡＴＡ３を受信する。
ＬＤ−ＢＤ端子間で送受信されるデータ信号ＤＡＴＡ３は、クロックパルス信号ＣＬＫ３に同期する。
【０１２０】
レンズ側接点群３１３０のＬＥ端子とボディ側接点群３２３０のＢＥ端子との間（ＬＥ−ＢＥ端子間）に形成される伝送線路では、ＬＥ端子からＢＥ端子へフォーカスレンズ１４０の状態を示すパルス信号がリアルタイムに出力される。レンズ側接点群３１３０のＬＨ端子とボディ側接点群３２３０のＢＨ端子との間（ＬＨ−ＢＨ端子間）に形成される伝送線路も、ＬＥ−ＢＥ端子間と同様である。
【０１２１】
通信パターン（１）では、レンズ側マイコン３１１０は、ＬＩ端子とＬＪ端子とをアダプタ側マイコン３４５０との通信に用いる。レンズ側マイコン３１１０は、レンズ側接点群３１３０のＬＩ端子から中間アダプタ３４３０へクロックパルス信号ＣＬＫ４を片方向通信で送信する。また、レンズ側マイコン３１１０は、レンズ側接点群３１３０のＬＪ端子を介して、中間アダプタ３４３０との間でデータ信号ＤＡＴＡ４を送受信する半二重通信を行う。
【０１２２】
通信パターン（１）では、レンズ側マイコン３１１０とボディ側マイコン３２１０は、レンズ側接点群３１３０のＬＫ端子とボディ側接点群３２３０のＢＫ端子との間（ＬＫ−ＢＫ端子間）で信号の送受信を行わない。
【０１２３】
図１８と図２０と図２１と図２２とを参照しながら、通信パターン（１）の通信を行う場合にレンズ側マイコン３１１０とボディ側マイコン３２１０とが行う制御について説明する。図２０では、通信パターン（１）の通信を行う場合における信号制御回路３１１１ａ〜ｄの設定を示す。図２１では、通信パターン（１）の通信を行う場合における信号制御回路３２１１ａ〜ｄの設定を示す。なお、図２０および図２１に示す制御例では、レンズ側マイコン３１１０とボディ側マイコン３２１０との間の半二重通信についてはボディ側マイコン３２１０が送信側であるものとしている。また、レンズ側マイコン３１１０とアダプタ側マイコン３４５０との間の半二重通信についてはレンズ側マイコン３１１０が送信側であるものとしている。
【０１２４】
図２２には、レンズ側マイコン３１１０とボディ側マイコン３２１０との間の半二重通信において、レンズ側マイコン３１１０が送信側である場合におけるレンズ側マイコン３１１０の信号制御回路３１１１ａおよび３１１１ｃの設定が示されている。また、図２２には、レンズ側マイコン３１１０とボディ側マイコン３２１０との間の半二重通信において、レンズ側マイコン３１１０が送信側である場合におけるボディ側マイコン３２１０の信号制御回路３２１１ａおよび３２１１ｃの設定も示されている。さらに、図２２には、レンズ側マイコン３１１０とアダプタ側マイコン３４５０との間の半二重通信においてレンズ側マイコン３１１０が受信側である場合におけるレンズ側マイコン３１１０の信号制御回路３１１１ｂの設定も示されている。
【０１２５】
なお、図２０、図２１、図２２に記載されているＮＣとは、Ｎｏ  Ｃａｒｅの略称であって、入力信号がＬレベルであってもＨレベルであってもよいことを表す。また、“Ｄｏｎ‘ｔ  Ｃａｒｅ”という記載は、マイコンへの出力信号のうち、マイコンの動作に影響を与えない出力信号であることを表す。これらの定義は、図２３以降の図面でも同様である。
【０１２６】
図２０に示されるように、レンズ側マイコン３１１０は、信号制御回路３１１１ａ〜ｄの各々に対して、入力パラメータＰｕｌｌ−ｕｐ  Ｅｎａｂｌｅ１をＬレベルに設定する。そのため、図１８に示す電界効果トランジスタＱ２がオン状態となり、接続端子ＩＮ／ＯＵＴ１がプルアップされる。
【０１２７】
レンズ側マイコン３１１０は、信号制御回路３１１１ａ〜ｃの各々に対して、入力パラメータＯｕｔｐｕｔ  Ｄｉｓａｂｌｅ１をＨレベルに設定する。そのため、信号制御回路３１１１ａ〜ｃの各々では、ＮＯＲ素子Ｘ７から電界効果トランジスタＱ５のゲートへＬレベルの出力信号が出力されて、電界効果トランジスタＱ５がオフ状態となる。
また、信号制御回路３１１１ａ〜ｃの各々では、ＮＯＴ素子Ｘ１の出力がＬレベルとなって、ＮＡＮＤ素子Ｘ５から電界効果トランジスタＱ１のゲートへＨレベルの出力信号が出力されて、電界効果トランジスタＱ１がオフ状態となる。
すなわち、レンズ側マイコン３１１０は、信号制御回路３１１１ａ〜ｃの各々に対して、電界効果トランジスタＱ１とＱ５とが共にオフ状態となるように設定する。
【０１２８】
レンズ側マイコン３１１０は、これら信号制御回路３１１１ａ〜ｃの各々の接続端子ＩＮ／ＯＵＴ１を受信用の端子として用いる。信号制御回路３１１１ａ〜ｃの接続端子ＩＮ／ＯＵＴ１の電位がＨレベルのとき、信号制御回路３１１１ａ〜ｃのバッファ回路Ｘ１２の出力はＨレベルとなって、レンズ側マイコン３１１０はＲｅｃｅｉｖｅ  ＤＡＴＡ１としてＨレベルの信号を受信する。信号制御回路３１１１ａ〜ｃの各々の接続端子ＩＮ／ＯＵＴ１の電位がＬレベルのとき、バッファ回路Ｘ１２の出力はＬレベルとなって、レンズ側マイコン３１１０はＲｅｃｅｉｖｅ  ＤＡＴＡ１としてＬレベルの信号を受信する。レンズ側マイコン３１１０は、信号制御回路３１１１ａ〜ｃからＲｅｃｅｉｖｅ  ＤＡＴＡ１としてリードライト信号Ｒ／Ｗ３、クロックパルス信号ＣＬＫ３、データ信号ＤＡＴＡ３を受信する。
【０１２９】
一方、信号制御回路３１１１ｄに対して、レンズ側マイコン３１１０は、入力パラメータＳｅｎｄ  ＤＡＴＡ１をＬレベルに設定する。そのため、信号制御回路３１１１ｄでは、ＮＡＮＤ素子Ｘ５から電界効果トランジスタＱ１のゲートへＨレベルの出力信号が出力されて、電界効果トランジスタＱ１がオフ状態となる。
【０１３０】
そして、レンズ側マイコン３１１０は、信号制御回路３１１１ｄに対して、フォーカスレンズ１４０の状態を示すパルス信号を入力パラメータＯｕｔｐｕｔ  Ｄｉｓａｂｌｅ１として出力する。信号制御回路３１１１ｄでは、ＮＯＲ素子Ｘ７において、そのパルス信号と、入力パラメータＳｅｎｄ  ＤＡＴＡ１として入力されたＬレベルの信号とを入力とする否定論理和演算が行われる。その結果、信号制御回路３１１１ｂでは、ＮＯＲ素子Ｘ７から電界効果トランジスタＱ５のゲートへパルス信号の反転信号が出力される。
【０１３１】
入力パラメータＯｕｔｐｕｔ  Ｄｉｓａｂｌｅ１、すなわちパルス信号がＨレベルの場合、信号制御回路３１１１ｄの電界効果トランジスタＱ５がオフ状態となる。この場合、信号制御回路３１１１ｄの接続端子ＩＮ／ＯＵＴ１がプルアップされることにより、その接続端子ＩＮ／ＯＵＴ１の信号レベルがパルス信号と同じくＨレベルとなる。また、信号制御回路３１１１ｄのバッファ回路Ｘ１２の出力もＨレベルとなって、レンズ側マイコン３１１０は信号制御回路３１１１ｄからＲｅｃｅｉｖｉｎｇ  ＤＡＴＡ１としてＨレベルの信号を受信する。
【０１３２】
入力パラメータＯｕｔｐｕｔ  Ｄｉｓａｂｌｅ１、すなわちパルス信号がＬレベルの場合、信号制御回路３１１１ｄの電界効果トランジスタＱ５がオン状態となる。この場合、信号制御回路３１１１ｄの接続端子ＩＮ／ＯＵＴ１がプルダウンされることにより、その接続端子ＩＮ／ＯＵＴ１の信号レベルがパルス信号と同じくＬレベルとなる。また、信号制御回路３１１１ｄのバッファ回路Ｘ１２の出力もＬレベルとなって、レンズ側マイコン３１１０は信号制御回路３１１１ｄからＲｅｃｅｉｖｉｎｇ  ＤＡＴＡ１としてＬレベルの信号を受信する。
【０１３３】
換言すると、レンズ側マイコン３１１０は、信号制御回路３１１１ｄの接続端子ＩＮ／ＯＵＴ１に向けてオープンドレインタイプの信号出力が行われるように、信号制御回路３１１１ｄに対して入力パラメータＰｕｌｌ−ｕｐ  Ｅｎａｂｌｅ１とＳｅｎｄ  ＤＡＴＡ１とをＬレベルに設定する。そして、レンズ側マイコン３１１０は、信号制御回路３１１１ｄに対してパルス信号を入力パラメータＯｕｔｐｕｔ  Ｄｉｓａｂｌｅ１として入力して、接続端子ＩＮ／ＯＵＴ１からオープンドレインタイプの信号出力方式でパルス信号をＬＥ端子へ出力する。パルス信号は、ＬＥ−ＢＥ端子間の伝送線路を介してボディ側マイコン３２１０へ送信されると共に、信号制御回路３１１１ｄのバッファ回路Ｘ１２を介してレンズ側マイコン３１１０に再入力される。
【０１３４】
レンズ側マイコン３１１０は、信号制御回路３１１１ａ〜ｄに対して、入力パラメータＰｕｌｌ−ｕｐ  Ｅｎａｂｌｅ２をＬレベルに設定する。そのため、信号制御回路３１１１ａ〜ｄの各々に内蔵される電界効果トランジスタＱ４がオン状態となり、接続端子ＩＮ／ＯＵＴ２がプルアップされる。
【０１３５】
レンズ側マイコン３１１０は、信号制御回路３１１１ａ、３１１１ｂ、３１１１ｄの各々に対して、入力パラメータＳｅｎｄ  ＤＡＴＡ２とＳｅｎｄ  ＤＡＴＡ  ＳＷとを共にＬレベルに設定する。そのため、信号制御回路３１１１ａ、３１１１ｂ、３１１１ｄの各々では、ＡＮＤ素子Ｘ９およびＸ１０の出力が共にＬレベルとなって、ＯＲ素子Ｘ１１の出力がＬレベルとなる。そして、信号制御回路３１１１ａ、３１１１ｂ、３１１１ｄの各々では、ＮＡＮＤ素子Ｘ６から電界効果トランジスタＱ３のゲートへＨレベルの出力信号が出力されて、電界効果トランジスタＱ３がオフ状態となる。
【０１３６】
また、レンズ側マイコン３１１０は、信号制御回路３１１１ａ、３１１１ｂ、３１１１ｄの各々に対して、入力パラメータＯｕｔｐｕｔ  Ｄｉｓａｂｌｅ２としてクロックパルス信号ＣＬＫ４、データ信号ＤＡＴＡ４、パルス信号という出力信号を出力する。信号制御回路３１１１ａ、３１１１ｂ、３１１１ｄの各々では、ＮＯＲ素子Ｘ８において、ＯＲ素子Ｘ１１から入力されるＬレベルの信号と、入力パラメータＯｕｔｐｕｔ  Ｄｉｓａｂｌｅ２として出力されたそれらの信号とを入力とする否定論理和演算を行う。その結果、信号制御回路３１１１ａ、３１１１ｂ、３１１１ｄの各々では、入力パラメータＯｕｔｐｕｔ  Ｄｉｓａｂｌｅ２として入力された出力信号の反転信号がＮＯＲ素子Ｘ８から電界効果トランジスタＱ６のゲートへ出力される。
【０１３７】
信号制御回路３１１１ａ、３１１１ｂ、３１１１ｄでは、入力パラメータＯｕｔｐｕｔ  Ｄｉｓａｂｌｅ２として出力された信号がＨレベルのとき、電界効果トランジスタＱ６がオフ状態となる。この場合、各々の接続端子ＩＮ／ＯＵＴ２がプルアップされることにより、各々の接続端子ＩＮ／ＯＵＴ２の信号レベルがＨレベルとなり、入力パラメータＯｕｔｐｕｔ  Ｄｉｓａｂｌｅ２として出力された信号と同レベルとなる。また、信号制御回路３１１１ａ、３１１１ｂ、３１１１ｄの各々のバッファ回路Ｘ１３の出力もＨレベルとなって、レンズ側マイコン３１１０は信号制御回路３１１１ａ、３１１１ｂ、３１１１ｄの各々からＲｅｃｅｉｖｉｎｇ  ＤＡＴＡ２としてＨレベルの信号を受信する。
【０１３８】
信号制御回路３１１１ａ、３１１１ｂ、３１１１ｄでは、入力パラメータＯｕｔｐｕｔ  Ｄｉｓａｂｌｅ２として出力された信号がＬレベルのとき、電界効果トランジスタＱ６がオン状態となる。この場合、各々の接続端子ＩＮ／ＯＵＴ２がプルダウンされることにより、各々の接続端子ＩＮ／ＯＵＴ２の信号レベルがＬレベルとなり、入力パラメータＯｕｔｐｕｔ  Ｄｉｓａｂｌｅ２として出力された信号と同レベルとなる。また、信号制御回路３１１１ａ、３１１１ｂ、３１１１ｄの各々のバッファ回路Ｘ１３の出力もＬレベルとなって、レンズ側マイコン３１１０は信号制御回路３１１１ａ、３１１１ｂ、３１１１ｄの各々からＲｅｃｅｉｖｉｎｇ  ＤＡＴＡ２としてＬレベルの信号を受信する。
【０１３９】
換言すると、レンズ側マイコン３１１０は、信号制御回路３１１１ａ、３１１１ｂ、３１１１ｄに対して入力パラメータＰｕｌｌ−ｕｐ  Ｅｎａｂｌｅ２、Ｓｅｎｄ  ＤＡＴＡ２、およびＳｅｎｄ  ＤＡＴＡ  ＳＷをそれぞれＬレベルに設定することにより、各々の接続端子ＩＮ／ＯＵＴ２に向けてオープンドレインタイプの信号出力が行われるように信号制御回路３１１１ａ、３１１１ｂ、３１１１ｄを設定する。そして、レンズ側マイコン３１１０は、信号制御回路３１１１ａ、３１１１ｂ、３１１１ｄに対してクロックパルス信号ＣＬＫ４、データ信号ＤＡＴＡ４、パルス信号を入力パラメータＯｕｔｐｕｔ  Ｄｉｓａｂｌｅ２としてそれぞれ入力して、接続端子ＩＮ／ＯＵＴ２からオープンドレインタイプの信号出力方式でそれらの信号をＬＩ端子、ＬＪ端子、ＬＨ端子へそれぞれ出力する。クロックパルス信号ＣＬＫ４とデータ信号ＤＡＴＡ４は、ＬＩ端子、ＬＪ端子を介して、アダプタ側マイコン３４５０へ送信される。パルス信号は、ＬＨ−ＢＨ端子間の伝送線路を介してボディ側マイコン３２１０へ送信される。また、クロックパルス信号ＣＬＫ４とデータ信号ＤＡＴＡ４とパルス信号は、信号制御回路３１１１ａ、３１１１ｂ、３１１１ｄの各々のバッファ回路Ｘ１３を介してレンズ側マイコン３１１０へ再入力される。
【０１４０】
レンズ側マイコン３１１０は、信号制御回路３１１１ｃに対して、入力パラメータＯｕｔｐｕｔ  Ｄｉｓａｂｌｅ２をＨレベルに設定する。そのため、信号制御回路３１１１ｃでは、ＮＯＲ素子Ｘ８から電界効果トランジスタＱ６のゲートへＬレベルの出力信号が出力されて、電界効果トランジスタＱ６がオフ状態となる。
また、信号制御回路３１１１ｃでは、ＮＯＴ素子Ｘ４の出力がＬレベルとなって、ＮＡＮＤ素子Ｘ６から電界効果トランジスタＱ３のゲートへＨレベルの出力信号が出力されて、電界効果トランジスタＱ３がオフ状態となる。
すなわち、レンズ側マイコン３１１０は、信号制御回路３１１１ｃに対して、電界効果トランジスタＱ６とＱ３とが共にオフ状態となるように設定する。その結果。信号制御回路３１１１ｃからはオープンドレインタイプの信号出力が行われない。
【０１４１】
図２１に示されるように、ボディ側マイコン３２１０は、信号制御回路３２１１ａ〜ｄの各々に対して、入力パラメータＰｕｌｌ−ｕｐ  Ｅｎａｂｌｅ１をＬレベルに設定する。そのため、信号制御回路３２１１ａ〜ｄの各々に内蔵される電界効果トランジスタＱ２がオン状態となり、接続端子ＩＮ／ＯＵＴ１がプルアップされる。
【０１４２】
ボディ側マイコン３２１０は、信号制御回路３２１１ａ〜ｃの各々に対して、入力パラメータＳｅｎｄ  ＤＡＴＡ１をＬレベルに設定する。そのため、信号制御回路３２１１ａ〜ｃの各々では、ＮＡＮＤ素子Ｘ５から電界効果トランジスタＱ１のゲートへＨレベルの出力信号が出力されて、電界効果トランジスタＱ１がオフ状態となる。
【０１４３】
ボディ側マイコン３２１０は、信号制御回路３２１１ａ〜ｃの各々に対して、入力パラメータＯｕｔｐｕｔ  Ｄｉｓａｂｌｅ１としてリードライト信号Ｒ／Ｗ３、クロックパルス信号ＣＬＫ３、データ信号ＤＡＴＡ３をそれぞれ出力する。信号制御回路３２１１ａ〜ｃの各々では、ＮＯＲ素子Ｘ７において、それらの信号と、入力パラメータＳｅｎｄ  ＤＡＴＡ１として入力されたＬレベルの信号とを入力とする否定論理和演算が行われる。その結果、信号制御回路３１１１ｂでは、入力パラメータＯｕｔｐｕｔ  Ｄｉｓａｂｌｅ１として入力された信号の反転信号がＮＯＲ素子Ｘ７から電界効果トランジスタＱ５のゲートへ出力される。
【０１４４】
ボディ側マイコン３２１０が信号制御回路３２１１ａ〜ｃの各々に対して入力パラメータＰｕｌｌ−ｕｐ  Ｅｎａｂｌｅ１とＳｅｎｄ  ＤＡＴＡ１とをＬレベルに設定することにより、信号制御回路３２１１ａ〜ｃの各々の接続端子ＩＮ／ＯＵＴ１に向けてオープンドレインタイプの信号出力が行われる。ボディ側マイコン３２１０は、信号制御回路３２１１ａ〜ｃの各々に対してリードライト信号Ｒ／Ｗ３、クロックパルス信号ＣＬＫ３、データ信号ＤＡＴＡ３をそれぞれ入力パラメータＯｕｔｐｕｔ  Ｄｉｓａｂｌｅ１として入力して、接続端子ＩＮ／ＯＵＴ１からオープンドレインタイプの信号出力方式でそれらの信号をＢＢ端子、ＢＣ端子、ＢＤ端子へ出力する。これらの信号は、ＬＢ−ＢＢ端子間、ＬＣ−ＢＣ端子間、ＬＤ−ＢＤ端子間の各伝送線路を介してレンズ側マイコン３１１０へ送信されて、信号制御回路３１１１ａ〜ｃの各々のＲｅｃｅｉｖｅ  ＤＡＴＡ１として受信される。また、信号制御回路３２１１ａ〜ｃの各々のバッファ回路Ｘ１２は、これらの信号をボディ側マイコン３２１０に向けて出力する。ボディ側マウント部３２１０は、これらの信号をＲｅｃｅｉｖｅ  ＤＡＴＡ１として受信する。
【０１４５】
ボディ側マイコン３２１０は、信号制御回路３２１１ｄに対して、入力パラメータＯｕｔｐｕｔ  Ｄｉｓａｂｌｅ１をＨレベルに設定する。そのため、信号制御回路３２１１ｄでは、ＮＯＲ素子Ｘ７から電界効果トランジスタＱ５のゲートへＬレベルの出力信号が出力されて、電界効果トランジスタＱ５がオフ状態となる。
また、信号制御回路３２１１ｄでは、ＮＯＴ素子Ｘ１の出力がＬレベルとなって、ＮＡＮＤ素子Ｘ５から電界効果トランジスタＱ１のゲートへＨレベルの出力信号が出力されて、電界効果トランジスタＱ１がオフ状態となる。
すなわち、ボディ側マイコン３２１０は、信号制御回路３２１１ｄに対して、電界効果トランジスタＱ１とＱ５とが共にオフ状態となるように設定する。
【０１４６】
ボディ側マイコン３２１０は、信号制御回路３２１１ｄの接続端子ＩＮ／ＯＵＴ１を受信用の端子として用いる。レンズ側マイコン３１１０がＬＥ−ＢＥ端子間の伝送線路に送信したパルス信号が信号制御回路３２１１ｄの接続端子ＩＮ／ＯＵＴ１に入力されると、信号制御回路３２１１ｄのバッファ回路Ｘ１２がパルス信号と同レベルの信号を出力する。ボディ側マイコン３２１０は、信号制御回路３２１１ｄのバッファ回路Ｘ１２が出力した信号をＲｅｃｅｉｖｅ  ＤＡＴＡ１として受信する。
【０１４７】
ボディ側マイコン３２１０は、信号制御回路３２１１ｃ、３２１１ｄの各々に対して、入力パラメータＰｕｌｌ−ｕｐ  Ｅｎａｂｌｅ２をＬレベルに設定する。そのため、信号制御回路３２１１ｃ、３２１１ｄの各々に内蔵される電界効果トランジスタＱ４がオン状態となり、接続端子ＩＮ／ＯＵＴ２がプルアップされる。
【０１４８】
ボディ側マイコン３２１０は、信号制御回路３２１１ａ〜ｄの各々に対して、入力パラメータＯｕｔｐｕｔ  Ｄｉｓａｂｌｅ２をＨレベルに設定する。そのため、信号制御回路３２１１ａ〜ｄの各々では、ＮＯＲ素子Ｘ８から電界効果トランジスタＱ６のゲートへＬレベルの出力信号が出力されて、電界効果トランジスタＱ６がオフ状態となる。
また、信号制御回路３２１１ａ〜ｄの各々では、ＮＯＴ素子Ｘ４の出力がＬレベルとなって、ＮＡＮＤ素子Ｘ６から電界効果トランジスタＱ３のゲートへＨレベルの出力信号が出力されて、電界効果トランジスタＱ３がオフ状態となる。
すなわち、ボディ側マイコン３２１０は、信号制御回路３２１１ａ〜ｄの各々に対して、電界効果トランジスタＱ６とＱ３とが共にオフ状態となるように設定する。その結果、信号制御回路３２１１ａ〜ｄの各々からオープンドレインタイプの信号出力が行われない。
【０１４９】
ボディ側マイコン３２１０は、信号制御回路３２１１ｄの接続端子ＩＮ／ＯＵＴ２も受信用の端子として用いる。レンズ側マイコン３１１０がＬＨ−ＢＨ端子間の伝送線路に送信したパルス信号が信号制御回路３２１１ｄの接続端子ＩＮ／ＯＵＴ２に入力されると、信号制御回路３２１１ｄのバッファ回路Ｘ１３がパルス信号と同レベルの信号を出力する。ボディ側マイコン３２１０は、信号制御回路３２１１ｄのバッファ回路Ｘ１３が出力した信号をＲｅｃｅｉｖｅ  ＤＡＴＡ２として受信する。
【０１５０】
図２２を参照して、レンズ側マイコン３１１０とボディ側マイコン３２１０との間の半二重通信においてレンズ側マイコン３１１０を送信側とした場合について説明する。
レンズ側マイコン３１１０を送信側とした場合、レンズ側マイコン３１１０は、図２０に示した信号制御回路３１１１ｄに対する制御と同様の制御を信号制御回路３１１１ａに対して行う。ただし、入力パラメータＯｕｔｐｕｔ  Ｄｉｓａｂｌｅ１、入力パラメータＯｕｔｐｕｔ  Ｄｉｓａｂｌｅ２として入力する信号は、パルス信号からリードライト信号Ｒ／Ｗ３とクロックパルス信号ＣＬＫ４にそれぞれ変更する。
また、レンズ側マイコン３１１０は、ボディ側マイコン３２１０が図２１に示した信号制御回路３２１１ｃに対する制御と同様の制御を信号制御回路３１１１ｃ対して行う。
ボディ側マイコン３２１０は、レンズ側マイコン３１１０が図２０に示した信号制御回路３１１１ｃに対する制御と同様の制御を信号制御回路３２１１ａおよび３２１１ｃに対して行う。ただし、信号制御回路３２１１ａについては、入力パラメータＯｕｔｐｕｔ  Ｄｉｓａｂｌｅ２として入力する信号は、データ信号ＤＡＴＡ３からリードライト信号Ｒ／Ｗ３に変更する。
【０１５１】
次に、図２２を参照して、レンズ側マイコン３１１０とアダプタ側マイコン３４５０との間の半二重通信においてレンズ側マイコン３１１０を受信側とした場合について説明する。
レンズ側マイコン３１１０を受信側とした場合、すなわちアダプタ側マイコン３４５０を送信側とした場合、レンズ側マイコン３１１０は、図２１に示した信号制御回路３２１１ｄに対する制御と同様の制御を信号制御回路３１１１ｂに対して行う。ただし、Ｒｅｃｅｉｖｅ  ＤＡＴＡ１とＲｅｃｅｉｖｅ  ＤＡＴＡ２として受信する信号は、クロックパルス信号ＣＬＫ３とデータ信号ＤＡＴＡ４にそれぞれ変更する。
【０１５２】
―通信パターン（２）―
図１９の説明に戻り、通信パターン（２）について説明する。通信パターン（２）では、信号出力方式をオープンドレインタイプからＣＭＯＳタイプに切り替えると共に、ＬＢ−ＢＢ端子間、ＬＤ−ＢＤ端子間、ＬＩ−ＢＩ端子間、ＬＪ−ＢＪ端子間で行う通信の通信方式を半二重通信から片方向通信に切り替える。具体的には、ＬＢ−ＢＢ端子間では、ボディ側マイコン３２１０がＢＢ端子からＬＢ端子への片方向通信によりリードライト信号Ｒ／Ｗ３を送信する。ＬＤ−ＢＤ端子間では、ボディ側マイコン３２１０がＢＤ端子からＬＤ端子への片方向通信によりデータ信号ＤＡＴＡ３を送信する。ＬＩ−ＢＩ端子間では、レンズ側マイコン３１１０がＬＩ端子からＢＩ端子への片方向通信によりリードライト信号Ｒ／Ｗ５を送信する。ＬＪ−ＢＪ端子間では、レンズ側マイコン３１１０がＬＪ端子からＢＪ端子への片方向通信によりデータ信号ＤＡＴＡ５を送信する。
【０１５３】
ボディ側マイコン３２１０は、ＢＤ端子からＬＤ端子へデータ信号ＤＡＴＡ３を出力するとき、ＢＢ端子へＬレベルのリードライト信号Ｒ／Ｗ３を出力した後に、データ信号ＤＡＴＡ３をＢＤ端子からＬＤ端子へ出力する。データ信号ＤＡＴＡ３は、ボディ側マイコン３２１０がＢＣ端子からＬＣ端子へ送信するクロックパルス信号ＣＬＫ３に同期する。
【０１５４】
レンズ側マイコン３１１０は、ＬＪ端子からＢＪ端子へデータ信号ＤＡＴＡ５を出力するとき、ＬＩ端子へＨレベルのリードライト信号Ｒ／Ｗ５を出力した後に、データ信号ＤＡＴＡ５をＬＪ端子からＢＪ端子へ出力する。データ信号ＤＡＴＡ５は、ボディ側マイコン３２１０がＢＣ端子からＬＣ端子へ送信するクロックパルス信号ＣＬＫ３に同期する。
【０１５５】
なお、中間アダプタ３４００のアダプタ側マイコン３４５０は、誤動作を予防するため、ＬＩ−ＢＩ端子間への接続とＬＪ−ＢＪ端子間への接続とを遮断する（切断、オープン、開放、Ｈｉ−Ｚ状態にする）。
【０１５６】
図１８と図２３と図２４とを参照しながら、通信パターン（２）の通信を行う場合にレンズ側マイコン３１１０とボディ側マイコン３２１０とが行う制御について説明する。図２３は、通信パターン（２）の通信を行う場合における信号制御回路３１１１ａ〜ｄの設定を示す。図２４は、通信パターン（２）の通信を行う場合における信号制御回路３２１１ａ〜ｄの設定を示す。
【０１５７】
（２．１）信号制御回路３１１１ａ〜ｃ
図２３に示されるように、レンズ側マイコン３１１０は、信号制御回路３１１１ａ〜ｃの各々に対して、入力パラメータＰｕｌｌ−ｕｐ  Ｅｎａｂｌｅ１をＬレベルに設定する。そのため、信号制御回路３１１１ａ〜ｃの各々に内蔵される電界効果トランジスタＱ２がオン状態となり、接続端子ＩＮ／ＯＵＴ１がプルアップされる。
【０１５８】
レンズ側マイコン３１１０は、信号制御回路３１１１ａ〜ｃの各々に対して、入力パラメータＯｕｔｐｕｔ  Ｄｉｓａｂｌｅ１をＨレベルに設定する。そのため、信号制御回路３１１１ａ〜ｃの各々では、ＮＯＲ素子Ｘ７から電界効果トランジスタＱ５のゲートへＬレベルの出力信号が出力されて、電界効果トランジスタＱ５がオフ状態となる。
また、信号制御回路３１１１ａ〜ｃの各々では、ＮＯＴ素子Ｘ１の出力がＬレベルとなって、ＮＡＮＤ素子Ｘ５から電界効果トランジスタＱ１のゲートへＨレベルの出力信号が出力されて、電界効果トランジスタＱ１がオフ状態となる。
すなわち、レンズ側マイコン３１１０は、信号制御回路３１１１ａ〜ｃの各々に対して、電界効果トランジスタＱ１とＱ５とが共にオフ状態となるように設定する。
【０１５９】
レンズ側マイコン３１１０は、これら信号制御回路３１１１ａ〜ｃの各々の接続端子ＩＮ／ＯＵＴ１を受信用の端子として用いる。信号制御回路３１１１ａ〜ｃの接続端子ＩＮ／ＯＵＴ１の電位がＨレベルのとき、信号制御回路３１１１ａ〜ｃのバッファ回路Ｘ１２の出力はＨレベルとなって、レンズ側マイコン３１１０はＲｅｃｅｉｖｅ  ＤＡＴＡ１としてＨレベルの信号を受信する。信号制御回路３１１１ａ〜ｃの各々の接続端子ＩＮ／ＯＵＴ１の電位がＬレベルのとき、バッファ回路Ｘ１２の出力はＬレベルとなって、レンズ側マイコン３１１０はＲｅｃｅｉｖｅ  ＤＡＴＡ１としてＬレベルの信号を受信する。レンズ側マイコン３１１０は、信号制御回路３１１１ａ〜ｃからＲｅｃｅｉｖｅ  ＤＡＴＡ１としてリードライト信号Ｒ／Ｗ３、クロックパルス信号ＣＬＫ３、データ信号ＤＡＴＡ３を受信する。
【０１６０】
レンズ側マイコン３１１０は、信号制御回路３１１１ａおよび３１１１ｂの各々に対して、入力パラメータＰｕｌｌ−ｕｐ  Ｅｎａｂｌｅ２をＨレベルに設定する。そのため、信号制御回路３１１１ａおよび３１１１ｂの各々に内蔵される電界効果トランジスタＱ２がオフ状態となる。
【０１６１】
また、レンズ側マイコン３１１０は、信号制御回路３１１１ａおよび３１１１ｂに対して、入力パラメータＳｅｎｄ  ＤＡＴＡ２としてリードライト信号Ｒ／Ｗ５、データ信号ＤＡＴＡ５という出力信号を出力する。そして、レンズ側マイコン３１１０は、信号制御回路３１１１ａおよび３１１１ｂに対して、入力パラメータＳｅｎｄ  ＤＡＴＡ  ＳＷをＬレベルに設定する。
【０１６２】
このとき、信号制御回路３１１１ａおよび３１１１ｂのＮＯＴ素子Ｘ３からＡＮＤ素子Ｘ９へＨレベルの信号が出力され、ＡＮＤ素子Ｘ９からＯＲ素子Ｘ１１へ入力パラメータＳｅｎｄ  ＤＡＴＡ２として入力された出力信号と同一の信号が出力される。また、入力パラメータＳｅｎｄ  ＤＡＴＡ  ＳＷがＬレベルであるため、ＡＮＤ素子Ｘ１０からＯＲ素子Ｘ１１へＬレベルの信号が出力される。ＯＲ素子Ｘ１１は、ＡＮＤ素子Ｘ９およびＸ１０からの入力に基づいて、入力パラメータＳｅｎｄ  ＤＡＴＡ２として入力された出力信号と同一の信号をＮＡＮＤ素子Ｘ６とＮＯＲ素子Ｘ８とへ出力する。
【０１６３】
レンズ側マイコン３１１０は、信号制御回路３１１１ａおよび３１１１ｂの各々に対して、入力パラメータＯｕｔｐｕｔ  Ｄｉｓａｂｌｅ２をＬレベルに設定する。信号制御回路３１１１ａおよび３１１１ｂの各々では、ＮＯＴ素子Ｘ４からＮＡＮＤ素子Ｘ６へＨレベルの信号が出力される。ＮＡＮＤ素子Ｘ６では、ＯＲ素子Ｘ１１から入力された信号と、ＮＯＴ素子Ｘ４から入力されたＨレベルの信号とを入力として否定論理積演算が行われる。その結果、ＮＡＮＤ素子Ｘ６は、電界効果トランジスタＱ３のゲートへ入力パラメータＳｅｎｄ  ＤＡＴＡ２として入力された出力信号の反転信号を出力する。
【０１６４】
信号制御回路３１１１ａおよび３１１１ｂの各々のＮＯＲ素子Ｘ８では、ＯＲ素子Ｘ１１から入力された信号と、Ｌレベルである入力パラメータＯｕｔｐｕｔ  Ｄｉｓａｂｌｅ２とを入力として否定論理和演算が行われる。その結果、ＮＯＲ素子Ｘ８は、電界効果トランジスタＱ６のゲートへ入力パラメータＳｅｎｄ  ＤＡＴＡ２として入力された出力信号の反転信号を出力する。
【０１６５】
信号制御回路３１１１ａおよび３１１１ｂの各々では、入力パラメータＳｅｎｄ  ＤＡＴＡ２として入力された信号がＨレベルのとき、電界効果トランジスタＱ３がオン状態となり、電界効果トランジスタＱ６がオフ状態となる。その結果、電界効果トランジスタＱ３のドレインに接続されている電源電圧Ｖｄｄに接続端子ＩＮ／ＯＵＴ２が接続されて、接続端子ＩＮ／ＯＵＴ２がプルアップされる。すなわち、信号制御回路３１１１ａおよび３１１１ｂの接続端子ＩＮ／ＯＵＴ２の信号レベルが入力パラメータＳｅｎｄ  ＤＡＴＡ２として入力された信号と同レベルとなる。また、信号制御回路３１１１ａおよび３１１１ｂの各々のバッファ回路Ｘ１３の出力もＨレベルとなって、レンズ側マイコン３１１０は信号制御回路３１１１ａおよび３１１１ｂの各々からＲｅｃｅｉｖｉｎｇ  ＤＡＴＡ２としてＨレベルの信号を受信する。
【０１６６】
信号制御回路３１１１ａおよび３１１１ｂの各々では、入力パラメータＳｅｎｄ  ＤＡＴＡ２として入力された信号がＬレベルのとき、電界効果トランジスタＱ３がオフ状態となり、電界効果トランジスタＱ６がオン状態となる。その結果、接続端子ＩＮ／ＯＵＴ２がプルダウンされる。すなわち、信号制御回路３１１１ａおよび３１１１ｂの接続端子ＩＮ／ＯＵＴ２の信号レベルが入力パラメータＳｅｎｄ  ＤＡＴＡ２として入力された信号と同レベルとなる。また、信号制御回路３１１１ａおよび３１１１ｂの各々のバッファ回路Ｘ１３の出力もＬレベルとなって、レンズ側マイコン３１１０は信号制御回路３１１１ａおよび３１１１ｂの各々からＲｅｃｅｉｖｉｎｇ  ＤＡＴＡ２としてＬレベルの信号を受信する。
【０１６７】
換言すると、信号制御回路３１１１ａおよび３１１１ｂでは、レンズ側マイコン３１１０の制御により、電界効果トランジスタＱ３と電界効果トランジスタＱ６とがＣＭＯＳタイプの論理反転回路を形成する。レンズ側マイコン３１１０は、この論理反転回路に入力パラメータＳｅｎｄ  ＤＡＴＡ２として入力された信号の反転信号を入力することにより、入力パラメータＳｅｎｄ  ＤＡＴＡ２として入力された信号を接続端子ＩＮ／ＯＵＴ２から出力する。すなわち、レンズ側マイコン３１１０は、信号制御回路３１１１ａおよび３１１１ｂの接続端子ＩＮ／ＯＵＴ２に向けてＣＭＯＳタイプの信号出力が行われるように、信号制御回路３１１１ａおよび３１１１ｂの各々を設定する。なお、入力パラメータＳｅｎｄ  ＤＡＴＡ２として入力された信号は、信号制御回路３１１１ａおよび３１１１ｂの各々のバッファ回路Ｘ１３を介してレンズ側マイコン３１１０へ再入力される。
【０１６８】
レンズ側マイコン３１１０は、信号制御回路３１１１ｃに対して、入力パラメータＰｕｌｌ−ｕｐ  Ｅｎａｂｌｅ２をＬレベルに設定する。そのため、信号制御回路３１１１ｃに内蔵される電界効果トランジスタＱ４がオン状態となり、接続端子ＩＮ／ＯＵＴ２がプルアップされる。
【０１６９】
レンズ側マイコン３１１０は、信号制御回路３１１１ｃに対して、入力パラメータＯｕｔｐｕｔ  Ｄｉｓａｂｌｅ２をＨレベルに設定する。そのため、信号制御回路３１１１ｃでは、ＮＯＲ素子Ｘ８から電界効果トランジスタＱ６のゲートへＬレベルの出力信号が出力されて、電界効果トランジスタＱ６がオフ状態となる。
また、信号制御回路３１１１ｃでは、ＮＯＴ素子Ｘ４の出力がＬレベルとなって、ＮＡＮＤ素子Ｘ６から電界効果トランジスタＱ３のゲートへＨレベルの出力信号が出力されて、電界効果トランジスタＱ３がオフ状態となる。
すなわち、ボディ側マイコン３２１０は、信号制御回路３１１１ｃに対して、電界効果トランジスタＱ６とＱ３とが共にオフ状態となるように設定する。その結果、信号制御回路３１１１ｃからＣＭＯＳタイプの信号出力が行われない。
【０１７０】
（２．２）信号制御回路３１１１ｄ
レンズ側マイコン３１１０は、信号制御回路３１１１ｄに対しては、入力パラメータＰｕｌｌ−ｕｐ  Ｅｎａｂｌｅ１をＨレベルに設定する。そのため、信号制御回路３１１１ｄに内蔵される電界効果トランジスタＱ２がオフ状態となる。
【０１７１】
レンズ側マイコン３１１０は、信号制御回路３１１１ｄに対して、フォーカスレンズ１４０の状態を示すパルス信号を入力パラメータＳｅｎｄ  ＤＡＴＡ１として出力する。また、レンズ側マイコン３１１０は、信号制御回路３１１１ｄに対して、入力パラメータＯｕｔｐｕｔ  Ｄｉｓａｂｌｅ１をＬレベルに設定する。そのため、信号制御回路３１１１ｄでは、ＮＯＴ素子Ｘ１からＮＡＮＤ素子Ｘ５へＨレベルの信号が出力される。
【０１７２】
信号制御回路３１１１ｄのＮＡＮＤ素子Ｘ５では、入力パラメータＳｅｎｄ  ＤＡＴＡ１と、ＮＯＴ素子Ｘ１から入力されたＨレベルの信号とを入力として否定論理積演算が行われる。その結果、ＮＡＮＤ素子Ｘ５は、パルス信号と相補的な反転信号を電界効果トランジスタＱ１のゲートへ出力する。
【０１７３】
信号制御回路３１１１ｄのＮＯＲ素子Ｘ７では、入力パラメータＳｅｎｄ  ＤＡＴＡ１とＬレベルである入力パラメータＯｕｔｐｕｔ  Ｄｉｓａｂｌｅ１とを入力として否定論理和演算が行われる。その結果、ＮＯＲ素子Ｘ７は、パルス信号と相補的な反転信号を電界効果トランジスタＱ５のゲートへ出力する。
【０１７４】
信号制御回路３１１１ｄでは、入力パラメータＳｅｎｄ  ＤＡＴＡ１として出力されている出力信号がＨレベルのとき、電界効果トランジスタＱ１がオン状態となり、電界効果トランジスタＱ５がオフ状態となる。その結果、電界効果トランジスタＱ１のドレインに接続されている電源電圧Ｖｄｄに接続端子ＩＮ／ＯＵＴ１が接続されて、接続端子ＩＮ／ＯＵＴ１がプルアップされる。すなわち、信号制御回路３１１１ｄの接続端子ＩＮ／ＯＵＴ１の信号レベルが入力パラメータＳｅｎｄ  ＤＡＴＡ１として入力された信号と同レベルとなる。また、信号制御回路３１１１ｄのバッファ回路Ｘ１２の出力もＨレベルとなって、レンズ側マイコン３１１０は信号制御回路３１１１ｄからＲｅｃｅｉｖｉｎｇ  ＤＡＴＡ１としてＨレベルの信号を受信する。
【０１７５】
信号制御回路３１１１ｄでは、入力パラメータＳｅｎｄ  ＤＡＴＡ１として出力されている出力信号がＬレベルのとき、電界効果トランジスタＱ１がオフ状態となり、電界効果トランジスタＱ５がオン状態となる。その結果、接続端子ＩＮ／ＯＵＴ１がプルダウンされる。すなわち、信号制御回路３１１１ｄの接続端子ＩＮ／ＯＵＴ１の信号レベルが入力パラメータＳｅｎｄ  ＤＡＴＡ１として入力された信号と同レベルとなる。また、信号制御回路３１１１ｄのバッファ回路Ｘ１２の出力もＬレベルとなって、レンズ側マイコン３１１０は信号制御回路３１１１ｄからＲｅｃｅｉｖｉｎｇ  ＤＡＴＡ１としてＬレベルの信号を受信する。
【０１７６】
換言すると、信号制御回路３１１１ｄでは、レンズ側マイコン３１１０の制御により、電界効果トランジスタＱ１と電界効果トランジスタＱ５とがＣＭＯＳタイプの論理反転回路を形成する。レンズ側マイコン３１１０は、この論理反転回路に入力パラメータＳｅｎｄ  ＤＡＴＡ１として入力されたパルス信号の反転信号を入力することにより、パルス信号を接続端子ＩＮ／ＯＵＴ１から出力する。すなわち、レンズ側マイコン３１１０は、信号制御回路３１１１ｄの接続端子ＩＮ／ＯＵＴ１からＣＭＯＳタイプの信号出力が行われるように、信号制御回路３１１１ｄを設定する。パルス信号は、ＬＥ−ＢＥ端子間の伝送線路を介してボディ側マイコン３２１０へ送信されると共に、信号制御回路３１１１ｄのバッファ回路Ｘ１２を介してレンズ側マイコン３１１０に再入力される。
【０１７７】
レンズ側マイコン３１１０は、信号制御回路３１１１ｄに対しては、入力パラメータＰｕｌｌ−ｕｐ  Ｅｎａｂｌｅ２をＨレベルに設定する。そのため、信号制御回路３１１１ｄに内蔵される電界効果トランジスタＱ４がオフ状態となる。
【０１７８】
レンズ側マイコン３１１０は、信号制御回路３１１１ｄに対して、入力パラメータＳｅｎｄ  ＤＡＴＡ２としてパルス信号を出力する。また、レンズ側マイコン３１１０は、信号制御回路３１１１ｄに対して、入力パラメータＯｕｔｐｕｔ  Ｄｉｓａｂｌｅ２と入力パラメータＳｅｎｄ  ＤＡＴＡ  ＳＷとをＬレベルに設定する。
【０１７９】
信号制御回路３１１１ｄのＮＯＴ素子Ｘ３は、入力パラメータＳｅｎｄ  ＤＡＴＡ  ＳＷがＬレベルであるため、ＡＮＤ素子Ｘ９へＨレベルの信号を送信する。ＡＮＤ素子Ｘ９では、入力パラメータＳｅｎｄ  ＤＡＴＡ２と、ＮＯＴ素子Ｘ３から入力されたＨレベルの信号とを入力として論理積演算が行われる。その結果、ＡＮＤ素子Ｘ９は、入力パラメータＳｅｎｄ  ＤＡＴＡ２と同一の信号をＯＲ素子Ｘ１１へ出力する。
【０１８０】
信号制御回路３１１１ｄのＡＮＤ素子Ｘ１０は、入力パラメータＳｅｎｄ  ＤＡＴＡ  ＳＷがＬレベルであるため、Ｌレベルの信号をＯＲ素子Ｘ１１へ出力する。ＯＲ素子Ｘ１１では、ＡＮＤ素子Ｘ９から出力される信号と、ＡＮＤ素子Ｘ１０から出力されるＬレベルの信号とを入力として論理和演算が行われる。その結果、ＯＲ素子Ｘ１１は、入力パラメータＳｅｎｄ  ＤＡＴＡ２と同一の信号をＮＡＮＤ素子Ｘ６とＮＯＲ素子Ｘ８へ出力する。
【０１８１】
レンズ側マイコン３１１０は、信号制御回路３１１１ｄに対して、入力パラメータＯｕｔｐｕｔ  Ｄｉｓａｂｌｅ２をＬレベルに設定する。信号制御回路３１１１ｄの各々では、ＮＯＴ素子Ｘ４からＮＡＮＤ素子Ｘ６へＨレベルの信号が出力される。
【０１８２】
信号制御回路３１１１ｄのＮＡＮＤ素子Ｘ６では、ＯＲ素子Ｘ１１から入力された信号と、ＮＯＴ素子Ｘ４から入力されたＨレベルの信号とを入力として否定論理積演算が行われる。その結果、ＮＡＮＤ素子Ｘ６は、電界効果トランジスタＱ３のゲートへ入力パラメータＳｅｎｄ  ＤＡＴＡ２として入力された出力信号の反転信号を出力する。
【０１８３】
信号制御回路３１１１ｄのＮＯＲ素子Ｘ８では、ＯＲ素子Ｘ１１から入力された入力パラメータＳｅｎｄ  ＤＡＴＡ２として入力された出力信号と同一の信号と、Ｌレベルである入力パラメータＯｕｔｐｕｔ  Ｄｉｓａｂｌｅ２とを入力として否定論理和演算が行われる。その結果、ＮＯＲ素子Ｘ８は、電界効果トランジスタＱ６のゲートへ入力パラメータＳｅｎｄ  ＤＡＴＡ２として入力された出力信号の反転信号を出力する。
【０１８４】
信号制御回路３１１１ｄでは、入力パラメータＳｅｎｄ  ＤＡＴＡ２として出力されている出力信号がＨレベルのとき、電界効果トランジスタＱ３がオン状態となり、電界効果トランジスタＱ６がオフ状態となる。その結果、接続端子電界効果トランジスタＱ１のドレインに接続されている電源電圧ＶｄｄにＩＮ／ＯＵＴ２が接続されて、接続端子ＩＮ／ＯＵＴ２がプルアップされる。すなわち、信号制御回路３１１１ｄの接続端子ＩＮ／ＯＵＴ２の信号レベルが入力パラメータＳｅｎｄ  ＤＡＴＡ２として入力された信号と同レベルとなる。また、信号制御回路３１１１ｄのバッファ回路Ｘ１３の出力もＨレベルとなって、レンズ側マイコン３１１０は信号制御回路３１１１ｄからＲｅｃｅｉｖｉｎｇ  ＤＡＴＡ２としてＨレベルの信号を受信する。
【０１８５】
信号制御回路３１１１ｄでは、入力パラメータＳｅｎｄ  ＤＡＴＡ２として出力されている出力信号がＬレベルのとき、電界効果トランジスタＱ３がオフ状態となり、電界効果トランジスタＱ６がオン状態となる。その結果、接続端子ＩＮ／ＯＵＴ２がプルダウンされる。すなわち、信号制御回路３１１１ｄの接続端子ＩＮ／ＯＵＴ２の信号レベルが入力パラメータＳｅｎｄ  ＤＡＴＡ２として入力された信号と同レベルとなる。また、信号制御回路３１１１ｄのバッファ回路Ｘ１３の出力もＬレベルとなって、レンズ側マイコン３１１０は信号制御回路３１１１ｄからＲｅｃｅｉｖｉｎｇ  ＤＡＴＡ２としてＬレベルの信号を受信する。
【０１８６】
換言すると、信号制御回路３１１１ｄでは、レンズ側マイコン３１１０の制御により、電界効果トランジスタＱ３と電界効果トランジスタＱ６とがＣＭＯＳタイプの論理反転回路を形成する。レンズ側マイコン３１１０は、この論理反転回路に入力パラメータＳｅｎｄ  ＤＡＴＡ２として入力されたパルス信号の反転信号を入力することにより、パルス信号を接続端子ＩＮ／ＯＵＴ２から出力する。すなわち、レンズ側マイコン３１１０は、信号制御回路３１１１ｄの接続端子ＩＮ／ＯＵＴ２からＣＭＯＳタイプの信号出力が行われるように、信号制御回路３１１１ｄを設定する。なお、入力パラメータＳｅｎｄ  ＤＡＴＡ２として入力されたパルス信号は、信号制御回路３１１１ｄのバッファ回路Ｘ１３を介してレンズ側マイコン３１１０へ再入力される。
【０１８７】
（２．３）信号制御回路３２１１ａ〜ｃ
図２４に示されるように、ボディ側マイコン３２１０は、信号制御回路３２１１ａ〜ｃの各々に対して、入力パラメータＰｕｌｌ−ｕｐ  Ｅｎａｂｌｅ１をＨレベルに設定する。そのため、信号制御回路３２１１ａ〜ｃの各々に内蔵される電界効果トランジスタＱ２がオフ状態となる。
【０１８８】
ボディ側マイコン３２１０は、信号制御回路３２１１ａ〜ｃの各々に対して、入力パラメータＳｅｎｄ  ＤＡＴＡ１としてリードライト信号Ｒ／Ｗ３、クロックパルス信号ＣＬＫ３、データ信号ＤＡＴＡ３という出力信号を出力する。
【０１８９】
また、ボディ側マイコン３２１０は、信号制御回路３２１１ａ〜ｃの各々に対して、入力パラメータＯｕｔｐｕｔ  Ｄｉｓａｂｌｅ１をＬレベルに設定する。その結果、信号制御回路３２１１ａ〜ｃの各々では、ＮＯＴ素子Ｘ１からＮＡＮＤ素子Ｘ５へＨレベルの信号が出力される。信号制御回路３２１１ａ〜ｃの各々のＮＡＮＤ素子Ｘ５では、入力パラメータＳｅｎｄ  ＤＡＴＡ１と、ＮＯＴ素子Ｘ１から入力されたＨレベルの信号とを入力として否定論理積演算が行われる。その結果、ＮＡＮＤ素子Ｘ５は、入力パラメータＳｅｎｄ  ＤＡＴＡ１の反転信号を電界効果トランジスタＱ１のゲートへ出力する。
【０１９０】
信号制御回路３２１１ａ〜ｃの各々のＮＯＲ素子Ｘ７では、入力パラメータＳｅｎｄ  ＤＡＴＡ１と入力パラメータＯｕｔｐｕｔ  Ｄｉｓａｂｌｅ１とを入力として否定論理和演算が行われる。その結果、ＮＯＲ素子Ｘ７は、入力パラメータＳｅｎｄ  ＤＡＴＡ１の反転信号を電界効果トランジスタＱ５のゲートへ出力する。
【０１９１】
信号制御回路３２１１ａ〜ｃの各々では、入力パラメータＳｅｎｄ  ＤＡＴＡ１として出力されている出力信号がＨレベルのとき、電界効果トランジスタＱ１がオン状態となり、電界効果トランジスタＱ５がオフ状態となる。その結果、電界効果トランジスタＱ１のドレインに接続されている電源電圧Ｖｄｄに接続端子ＩＮ／ＯＵＴ１が接続されて、接続端子ＩＮ／ＯＵＴ１がプルアップされる。すなわち、信号制御回路３２１１ａ〜ｃの各々の接続端子ＩＮ／ＯＵＴ１の信号レベルが入力パラメータＳｅｎｄ  ＤＡＴＡ１として入力された信号と同レベルとなる。また、信号制御回路３２１１ａ〜ｃの各々のバッファ回路Ｘ１２の出力もＨレベルとなって、ボディ側マイコン３２１０は信号制御回路３２１１ａ〜ｃの各々からＲｅｃｅｉｖｉｎｇ  ＤＡＴＡ１としてＨレベルの信号を受信する。
【０１９２】
信号制御回路３２１１ａ〜ｃの各々では、入力パラメータＳｅｎｄ  ＤＡＴＡ１として出力されている出力信号がＬレベルのとき、電界効果トランジスタＱ１がオフ状態となり、電界効果トランジスタＱ５がオン状態となる。その結果、接続端子ＩＮ／ＯＵＴ１がプルダウンされる。すなわち、信号制御回路３２１１ａ〜ｃの各々の接続端子ＩＮ／ＯＵＴ１の信号レベルが入力パラメータＳｅｎｄ  ＤＡＴＡ１として入力された信号と同レベルとなる。また、信号制御回路３２１１ａ〜ｃの各々のバッファ回路Ｘ１２の出力もＬレベルとなって、ボディ側マイコン３２１０は信号制御回路３２１１ａ〜ｃの各々からＲｅｃｅｉｖｉｎｇ  ＤＡＴＡ１としてＬレベルの信号を受信する。
【０１９３】
換言すると、信号制御回路３２１１ａ〜ｃでは、ボディ側マイコン３２１０の制御により、電界効果トランジスタＱ１と電界効果トランジスタＱ５とがＣＭＯＳタイプの論理反転回路を形成する。ボディ側マイコン３２１０は、この論理反転回路に入力パラメータＳｅｎｄ  ＤＡＴＡ１として入力されたリードライト信号Ｒ／Ｗ３、クロックパルス信号ＣＬＫ３、データ信号ＤＡＴＡ３の各反転信号を入力することにより、リードライト信号Ｒ／Ｗ３、クロックパルス信号ＣＬＫ３、データ信号ＤＡＴＡ３をそれぞれ接続端子ＩＮ／ＯＵＴ１から出力する。すなわち、ボディ側マイコン３２１０は、信号制御回路３２１１ａ〜ｃの接続端子ＩＮ／ＯＵＴ１からＣＭＯＳタイプの信号出力が行われるように、信号制御回路３２１１ａ〜ｃを設定する。なお、入力パラメータＳｅｎｄ  ＤＡＴＡ１として入力された信号は、信号制御回路３１１１ａ〜ｃの各々のバッファ回路Ｘ１２を介してボディ側マイコン３２１０へ再入力される。
【０１９４】
ボディ側マイコン３２１０は、信号制御回路３２１１ａ〜ｃの各々に対して、入力パラメータＰｕｌｌ−ｕｐ  Ｅｎａｂｌｅ２をＬレベルに設定する。そのため、信号制御回路３２１１ａ〜ｃの各々に内蔵される電界効果トランジスタＱ４がオン状態となり、接続端子ＩＮ／ＯＵＴ２がプルアップされる。
【０１９５】
ボディ側マイコン３２１０は、信号制御回路３２１１ａ〜ｃの各々に対して、入力パラメータＯｕｔｐｕｔ  Ｄｉｓａｂｌｅ２をＨレベルに設定する。そのため、信号制御回路３２１１ａ〜ｃの各々では、ＮＯＲ素子Ｘ８から電界効果トランジスタＱ６のゲートへＬレベルの出力信号が出力されて、電界効果トランジスタＱ６がオフ状態となる。
また、信号制御回路３２１１ａ〜ｃの各々では、ＮＯＴ素子Ｘ４の出力がＬレベルとなって、ＮＡＮＤ素子Ｘ６から電界効果トランジスタＱ３のゲートへＨレベルの出力信号が出力されて、電界効果トランジスタＱ３がオフ状態となる。
すなわち、ボディ側マイコン３２１０は、信号制御回路３２１１ａ〜ｃの各々に対して、電界効果トランジスタＱ３とＱ６とが共にオフ状態となるように設定する。
【０１９６】
信号制御回路３２１１ａおよび３２１１ｂの接続端子ＩＮ／ＯＵＴ２の電位がＨレベルのとき、信号制御回路３２１１ａおよび３２１１ｂのバッファ回路Ｘ１３の出力はＨレベルとなって、ボディ側マイコン３２１０はＲｅｃｅｉｖｅ  ＤＡＴＡ２としてＨレベルの信号を受信する。信号制御回路３２１１ａおよび３２１１ｂの接続端子ＩＮ／ＯＵＴ２の電位がＬレベルのとき、信号制御回路３２１１ａおよび３２１１ｂのバッファ回路Ｘ１３の出力はＬレベルとなって、ボディ側マイコン３２１０はＲｅｃｅｉｖｅ  ＤＡＴＡ２としてＬレベルの信号を受信する。ボディ側マイコン３２１０は、信号制御回路３２１１ａおよび３２１１ｂからＲｅｃｅｉｖｅ  ＤＡＴＡ２としてそれぞれリードライト信号Ｒ／Ｗ５およびデータ信号ＤＡＴＡ５を受信する。
【０１９７】
（２．４）信号制御回路３２１１ｄ
ボディ側マイコン３２１０は、信号制御回路３２１１ｄに対しては、入力パラメータＰｕｌｌ−ｕｐ  Ｅｎａｂｌｅ１をＬレベルに設定する。そのため、信号制御回路３２１１ｄに内蔵される電界効果トランジスタＱ２がオン状態となり、接続端子ＩＮ／ＯＵＴ１がプルアップされる。
【０１９８】
ボディ側マイコン３２１０は、信号制御回路３２１１ｄに対して、入力パラメータＯｕｔｐｕｔ  Ｄｉｓａｂｌｅ１をＨレベルに設定する。そのため、信号制御回路３２１１ｄでは、ＮＯＲ素子Ｘ７から電界効果トランジスタＱ５のゲートへＬレベルの出力信号が出力されて、電界効果トランジスタＱ５がオフ状態となる。
また、信号制御回路３２１１ｄでは、ＮＯＴ素子Ｘ１の出力がＬレベルとなって、ＮＡＮＤ素子Ｘ５から電界効果トランジスタＱ１のゲートへＨレベルの出力信号が出力されて、電界効果トランジスタＱ１がオフ状態となる。
すなわち、ボディ側マイコン３２１０は、信号制御回路３２１１ｄに対して、電界効果トランジスタＱ１とＱ５とが共にオフ状態となるように設定する。
【０１９９】
ボディ側マイコン３２１０は、信号制御回路３２１１ｄに対しては、入力パラメータＰｕｌｌ−ｕｐ  Ｅｎａｂｌｅ２をＬレベルに設定する。そのため、信号制御回路３２１１ｄに内蔵される電界効果トランジスタＱ４がオン状態となり、接続端子ＩＮ／ＯＵＴ２がプルアップされる。
【０２００】
ボディ側マイコン３２１０は、信号制御回路３２１１ｄに対して、入力パラメータＯｕｔｐｕｔ  Ｄｉｓａｂｌｅ２をＨレベルに設定する。そのため、信号制御回路３２１１ｄでは、ＮＯＲ素子Ｘ７から電界効果トランジスタＱ６のゲートへＬレベルの出力信号が出力されて、電界効果トランジスタＱ６がオフ状態となる。
また、信号制御回路３２１１ｄでは、ＮＯＴ素子Ｘ４の出力がＬレベルとなって、ＮＡＮＤ素子Ｘ６から電界効果トランジスタＱ１のゲートへＨレベルの出力信号が出力されて、電界効果トランジスタＱ３がオフ状態となる。
すなわち、ボディ側マイコン３２１０は、信号制御回路３２１１ｄに対して、電界効果トランジスタＱ３とＱ６とが共にオフ状態となるように設定する。
【０２０１】
信号制御回路３２１１ｄの接続端子ＩＮ／ＯＵＴ１の電位がＨレベルのとき、信号制御回路３２１１ｄのバッファ回路Ｘ１２の出力はＨレベルとなって、ボディ側マイコン３２１０はＲｅｃｅｉｖｅ  ＤＡＴＡ１としてＨレベルの信号を受信する。信号制御回路３２１１ｄの接続端子ＩＮ／ＯＵＴ１の電位がＬレベルのとき、バッファ回路Ｘ１２の出力はＬレベルとなって、ボディ側マイコン３２１０はＲｅｃｅｉｖｅ  ＤＡＴＡ１としてＬレベルの信号を受信する。ボディ側マイコン３２１０は、信号制御回路３２１１ｄからＲｅｃｅｉｖｅ  ＤＡＴＡ１としてパルス信号を受信する。同様に、ボディ側マイコン３２１０は、信号制御回路３２１１ｄからＲｅｃｅｉｖｅ  ＤＡＴＡ２としてパルス信号を受信する。
【０２０２】
―通信パターン（３）―
図１９の説明に再び戻り、通信パターン（３）について説明する。通信パターン（３）の場合、ＬＢ−ＢＢ端子間、ＬＤ−ＢＤ端子間、ＬＩ−ＢＩ端子間で行う通信の通信方式と、ＬＨ−ＢＨ端子間、ＬＩ−ＢＩ端子間、ＬＪ−ＢＪ端子間で行う通信の内容とが通信パターン（２）と異なる。また、通信パターン（３）の場合、ＬＫ−ＢＫ端子間を通信に用いることが通信パターン（１）や通信パターン（２）と大きく異なる。
【０２０３】
ＬＢ−ＢＢ端子間、ＬＤ−ＢＤ端子間、ＬＩ−ＢＩ端子間では、半二重通信による通信が行われる。ＬＨ−ＢＨ端子間では、ＬＥ−ＢＥ端子間においてレンズ側マイコン３１１０からボディ側マイコン３２１０へ送信されるパルス信号に対して相補的な反転信号がレンズ側マイコン３１１０からボディ側マイコン３２１０へ送信される。すなわち、ＬＥ−ＢＥ端子間がＬレベルのときＬＨ−ＢＨ端子間はＨレベルとなり、ＬＥ−ＢＥ端子間がＨレベルのときＬＨ−ＢＨ端子間はＬレベルとなる。換言すると、レンズ側マイコン３１１０の信号制御回路３１１１ｄは、パルス信号をボディ側マイコン３２１０へ差動伝送する。
【０２０４】
ＬＩ−ＢＩ端子間では、ＬＢ−ＢＢ端子間で送受信されるリードライト信号Ｒ／Ｗ３に対して相補的な反転信号を送受信する半二重通信が行われる。すなわち、ＬＢ−ＢＢ端子間がＬレベルのときＬＩ−ＢＩ端子間はＨレベルとなり、ＬＢ−ＢＢ端子間がＨレベルのとき、ＬＩ−ＢＩ端子間はＬレベルとなる。換言すると、レンズ側マイコン３１１０の信号制御回路３１１１ａとボディ側マイコン３２１０の信号制御回路３２１１ａとの間で、リードライト信号Ｒ／Ｗ３に関する差動伝送を行う。
【０２０５】
ＬＪ−ＢＪ端子間では、ボディ側マイコン３２１０がＢＪ端子からＬＪ端子への片方向通信により、ＬＣ−ＢＣ端子間においてＢＣ端子からＬＣ端子へ送信されるクロックパルス信号ＣＬＫ３に対して相補的な反転信号を送信する。すなわち、ＬＣ−ＢＣ端子間がＬレベルのときＬＪ−ＢＪ端子間はＨレベルとなり、ＬＣ−ＢＣ端子間がＨレベルのとき、ＬＪ−ＢＪ端子間はＬレベルとなる。換言すると、レンズ側マイコン３１１０の信号制御回路３１１１ｂとボディ側マイコン３２１０の信号制御回路３２１１ｂとの間で、クロックパルス信号ＣＬＫ３に関する差動伝送を行う。
【０２０６】
ＬＫ−ＢＫ端子間では、ＬＤ−ＢＤ端子間で送受信されるデータ信号ＤＡＴＡ３に対して相補的な反転信号を送受信する半二重通信が行われる。すなわち、ＬＤ−ＢＤ端子間がＬレベルのときＬＫ−ＢＫ端子間はＨレベルとなり、ＬＤ−ＢＤ端子間がＨレベルのとき、ＬＫ−ＢＫ端子間はＬレベルとなる。換言すると、レンズ側マイコン３１１０の信号制御回路３１１１ｃとボディ側マイコン３２１０の信号制御回路３２１１ｃとの間で、データ信号ＤＡＴＡ３に関する差動伝送を行う。
【０２０７】
図１８と図２５と図２６とを参照しながら、通信パターン（３）の通信を行う場合にレンズ側マイコン３１１０とボディ側マイコン３２１０とが行う制御について説明する。図２５は、通信パターン（３）の通信を行う場合における信号制御回路３１１１ａ〜ｄの設定を示す。図２６は、通信パターン（３）の通信を行う場合における信号制御回路３２１１ａ〜ｄの設定を示す。なお、図２５および図２６に示す制御例では、レンズ側マイコン３１１０とボディ側マイコン３２１０との間の半二重通信についてはレンズ側マイコン３１１０が送信側であるものとしている。中間アダプタ３４００のアダプタ側マイコン３４５０は、誤動作を予防するため、ＬＩ−ＢＩ端子間への接続とＬＪ−ＢＪ端子間への接続とを遮断している（切断、オープン、開放、Ｈｉ−Ｚ状態にする）。
【０２０８】
（３．１）信号制御回路３１１１ａ、３１１１ｃ、３１１１ｄ
図２５に示されるように、レンズ側マイコン３１１０は、信号制御回路３１１１ａ、３１１１ｃ、３１１１ｄの各々に対して、入力パラメータＰｕｌｌ−ｕｐ  Ｅｎａｂｌｅ１をＨレベルに設定する。そのため、信号制御回路３１１１ａ、３１１１ｃ、３１１１ｄの各々に内蔵される電界効果トランジスタＱ２がオフ状態となる。
【０２０９】
レンズ側マイコン３１１０は、信号制御回路３１１１ａ、３１１１ｃ、３１１１ｄの各々に対して、入力パラメータＳｅｎｄ  ＤＡＴＡ１としてリードライト信号Ｒ／Ｗ３、データ信号ＤＡＴＡ３、パルス信号という出力信号を出力する。
【０２１０】
また、レンズ側マイコン３１１０は、信号制御回路３１１１ａ、３１１１ｃ、３１１１ｄの各々に対して、入力パラメータＯｕｔｐｕｔ  Ｄｉｓａｂｌｅ１をＬレベルに設定する。その結果、信号制御回路３１１１ａ、３１１１ｃ、３１１１ｄの各々では、ＮＯＴ素子Ｘ１からＮＡＮＤ素子Ｘ５へＨレベルの信号が出力される。信号制御回路３１１１ａ、３１１１ｃ、３１１１ｄの各々のＮＡＮＤ素子Ｘ５では、入力パラメータＳｅｎｄ  ＤＡＴＡ１と、ＮＯＴ素子Ｘ１から入力されたＨレベルの信号とを入力として否定論理積演算が行われる。その結果、ＮＡＮＤ素子Ｘ５は、入力パラメータＳｅｎｄ  ＤＡＴＡ１と相補的な反転信号を電界効果トランジスタＱ１のゲートへ出力する。
【０２１１】
信号制御回路３１１１ａ、３１１１ｃ、３１１１ｄのＮＯＲ素子Ｘ７では、入力パラメータＳｅｎｄ  ＤＡＴＡ１と入力パラメータＯｕｔｐｕｔ  Ｄｉｓａｂｌｅ１とを入力として否定論理和演算が行われる。その結果、ＮＯＲ素子Ｘ７は、入力パラメータＳｅｎｄ  ＤＡＴＡ１と相補的な反転信号を電界効果トランジスタＱ５のゲートへ出力する。
【０２１２】
信号制御回路３１１１ａ、３１１１ｃ、３１１１ｄの各々では、入力パラメータＳｅｎｄ  ＤＡＴＡ１として出力されている出力信号がＨレベルのとき、電界効果トランジスタＱ１がオン状態となり、電界効果トランジスタＱ５がオフ状態となる。その結果、接続端子ＩＮ／ＯＵＴ１が電界効果トランジスタＱ１のドレインに接続されている電源電圧Ｖｄｄに接続されて、接続端子ＩＮ／ＯＵＴ１がプルアップされる。すなわち、信号制御回路３１１１ｄの接続端子ＩＮ／ＯＵＴ１の信号レベルが入力パラメータＳｅｎｄ  ＤＡＴＡ１として入力された信号と同レベルとなる。信号制御回路３１１１ａ、３１１１ｃ、３１１１ｄの各々のバッファ回路Ｘ１２の出力もＨレベルとなって、レンズ側マイコン３１１０は信号制御回路３１１１ａ、３１１１ｃ、３１１１ｄの各々からＲｅｃｅｉｖｉｎｇ  ＤＡＴＡ１としてＨレベルの信号を受信する。
【０２１３】
信号制御回路３１１１ａ、３１１１ｃ、３１１１ｄの各々では、入力パラメータＳｅｎｄ  ＤＡＴＡ１として出力されている出力信号がＬレベルのとき、電界効果トランジスタＱ１がオフ状態となり、電界効果トランジスタＱ５がオン状態となる。その結果、接続端子ＩＮ／ＯＵＴ１がプルダウンされる。信号制御回路３１１１ａ、３１１１ｃ、３１１１ｄの各々のバッファ回路Ｘ１２の出力もＬレベルとなって、レンズ側マイコン３１１０は信号制御回路３１１１ａ、３１１１ｃ、３１１１ｄの各々からＲｅｃｅｉｖｉｎｇ  ＤＡＴＡ１としてＬレベルの信号を受信する。
【０２１４】
レンズ側マイコン３１１０は、信号制御回路３１１１ａ、３１１１ｃ、３１１１ｄの各々に対して、入力パラメータＰｕｌｌ−ｕｐ  Ｅｎａｂｌｅ２をＨレベルに設定する。そのため、信号制御回路３１１１ａ、３１１１ｃ、３１１１ｄの各々に内蔵される電界効果トランジスタＱ４がオフ状態となる。
【０２１５】
レンズ側マイコン３１１０は、信号制御回路３１１１ａ、３１１１ｃ、３１１１ｄの各々に対して、入力パラメータＳｅｎｄ  ＤＡＴＡ  ＳＷをＨレベルに設定する。そのため、信号制御回路３１１１ａ、３１１１ｃ、３１１１ｄの各々のＮＯＴ素子Ｘ３からＬレベルの出力信号が出力されて、ＡＮＤ素子Ｘ９からＬレベルの出力信号が出力される。
【０２１６】
レンズ側マイコン３１１０は、信号制御回路３１１１ａ、３１１１ｃ、３１１１ｄの各々のＮＯＴ素子Ｘ２は、入力パラメータＳｅｎｄ  ＤＡＴＡ１の反転信号をＡＮＤ素子Ｘ１０へ出力する。信号制御回路３１１１ａ、３１１１ｃ、３１１１ｄの各々のＡＮＤ素子Ｘ１０は、ＨレベルのＳｅｎｄ  ＤＡＴＡ  ＳＷと、ＮＯＴ素子Ｘ２が出力する入力パラメータＳｅｎｄ  ＤＡＴＡ１の反転信号とを入力とする論理積演算を実行する。信号制御回路３１１１ａ、３１１１ｃ、３１１１ｄの各々のＡＮＤ素子Ｘ１０は、その演算結果、すなわち入力パラメータＳｅｎｄ  ＤＡＴＡ１の反転信号をＯＲ素子Ｘ１１へ出力する。
【０２１７】
信号制御回路３１１１ａ、３１１１ｃ、３１１１ｄの各々のＯＲ素子Ｘ１１は、ＡＮＤ素子Ｘ９が出力するＬレベルの信号と、ＡＮＤ素子Ｘ１０が出力する入力パラメータＳｅｎｄ  ＤＡＴＡ１の反転信号とを入力とする論理和演算を行う。ＯＲ素子Ｘ１１は、その演算結果、すなわち入力パラメータＳｅｎｄ  ＤＡＴＡ１の反転信号をＮＡＮＤ素子Ｘ６とＮＯＲ素子Ｘ８へ出力する。
【０２１８】
レンズ側マイコン３１１０は、信号制御回路３１１１ａ、３１１１ｃ、３１１１ｄの各々に対して、入力パラメータＯｕｔｐｕｔ  Ｄｉｓａｂｌｅ２をＬレベルに設定する。信号制御回路３１１１ａ、３１１１ｃ、３１１１ｄの各々では、ＮＯＴ素子Ｘ４からＮＡＮＤ素子Ｘ６へＨレベルの信号が出力される。ＮＡＮＤ素子Ｘ６では、ＯＲ素子Ｘ１１から入力された入力パラメータＳｅｎｄ  ＤＡＴＡ１の反転信号と、ＮＯＴ素子Ｘ４から入力されたＨレベルの信号とを入力として否定論理積演算が行われる。その結果、ＮＡＮＤ素子Ｘ６は、電界効果トランジスタＱ３のゲートへ入力パラメータＳｅｎｄ  ＤＡＴＡ１として入力された出力信号を出力する。
【０２１９】
信号制御回路３１１１ａ、３１１１ｃ、３１１１ｄの各々のＮＯＲ素子Ｘ８では、ＯＲ素子Ｘ１１から入力された入力パラメータＳｅｎｄ  ＤＡＴＡ１の反転信号信号と、Ｌレベルである入力パラメータＯｕｔｐｕｔ  Ｄｉｓａｂｌｅ２とを入力として否定論理和演算が行われる。その結果、ＮＯＲ素子Ｘ８は、電界効果トランジスタＱ６のゲートへ入力パラメータＳｅｎｄ  ＤＡＴＡ１として入力された出力信号を出力する。
【０２２０】
信号制御回路３１１１ａ、３１１１ｃ、３１１１ｄの各々では、入力パラメータＳｅｎｄ  ＤＡＴＡ１として出力されている出力信号がＨレベルのとき、電界効果トランジスタＱ３がオフ状態となり、電界効果トランジスタＱ６がオン状態となる。その結果、接続端子ＩＮ／ＯＵＴ２がプルダウンされる。すなわち、信号制御回路３１１１ａ、３１１１ｃ、３１１１ｄの各々の接続端子ＩＮ／ＯＵＴ２の信号レベルが入力パラメータＳｅｎｄ  ＤＡＴＡ１として入力された信号に相補的な反転信号となる。また、信号制御回路３１１１ａ、３１１１ｃ、３１１１ｄの各々のバッファ回路Ｘ１３の出力もＬレベルとなって、レンズ側マイコン３１１０は信号制御回路３１１１ａ、３１１１ｃ、３１１１ｄの各々からＲｅｃｅｉｖｉｎｇ  ＤＡＴＡ２としてＬレベルの信号を受信する。
【０２２１】
信号制御回路３１１１ａ、３１１１ｃ、３１１１ｄの各々では、入力パラメータＳｅｎｄ  ＤＡＴＡ１として出力されている出力信号がＬレベルのとき、電界効果トランジスタＱ６がオフ状態となり、電界効果トランジスタＱ３がオン状態となる。その結果、電界効果トランジスタＱ３のドレインに接続されている電源電圧Ｖｄｄに接続端子ＩＮ／ＯＵＴ２が接続されて、接続端子ＩＮ／ＯＵＴ２がプルアップされる。すなわち、信号制御回路３１１１ａ、３１１１ｃ、３１１１ｄの各々の接続端子ＩＮ／ＯＵＴ２の信号レベルが入力パラメータＳｅｎｄ  ＤＡＴＡ１として入力された信号に相補的な反転信号となる。また、信号制御回路３１１１ａ、３１１１ｃ、３１１１ｄの各々のバッファ回路Ｘ１３の出力もＨレベルとなって、レンズ側マイコン３１１０は信号制御回路３１１１ａ、３１１１ｃ、３１１１ｄの各々からＲｅｃｅｉｖｉｎｇ  ＤＡＴＡ２としてＨレベルの信号を受信する。
【０２２２】
換言すると、信号制御回路３１１１ａ、３１１１ｃ、３１１１ｄの各々では、レンズ側マイコン３１１０の制御により、電界効果トランジスタＱ３と電界効果トランジスタＱ６とがＣＭＯＳタイプの論理反転回路を形成する。ボディ側マイコン３２１０は、この論理反転回路に入力パラメータＳｅｎｄ  ＤＡＴＡ１として入力されたリードライト信号Ｒ／Ｗ３、データ信号ＤＡＴＡ３、パルス信号を入力することにより、リードライト信号Ｒ／Ｗ３、データ信号ＤＡＴＡ３、パルス信号の各々にそれぞれ相補的な反転信号を接続端子ＩＮ／ＯＵＴ２から出力する。すなわち、レンズ側マイコン３１１０は、信号制御回路３１１１ａ、３１１１ｃ、３１１１ｄの各々の接続端子ＩＮ／ＯＵＴ２からＣＭＯＳタイプの信号出力が行われるように、信号制御回路３１１１ａ、３１１１ｃ、３１１１ｄを設定する。なお、入力パラメータＳｅｎｄ  ＤＡＴＡ１の反転信号は、信号制御回路３１１１ａ、３１１１ｃ、３１１１ｄの各々のバッファ回路Ｘ１３を介して、Ｒｅｃｅｉｖｅ  ＤＡＴＡ２としてボディ側マイコン３２１０へ再入力される。
【０２２３】
信号制御回路３１１１ａ、３１１１ｃ、３１１１ｄの各々のオペアンプＰ１の非反転入力にはＲｅｃｅｉｖｅ  ＤＡＴＡ１、すなわち入力パラメータＳｅｎｄ  ＤＡＴＡ１として入力された信号が入力される。信号制御回路３１１１ａ、３１１１ｃ、３１１１ｄの各々のオペアンプＰ１の反転入力にはＲｅｃｅｉｖｅ  ＤＡＴＡ２、すなわち入力パラメータＳｅｎｄ  ＤＡＴＡ１の反転信号が入力される。３１１１ａ、３１１１ｃ、３１１１ｄの各々のオペアンプＰ１から入力パラメータＳｅｎｄ  ＤＡＴＡ１として入力された信号とその反転信号の差分が出力されると、レンズ側マイコン３１１０がその差分をＲｅｃｅｉｖｅ  ＤＡＴＡ３として受け付ける。
【０２２４】
（３．２）信号制御回路３１１１ｂ
レンズ側マイコン３１１０は、信号制御回路３１１１ｂに対しては、入力パラメータＰｕｌｌ−ｕｐ  Ｅｎａｂｌｅ１をＨレベルに設定する。そのため、信号制御回路３１１１ｂに内蔵される電界効果トランジスタＱ２がオフ状態となる。
【０２２５】
レンズ側マイコン３１１０は、信号制御回路３１１１ｂに対して、入力パラメータＯｕｔｐｕｔ  Ｄｉｓａｂｌｅ１をＨレベルに設定する。そのため、信号制御回路３１１１ｂでは、ＮＯＲ素子Ｘ７から電界効果トランジスタＱ５のゲートへＬレベルの出力信号が出力されて、電界効果トランジスタＱ５がオフ状態となる。
【０２２６】
また、信号制御回路３１１１ｂでは、ＮＯＴ素子Ｘ１の出力がＬレベルとなって、ＮＡＮＤ素子Ｘ５から電界効果トランジスタＱ１のゲートへＨレベルの出力信号が出力されて、電界効果トランジスタＱ１がオフ状態となる。
【０２２７】
レンズ側マイコン３１１０は、信号制御回路３１１１ｂに対しては、入力パラメータＰｕｌｌ−ｕｐ  Ｅｎａｂｌｅ２をＨレベルに設定する。そのため、信号制御回路３１１１ｂに内蔵される電界効果トランジスタＱ４がオフ状態となる。
【０２２８】
レンズ側マイコン３１１０は、信号制御回路３１１１ｂに対して、入力パラメータＯｕｔｐｕｔ  Ｄｉｓａｂｌｅ２をＨレベルに設定する。そのため、信号制御回路３１１１ｂでは、ＮＯＲ素子Ｘ８から電界効果トランジスタＱ６のゲートへＬレベルの出力信号が出力されて、電界効果トランジスタＱ６がオフ状態となる。
【０２２９】
また、信号制御回路３１１１ｂでは、ＮＯＴ素子Ｘ４の出力がＬレベルとなって、ＮＡＮＤ素子Ｘ６から電界効果トランジスタＱ３のゲートへＨレベルの出力信号が出力されて、電界効果トランジスタＱ３がオフ状態となる。
【０２３０】
レンズ側マイコン３１１０は、信号制御回路３１１１ｂに対して、入力パラメータＳｅｎｄ  ＤＡＴＡ  ＳＷをＨレベルに設定する。予め入力パラメータＳｅｎｄ  ＤＡＴＡ  ＳＷをＨレベルに設定しておくことにより、レンズ側マイコン３１１０は、半二重通信の送受信の切り替えを、入力パラメータＯｕｔｐｕｔ  Ｄｉｓａｂｌｅ１とＯｕｔｐｕｔ  Ｄｉｓａｂｌｅ２のみを用いて制御することができる。
【０２３１】
信号制御回路３１１１ｂの接続端子ＩＮ／ＯＵＴ１の電位がＨレベルのとき、信号制御回路３１１１ｂのバッファ回路Ｘ１２の出力はＨレベルとなって、レンズ側マイコン３１１０はＲｅｃｅｉｖｅ  ＤＡＴＡ１としてＨレベルの信号を受信する。信号制御回路３１１１ｂの接続端子ＩＮ／ＯＵＴ１の電位がＬレベルのとき、バッファ回路Ｘ１２の出力はＬレベルとなって、レンズ側マイコン３１１０はＲｅｃｅｉｖｅ  ＤＡＴＡ１としてＬレベルの信号を受信する。レンズ側マイコン３１１０は、信号制御回路３１１１ｂからＲｅｃｅｉｖｅ  ＤＡＴＡ１としてクロックパルス信号ＣＬＫ３を受信する。同様に、レンズ側マイコン３１１０は、信号制御回路３１１１ｂからＲｅｃｅｉｖｅ  ＤＡＴＡ２としてクロックパルス信号ＣＬＫ３に相補的な反転信号を受信する。  
【０２３２】
オペアンプＰ１の非反転入力にはＲｅｃｅｉｖｅ  ＤＡＴＡ１と同じクロックパルス信号ＣＬＫ３が入力され、オペアンプＰ１の反転入力にはＲｅｃｅｉｖｅ  ＤＡＴＡ２と同じクロックパルス信号ＣＬＫ３に相補的な反転信号が入力される。信号制御回路３１１１ｂのオペアンプＰ１からクロックパルス信号ＣＬＫ３とその反転信号との差分が出力されると、レンズ側マイコン３１１０がその差分をＲｅｃｅｉｖｅ  ＤＡＴＡ３として受信する。
【０２３３】
（３．３）信号制御回路３２１１ａ、３２１１ｃ、３２１１ｄ
ボディ側マイコン３２１０は、信号制御回路３２１１ａ、３２１１ｃ、３２１１ｄの各々に対して、（３．２）でレンズ側マイコン３１１０が信号制御回路３１１１ｂに対して行った制御と同様の制御を行う。
【０２３４】
ボディ側マイコン３２１０は、信号制御回路３２１１ａ、３２１１ｃ、３２１１ｄの各々からＲｅｃｅｉｖｅ  ＤＡＴＡ１としてリードライト信号Ｒ／Ｗ３、データ信号ＤＡＴＡ３、パルス信号を受信する。同様に、ボディ側マイコン３２１０は、信号制御回路３２１１ａ、３２１１ｃ、３２１１ｄの各々からＲｅｃｅｉｖｅ  ＤＡＴＡ２として、リードライト信号Ｒ／Ｗ３、データ信号ＤＡＴＡ３、パルス信号の各々に相補的な反転信号を受信する。
【０２３５】
信号制御回路３２１１ａ、３２１１ｃ、３２１１ｄの各々のオペアンプＰ１の非反転入力にはＲｅｃｅｉｖｅ  ＤＡＴＡ１と同じ信号が入力され、オペアンプＰ１の反転入力にはＲｅｃｅｉｖｅ  ＤＡＴＡ１に入力された信号に相補的な反転信号が入力される。信号制御回路３２１１ａのオペアンプＰ１からはリードライト信号Ｒ／Ｗ３とその反転信号との差分が出力され、信号制御回路３２１１ｃのオペアンプＰ１からはデータ信号ＤＡＴＡ３とその反転信号との差分が出力され、信号制御回路３２１１ｄのオペアンプＰ１からは、パルス信号とその反転信号が出力される。ボディ側マイコン３２１０は、それらの差分をＲｅｃｅｉｖｅ  ＤＡＴＡ３として受信する。
【０２３６】
（３．４）信号制御回路３２１１ｂ
ボディ側マイコン３２１０は、信号制御回路３２１１ｂに対して、（３．１）でレンズ側マイコン３１１０が信号制御回路３１１１ａ、３１１１ｃ、３１１１ｄに対して行った制御と同様の制御を行う。なお、ボディ側マイコン３２１０は、信号制御回路３２１１ｂに対して、入力パラメータＳｅｎｄ  ＤＡＴＡ１としてクロックパルス信号ＣＬＫ３を入力する。
【０２３７】
（通信動作）
本発明の第３の実施の形態におけるデジタルカメラ３の通信動作に関するフローチャートは、第２の実施の形態におけるデジタルカメラ２の通信動作に関するフローチャートと同様である。デジタルカメラ３の通信動作に関するフローチャートは、図９（ａ）のステップＳ８およびステップＳ９で実行される初期通信動作が第２の実施の形態と相異する。
【０２３８】
図２７は、図９（ａ）のステップＳ８およびステップＳ９で実行される初期通信動作に関するフローチャートである。カメラボディ３２００の電源がオンされると、バッテリ２４０の電源がＤＣ／ＤＣコンバータ３２５０に供給される。ＤＣ／ＤＣコンバータ３２５０は、入力電圧Ｖ１と入力電圧Ｖ２とを生成して、入力電圧Ｖ１およびＶ２をカメラボディ３２００のボディ側マイコン３２１０を含む各部へ供給する。
【０２３９】
ステップＳ１０１０では、ボディ側マイコン３２１０は、カメラボディ３２００の各部を初期化する。ボディ側マイコン３２１０は、信号制御回路３２１１ａ〜ｄに対して、図２１に示した制御を行う。
【０２４０】
ステップＳ１０２０では、ボディ側マイコン３２１０は、ＤＣ／ＤＣコンバータ３２５０で生成された入力電圧Ｖ１と入力電圧Ｖ２とを、ＢＡ端子、ＢＦ端子に印加する。
ステップＳ１２００では、交換レンズ３１００のレンズ側マイコン３１１０は、ＬＡ端子、ＬＦ端子を介して電源の供給を受けると、交換レンズ３１００の各部の制御を開始して通信の初期化を行う。レンズ側マイコン３１１０は、信号制御回路３１１１ａ〜ｄに対して、図２０に示した制御を行う。
ステップＳ１２１０では、交換レンズ３１００のレンズ側マイコン３１１０は、フォーカスレンズ駆動部１４１などの駆動系の初期化動作を行う。
【０２４１】
ステップＳ１４００では、入力電圧Ｖ１が入力されたアダプタ側マイコン３４５０は、中間アダプタ３４００の各部の制御を開始して通信の初期化を行う。たとえば、中間アダプタ３４００は、通信パターン（１）の通信を交換レンズ３１００との間で行うための準備を行う。
【０２４２】
ステップＳ１０３０では、ボディ側マイコン３２１０は、ＬＢ−ＢＢ端子間、ＬＣ−ＢＣ端子間、ＬＤ−ＢＤ端子間にそれぞれＨレベルのリードライト信号Ｒ／Ｗ３、クロックパルス信号ＣＬＫ３、レンズ情報の要求コマンドを出力する。ボディ側マイコン３２１０は、ＬＤ−ＢＤ端子間にレンズ情報の要求コマンドをデータ信号ＤＡＴＡ３として出力するとき、ＬＣ−ＢＣ端子間に出力されているクロックパルス信号ＣＬＫ３に同期させる。ボディ側マイコン３２１０は、レンズ情報の要求コマンドの送信が完了した後、信号制御回路３２１１ａおよび３２１１ｃに対する制御を図２２に示した制御に切り替えて、レンズ情報の送信待ち状態に移行する。  ステップＳ１２２０では、レンズ側マイコン３１１０は、ステップＳ１０３０で出力されたレンズ情報の要求コマンドを信号制御回路３１１１ｃにおけるＲｅｃｉｅｖｅ  ＤＡＴＡ１として受信する。
【０２４３】
ステップＳ１２３０では、レンズ側マイコン３１１０は、ＬＩ−ＢＩ端子間にクロックパルス信号ＣＬＫ４を出力し、ＬＪ−ＢＪ端子間に補正パラメータの要求コマンドをデータ信号ＤＡＴＡ４として出力する。レンズ側マイコン３１１０は、ＬＪ−ＢＪ端子間に補正パラメータの要求コマンドをデータ信号ＤＡＴＡ４として出力するとき、クロックパルス信号ＣＬＫ４に同期させる。レンズ側マイコン３１１０は、補正パラメータの要求コマンドの出力が完了した後、信号制御回路３１１１ｂに対する制御を図２２に示した制御に切り替えて、補正パラメータの送信待ち状態に移行する。
ステップＳ１４１０では、アダプタ側マイコン３４５０は、ステップＳ１２３０においてレンズ側マイコン３１１０から送信された補正パラメータの要求コマンドとクロックパルス信号ＣＬＫ４とを受信する。
【０２４４】
ステップＳ１４２０では、アダプタ側マイコン３４５０は、アダプタ側記憶部３４５１に記憶されている補正パラメータをデータ信号ＤＡＴＡ４としてＬＪ−ＢＪ端子間へ出力する。
ステップＳ１２４０では、レンズ側マイコン３１１０は、ステップＳ１４２０においてアダプタ側マイコン３４５０から出力された補正パラメータをＲｅｃｉｅｖｅ  ＤＡＴＡ２として受信する。レンズ側マイコン３１１０は、補正パラメータの受信が完了した後、信号制御回路３１１１ａおよび３１１１ｃに対する制御を図２２に示した制御に切り替える。
【０２４５】
レンズ側マイコン３１１０は、ステップＳ１２４０で受信した補正パラメータに基づいてレンズ側記憶部３１１５に記憶されているレンズ情報を補正する。
ステップＳ１２５０では、レンズ側マイコン３１１０は、Ｌレベルのリードライト信号Ｒ／Ｗ３をＬＢ−ＢＢ端子間へ出力して、補正後のレンズ情報（仕様情報を含む）をデータ信号ＤＡＴＡ３としてＬＤ―ＢＤ端子間へ出力する。レンズ側マイコン３１１０は、補正後のレンズ情報を出力するとき、ボディ側マイコン３２１０がＬＣ−ＢＣ端子間に出力しているクロックパルス信号ＣＬＫ３に同期させる。レンズ側マイコン３１１０は、補正後のレンズ情報の出力を完了した後、信号制御回路３１１１ａ〜ｄに対する制御を図２０に示す制御に切り替えて、通信切替コマンドの送信待ち状態に移行する。
ステップＳ１０４０では、ボディ側マイコン３２１０は、ステップＳ１２５０においてレンズ側マイコン３１１０から送信されたレンズ情報をデータ信号ＤＡＴＡ３として受信する。
【０２４６】
ステップＳ１０５０では、ボディ側マイコン３２１０は、ステップＳ１０４０で受信したレンズ情報に含まれる仕様情報を解析して、交換レンズ３１００が高速通信に対応しているか否かを判定する。たとえば、ボディ側マイコン２１０は、仕様情報にＣＭＯＳタイプの信号出力方式に関する情報または、差動伝送方式に関する情報が含まれるか否かを判定する。ボディ側マイコン２１０は、仕様情報にＣＭＯＳタイプの信号出力方式に関する情報または差動伝送方式に関する情報が含まれる場合、交換レンズ３１００が高速通信対応レンズであると判断し、ステップＳ１０５０を肯定判定して、ステップＳ１０６０の動作に進む。仕様情報にＣＭＯＳタイプの信号出力方式に関する情報および差動伝送方式に関する情報のいずれも含まれない場合、ボディ側マイコン３２１０は、ステップＳ１０５０を否定判定し、図２７の動作をそのまま終了して、定常通信動作を開始する。すなわち、ボディ側マイコン３２１０は、通信パターン（１）による通信のまま定常通信を行うことに決定する。
【０２４７】
ステップＳ１０６０では、ボディ側マイコン３２１０は、仕様情報に基づいて、レンズ側マイコン３１１０とボディ側マイコン３２１０との間で実施する通信パターンを選択する。ボディ側マイコン３２１０は、ＣＭＯＳタイプの信号出力方式に関する情報と差動伝送方式に関する情報の両方を仕様情報に含む場合、ボディ側マイコン３２１０は、定常通信動作に用いる通信として通信パターン（３）を選択する。ＣＭＯＳタイプの信号出力方式に関する情報を仕様情報に含み、差動伝送方式に関する情報を仕様情報に含まない場合、ボディ側マイコン３２１０は、定常通信動作に用いる通信として通信パターン（２）を選択する。
【０２４８】
ボディ側マイコン３２１０は、通信パターンを選択した後、信号制御回路３２１１ａ〜ｄに対する制御を図２１に示す制御に切り替える。
ステップＳ１０７０では、ボディ側マイコン３２１０は、ＬＢ−ＢＢ端子間、ＬＤ−ＢＤ端子間にそれぞれＨレベルのリードライト信号Ｒ／Ｗ３、通信切替コマンドを出力する。通信切替コマンドとは、ステップＳ１０６０において選択された通信パターンに切り替えるようにレンズ側マイコン３１１０へ指示するためのコマンドである。
ステップＳ１２６０では、レンズ側マイコン３１１０は、ステップＳ１０７０においてボディ側マイコン３２１０から送信された通信切替コマンドを受信する。
【０２４９】
ステップＳ１２７０では、レンズ側マイコン３１１０は、ＬＢ−ＢＢ端子間、ＬＩ−ＢＩ端子間、ＬＪ−ＢＪ端子間にそれぞれＬレベルのリードライト信号Ｒ／Ｗ３、クロックパルス信号ＣＬＫ４、遮断コマンドを送信する。遮断コマンドとは、アダプタ側マイコン３４５０に対して、ＬＩ−ＢＩ端子間とＬＪ−ＢＪ端子間への接続を遮断させる（切断させる、Ｈｉ−Ｚにさせる）ためのコマンドである。
ステップＳ１４３０では、アダプタ側マイコン３４５０は、ステップＳ１２７０においてレンズ側マイコン３１１０から送信された遮断コマンドを受信する。
ステップＳ１４４０では、アダプタ側マイコン３４５０は、ＬＩ−ＢＩ端子間とＬＪ−ＢＪ端子間への接続を遮断する（切断する、Ｈｉ−Ｚにする）。
【０２５０】
ステップＳ１２８０では、レンズ側マイコン３１１０は、ＬＤ−ＢＤ端子間に開始信号をデータ信号ＤＡＴＡ３として出力する。開始信号とは、ステップＳ１０６０で選択された通信パターンでの通信を開始することをボディ側マイコン３２１０へ通知するための信号である。
ステップ１０８０では、ボディ側マイコン３２１０は、ステップＳ１２８０においてレンズ側マイコン３１１０から送信された開始信号を受信する。
【０２５１】
ステップＳ１０９０では、ボディ側マイコン３２１０は、信号制御回路３２１１ａ〜３２１１ｄをステップＳ１０６０で選択した通信パターンに切り替える。
ステップＳ１２９０では、レンズ側マイコン３１１０は、信号制御回路３１１１ａ〜３１１１ｄをステップＳ１２６０で受信した通信切替コマンドに応じた通信パターンに切り替える。
【０２５２】
図２８は、図２７のステップＳ１２８０以降のＬＢ−ＢＢ端子間、ＬＣ−ＢＣ端子間、ＬＤ−ＢＤ端子間、ＬＩ−ＢＩ端子間、ＬＪ−ＢＪ端子間、ＬＫ−ＢＫ端子間の信号レベルを示すタイミングチャートの一例である。図２８に例示されるタイミングチャートには、時間Ｔ４１２０と時間Ｔ４１３０と時間Ｔ４１４０とが図示されている。なお、図２７のステップＳ１０６０では、通信パターン（３）が選択されたものとする。
【０２５３】
時間Ｔ４１２０から時間Ｔ４１３０までの期間は、レンズ側マイコン３１１０が図２７のステップＳ１２８０を実行しており、ＬＤ−ＢＤ端子間に“０１００００００”が開始信号の一例として送信されている。なお、図２８では、開始信号を８ビットで示したが、開始信号のビット長は１６ビットでも３２ビットでもよい。
【０２５４】
時間Ｔ４１３０から時間Ｔ４１４０の間の期間では、レンズ側マイコン３１１０が図４のステップＳ１２９０を実行し、ボディ側マイコン３２１０がステップＳ１０９０を実行する。具体的には、レンズ側マイコン３１１０は信号制御回路３１１１ａ〜ｄに対して図２５に示す制御に切り替えて、ボディ側マイコン３２１０は信号制御回路３２１１ａ〜ｄに対して図２６に示す制御に切り替える。その結果、時間Ｔ４１４０以降では、レンズ側マイコン３１１０とボディ側マイコン３２１０との間で通信パターン（３）による通信を行っている。ＬＢ−ＢＢ端子間にはリードライト信号Ｒ／Ｗ３が出力され、ＬＩ−ＢＩ端子間にはそのリードライト信号Ｒ／Ｗ３の反転信号が出力されている。ＬＣ−ＢＣ端子間にはクロックパルス信号ＣＬＫ３が出力され、ＬＪ−ＢＪ端子間にはそのクロックパルス信号ＣＬＫ３の反転信号が出力されている。ＬＤ−ＢＤ端子間にはデータ信号ＤＡＴＡ３として信号“０１１０００００”が出力され、ＬＫ−ＢＫ端子間にはそのデータ信号の反転信号“１００１１１１１”が出力されている。
【０２５５】
時間Ｔ４１４０以降にＬＣ−ＢＣ端子間に出力されるクロックパルス信号ＣＬＫ３は、時間Ｔ４１４０以前のクロックパルス信号ＣＬＫ３よりもパルス周波数が大きい。なお、図２８では、時間Ｔ４１４０以降と時間Ｔ４１４０以前とで各端子間に出力される信号の振幅が同一になるように図示したが、時間Ｔ４１４０以降は各端子間に出力される信号の振幅を小さくして、出力信号の立ち上がりおよび立ち下がりに要する時間を短くすることにしてもよい。このようにすることで、さらなる通信の高速化を図ることができる。
【０２５６】
以上で説明した実施の形態によれば、以下の作用効果が得られる。
本発明の第１および第２の実施の形態による交換レンズ１００は、アクセサリの一種であって、レンズ側マウント部１２０を介してカメラボディ２００に着脱可能に装着される。交換レンズ１００のレンズ側マイコン１１０は、レンズ側第１通信接点群１１１を有し、カメラボディ２００のボディ側第１通信接点群２１１との間に形成される伝送線路を用いてデータ通信を行う。また、レンズ側マイコン１１０は、レンズ側第２通信接点群１１２をさらに有し、カメラボディ２００のボディ側第２通信接点群２１２との間に伝送線路を形成し、レンズ情報の仕様情報にＣＭＯＳタイプの信号出力方式に関する情報と差動伝送方式に関する情報とが含まれている場合は、ボディ側第２通信接点群２１２との間で差動伝送方式による定常通信を行う。レンズ側マイコン１１０は、切替器３０２と切替制御回路３０３とを有し、レンズ情報の仕様情報にＣＭＯＳタイプの信号出力方式に関する情報と差動伝送方式に関する情報とが含まれている場合は、レンズ側第１通信接点群１１１およびレンズ側第２通信接点群１１２の各端子に接続される通信回路（第１通信回路３００および第２通信回路３０１）を切り替える。
交換レンズ１００は、上記のような構成を有し、差動伝送方式による通信に切り替えることができるため、カメラボディ２００との間で高速に定常通信を行うことができる。
【０２５７】
同様に、本発明の第１および第２の実施の形態によるカメラボディ２００は、ボディ側マウント部２２０を介して交換レンズ１００が着脱可能に装着される。カメラボディ２００のボディ側マイコン２１０は、ボディ側第１通信接点群２１１を有し、交換レンズ１００のレンズ側第１通信接点群１１１との間に形成される伝送線路を用いてデータ通信を行う。また、ボディ側マイコン２１０は、ボディ側第２通信接点群２１２をさらに有し、交換レンズ１００のレンズ側第２通信接点群１１２との間に伝送線路を形成し、レンズ情報の仕様情報にＣＭＯＳタイプの信号出力方式に関する情報と差動伝送方式に関する情報とが含まれている場合は、ボディ側第２通信接点群２１２との間で差動伝送方式による通信を行う。ボディ側マイコン２１０は、切替器３０２と切替制御回路３０３とを有し、レンズ情報の仕様情報にＣＭＯＳタイプの信号出力方式に関する情報と差動伝送方式に関する情報とが含まれている場合は、ボディ側第１通信接点群２１１およびボディ側第２通信接点群２１２の各端子に接続される通信回路（第１通信回路３００および第２通信回路３０１）を切り替える。
カメラボディ２００は、上記のような構成を有し、差動伝送方式による通信に切り替えることができるため、交換レンズ１００のようなアクセサリとの間で高速に定常通信を行うことができる。
【０２５８】
本発明の第３の実施の形態による交換レンズ３１００は、アクセサリの一種であって、カメラボディ３２００に着脱可能に装着される。交換レンズ３１００は、図１８に示す回路を有する信号制御回路３１１１ａ〜ｄを備える。信号制御回路３１１１ａ〜ｄは、図１８に示す電気回路を有しており、通信パターン（１）〜（３）の通信をカメラボディとの間で実施する。信号制御回路３１１１ａ〜ｄは、ＬＢ−ＢＢ端子間、ＬＣ−ＢＣ端子間、ＬＤ−ＢＤ端子間、ＬＥ−ＢＥ端子間の各伝送線路を用いてカメラボディ３２００との間で通信を行う。また、信号制御回路３１１１ａ〜ｄは、レンズ情報の仕様情報にＣＭＯＳタイプの信号出力方式に関する情報または差動伝送方式に関する情報に関する情報が含まれている場合には、ＬＢ−ＢＢ端子間、ＬＣ−ＢＣ端子間、ＬＤ−ＢＤ端子間、ＬＥ−ＢＥ端子間、ＬＩ−ＢＩ端子間、ＬＪ−ＢＪ端子間、ＬＫ−ＢＫ端子間、ＬＨ−ＢＨ端子間の各伝送線路を用いてカメラボディ３２００との間で通信を行う。レンズ側マイコン３１１０は、レンズ情報の仕様情報にＣＭＯＳタイプの信号出力方式に関する情報または差動伝送方式に関する情報に関する情報が含まれている場合には、信号制御回路３１１１ａ〜ｄを通信パターン（１）から通信パターン（２）または（３）に切り替えることができる（図２７のステップＳ１２６０、ステップＳ１２９０）。
交換レンズ３１００は、通信パターン（１）では、ＬＢ−ＢＢ端子間、ＬＣ−ＢＣ端子間、およびＬＤ−ＢＤ端子間の各伝送線路を用いて、信号出力方式がオープンドレインタイプであって伝送方式がシングルエンド方式である通信をカメラボディ３２００との間で行う。
通信パターン（２）では、信号出力方式をＣＭＯＳタイプに切り替える。通信パターン（２）では、ＬＩ−ＢＩ端子間、ＬＪ−ＢＪ端子間の伝送線路をさらにカメラボディとの間の通信に用いることにより、すべての通信を片方向通信として実施している。このようにすることで、半二重通信において一つの伝送線路にボディ側マイコン３２１０とレンズ側マイコン３１１０とが同時にデータを送信するなどの誤動作を防止する処理を行う必要が無くなるため、通信パターン（１）よりも高速な通信を実現することができる。
通信パターン（３）では、さらに伝送方式を差動伝送方式に切り替える。これにより、さらに高速な通信を実現することができる。
【０２５９】
以上で説明した実施の形態は、以下のように変形して実施できる。
（変形例１）第１および第２の実施の形態において、第２通信回路３０１を用いる高速な通信は、差動伝送方式だけに限定しない。たとえば、第１通信接点群と第２通信接点群とを用いたパラレル通信によっても高速化できる。第１通信接点群を交換レンズ１００からカメラボディ２００へのデータ転送専用、第２通信接点群をカメラボディ２００から交換レンズ１００へのデータ転送専用とすることで、半二重通信における誤動作（同時にデータを送信するなど）を防止する処理が不要となるため、通信の高速化を実現できる。
【０２６０】
（変形例２）図４（ｂ）、図９（ｂ）、図２７では、カメラボディ２００または３２００の電源がオンになったときの処理についてのみ説明したが、電源がオンされたカメラボディ２００または３２００に交換レンズ１００または３１００などのアクセサリが新たに装着された場合や、デジタルカメラシステム１、２、または３がスリープ状態から復帰した場合にも同様の処理が適用できる。なお、カメラボディやアクセサリがスリープ状態に移行するときに、それまでに設定した各種パラメータを消去するタイプの場合は、カメラボディやアクセサリのマイコンは、図４（ｂ）、図９（ｂ）、図２７に例示される処理を再実行する。一方、カメラボディやアクセサリがスリープ状態に移行しても、それまでに設定した各種パラメータを保持するタイプの場合は、カメラボディやアクセサリのマイコンは、スリープ状態から復帰後即座に高速通信を実施してもよい。
【０２６１】
（変形例３）図４と図９の処理は、交換レンズとカメラボディとの間の高速通信開始動作だけに限定しない。たとえば、カメラボディに着脱可能に装着され第１通信接点群と第２通信接点群とを有する中間アダプタとカメラボディとの間で高速通信を開始する動作にも適用できる。
【０２６２】
（変形例４）また、本発明の実施の形態によるアクセサリは、交換レンズ１００や中間アダプタ４００だけに限定しない。たとえば、図１０に示すような、交換レンズ１００の被写体側に装着されるアクセサリ５００も含まれる。アクセサリ５００の例としては、テレコンバータやワイドコンバータなどが挙げられる。
【０２６３】
（変形例５）交換レンズとカメラボディとの間の高速通信開始動作は、図４（ｂ）、図９（ｂ）、図２７の処理だけに限定しない。
〔１〕交換レンズ１００は、カメラボディ２００からレンズ情報の要求コマンドを受信してから（図４（ｂ）および図９（ｂ）のステップＳ１２０、図２７のステップＳ１０３０）、中間アダプタ４００へ補正パラメータの要求コマンドを送信するまで（図４（ｂ）のステップＳ１３０、図９（ｂ）のステップＳ３３０、図２７のステップＳ１２３０）の間に、カメラボディ２００へ補正前のレンズ情報を送信することにしてもよい。このとき、カメラボディ２００は、レンズ情報を２回受信して１回目に受信したレンズ情報と２回目に受信したレンズ情報とに基づいて中間アダプタ４００または３４００の有無を判断することができる。
〔２〕開始信号の送受信は省略できる。第１および第２の実施の形態では、カメラボディ２００は、ステップＳ５０の処理の後、ステップＳ６０の処理を飛ばしてステップＳ７０へ処理を進めることにしてもよい。また、交換レンズ１００は、ステップＳ１７０（図４）またはステップＳ３７０（図９）の処理の後、ステップＳ１８０を飛ばしてステップＳ１９０へ処理を進めてもよい。第３の実施の形態では、カメラボディ３２００は、ステップＳ１０７０の処理の後、ステップＳ１０８０の処理を飛ばしてステップＳ１０９０へ処理を進めることにしてもよい。また、交換レンズ３１００は、ステップＳ１２６０の処理の後、ステップＳ１２８０を飛ばしてステップＳ１２９０へ処理を進めてもよい。
〔３〕遮断コマンドの送受信は省略できる。第１および第２の実施の形態では、交換レンズ１００は、ステップＳ１６０の処理の後、ステップＳ１７０（図４）またはステップＳ３７０（図９）の処理を飛ばしてステップＳ１８０へ処理を進めることにしてもよい。また、中間アダプタ４００は、ステップＳ４３０の処理の後、ステップＳ４４０を飛ばしてステップＳ４５０へ処理を進めてもよい。第３の実施の形態では、交換レンズ３１００は、ステップＳ１２６０の処理の後、ステップＳ１２７０の処理を飛ばしてステップＳ１２８０へ処理を進めることにしてもよい。また、中間アダプタ３４００は、ステップＳ１４２０の処理の後、ステップＳ１４３０を飛ばしてステップＳ１４４０へ処理を進めてもよい。なお、この変形例は、上記〔２〕と組み合わせてもよく、たとえば、第３の実施の形態の場合、交換レンズ３１００はステップＳ１２６０の処理の後ステップＳ１２７０とステップＳ１２８０を飛ばしてステップＳ１２９０へ処理を進めることにしてもよい。
〔４〕図４のフローチャートにおいて、ボディ側マイコン２１０は、ステップＳ１０にてボディ側第２通信接点群２１２の各端子に接続される通信回路を遮断（切断、オープン、開放、Ｈｉ−Ｚ状態にする）することとしたが、第１通信回路３００側に切り替えることにしてもよい。この場合、ボディ側マイコン２１０は、ステップＳ１３０で送信される補正パラメータの要求コマンドやステップＳ１７０で送信される遮断コマンドを、ボディ側第２通信接点群２１２を用いて受信する。ボディ側マイコン２１０は、補正パラメータの要求コマンドや遮断コマンドを受信したとき、ただちに通信切替コマンドを送信することにしてもよい。なお、レンズ側マイコン１１０が補正パラメータの要求コマンドを受信した後ただちに通信切替コマンドを送信した場合、カメラボディ２１０は差動伝送方式を用いた通信などを用いてレンズ情報を交換レンズ１００から受信することが好ましい。
【０２６４】
（変形例６）第３の実施の形態において、信号制御回路３１１１ａ〜ｄおよび信号制御回路３２１１ａ〜ｄの回路構成は、図１８に示したものでなくてもよい。たとえば、ＮＯＴ素子Ｘ１〜Ｘ４などの各論理素子をすべてＮＡＮＤ素子を用いた論理回路に置換してもよい。
【０２６５】
（変形例７）第３の実施の形態において、通信パターン（１）および（２）ではＬＥ−ＢＥ端子間とＬＨ−ＢＨ端子間とをフォーカスレンズ１４０の状態を示すパルス信号の送受信に用いていたが、ＬＥ−ＢＥ端子間およびＬＨ−ＢＨ端子間のいずれか一方だけをフォーカスレンズ１４０の状態を示すパルス信号の送受信に用いることにしてもよい。
【０２６６】
ＬＥ−ＢＥ端子間およびＬＨ−ＢＨ端子間のいずれか一方だけをフォーカスレンズ１４０の状態を示すパルス信号の送受信に用いることとした場合、パルス信号の送受信に用いない端子間をＬＫ−ＢＫ端子間の代わりに使用してもよい。すなわち、通信パターン（３）において、レンズ側マイコン３１１０とボディ側マイコン３２１０とがＬＨ−ＢＨ端子間を用いてデータ信号ＤＡＴＡ３に相補的な反転信号を半二重通信で送受信することにしてもよい。ＬＨ−ＢＨ端子間を用いてデータ信号ＤＡＴＡ３に相補的な反転信号を送受信する場合、信号制御回路３１１１ｃがＬＤ端子とＬＨ端子とに接続され、信号制御回路３２１１ｃがＢＤ端子とＢＨ端子に接続されるようにすることが好ましい。また、ＬＨ−ＢＨ端子間を用いてデータ信号ＤＡＴＡ３に相補的な反転信号を送受信する場合、ＬＫ端子、ＢＫ端子、ＦＫ端子、ＲＫ端子が不要となるため、端子数を削減することができる。なお、ＬＫ端子、ＢＫ端子、ＦＫ端子、ＲＫ端子を除いて端子数を削減した場合、信号制御回路３１１１ｄと信号制御回路３２１１ｃは、図１８に示す回路でなくてもよく、たとえばオープンドレイン（オープンコレクタ）出力を用いてシングルエンド通信を行うためだけの回路であってもよい。
【０２６７】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【０２６８】
次の優先権基礎出願の開示内容は引用文としてここに組み込まれる。
日本国特許出願２０１２年第１０６８５１号（２０１２年５月８日出願）
【符号の説明】
【０２６９】
１，２，３  デジタルカメラシステム
１００，３１００  交換レンズ
１１０，３１１０  レンズ側マイコン
１１１  レンズ側第１通信接点群
１１２  レンズ側第２通信接点群
１２０  レンズ側マウント部
１３０，３１３０  レンズ側接点群
２００，３２００  カメラボディ
２１０，３２１０  ボディ側マイコン
２１１  ボディ側第１通信接点群
２１２  ボディ側第２通信接点群
２２０  ボディ側マウント部
２３０，３２３０  ボディ側接点群
３００  第１通信回路
３０１  第２通信回路
３０２  切替器
３０３  切替制御回路
３０４  開閉器
３０５  開閉制御回路
４００，３４００  中間アダプタ
４１０  前マウント部
４２０  後マウント部
４３０  前接点群
４４０  後接点群
４５０，３４５０  アダプタ側マイコン
３１１１ａ，３１１１ｂ，３１１１ｃ，３１１１ｄ，３２１１ａ，３２１１ｂ，３２１１ｃ，３２１１ｄ，３４５１ａ，３４５１ｂ  信号制御回路
【図１】
2013168742.tif 000003
【図２】
2013168742.tif 000004
【図３】
2013168742.tif 000005
【図４】
2013168742.tif 000006
【図５】
2013168742.tif 000007
【図６】
2013168742.tif 000008
【図７】
2013168742.tif 000009
【図８】
2013168742.tif 000010
【図９】
2013168742.tif 000011
【図１０】
2013168742.tif 000012
【図１１】
2013168742.tif 000013
【図１２】
2013168742.tif 000014
【図１３】
2013168742.tif 000015
【図１４】
2013168742.tif 000016
【図１５】
2013168742.tif 000017
【図１６】
2013168742.tif 000018
【図１７】
2013168742.tif 000019
【図１８】
2013168742.tif 000020
【図１９】
2013168742.tif 000021
【図２０】
2013168742.tif 000022
【図２１】
2013168742.tif 000023
【図２２】
2013168742.tif 000024
【図２３】
2013168742.tif 000025
【図２４】
2013168742.tif 000026
【図２５】
2013168742.tif 000027
【図２６】
2013168742.tif 000028
【図２７】
2013168742.tif 000029
【図２８】
2013168742.tif 000030
【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
カメラボディに着脱可能に装着され、
第１の伝送線路を用いて、レンズ情報を前記カメラボディへ送信する第１通信部と、
前記レンズ情報を、前記第１の伝送線路と、前記第１の伝送線路とは異なる第２の伝送線路とを用いて前記カメラボディへ送信する第２通信部と、
前記カメラボディとの通信を、前記第１通信部による通信と、前記第２通信部による通信との間で切り替える切替部と、
を備えるアクセサリ。
【請求項２】
請求項１に記載のアクセサリにおいて、
前記第１通信部と前記第２通信部は、同一の通信回路で実現され、
前記通信回路が第１の回路構成のとき前記第１通信部として動作し、
前記通信回路が前記第１の回路構成と異なる第２の回路構成のとき前記第２通信部として動作し、
前記切替部は、前記第１の回路構成と前記第２の回路構成との間で前記通信回路を切り替えるアクセサリ。
【請求項３】
請求項１または２に記載のアクセサリにおいて、
前記第２通信部は、前記第１の伝送線路に出力された信号に相補的な反転信号を前記第２の伝送線路へ出力するアクセサリ。
【請求項４】
請求項１乃至３のいずれか一項に記載のアクセサリにおいて、
前記レンズ情報には、前記アクセサリが前記第２通信部を備えることを表す情報が含まれ、
前記切替部は、前記第１通信部が前記レンズ情報を送信した後に前記第１通信部による通信を前記第２通信部による通信に切り替えるアクセサリ。
【請求項５】
請求項１乃至４のいずれか一項に記載のアクセサリにおいて、
前記アクセサリは、主アクセサリと、前記カメラボディと前記主アクセサリとの間に介在され、前記第２の伝送線路を構成する伝送線路を有する副アクセサリとを有し、
前記第１通信部は、前記第２の伝送線路をさらに用いて、前記副アクセサリとさらに通信するアクセサリ。
【請求項６】
第１接点と第２接点とを備えるカメラボディに着脱可能に装着され、
前記カメラボディに装着されると前記第１接点と接続する第３接点と、
前記カメラボディに装着されると前記第２接点と接続する第４接点と、
前記カメラボディに装着されると、前記各接点を介して前記カメラボディと通信可能な通信部と、
前記通信部と前記第３接点とを接続する第１伝送線路と、
前記通信部と前記第４接点とを接続する第２伝送線路と、
を備え、
前記通信部は、
前記第１伝送線路と前記第３接点とを用いて前記カメラボディと通信する第１通信回路と、
前記第１伝送線路、前記第３接点、前記第２伝送線路、および前記第４接点を用いて前記カメラボディと通信する第２通信回路と、
前記第１通信回路と前記第２通信回路とを切り替える切替部と、
を含むアクセサリ。
【請求項７】
カメラボディ、前記カメラボディに着脱可能に装着される交換レンズ、ならびに前記交換レンズのレンズ情報を前記カメラボディに伝送する第１の伝送線路および第２の伝送線路を有するカメラシステムに用いられ、
前記交換レンズと前記カメラボディとの間に着脱可能に装着され、
前記第１の伝送線路を用いて前記交換レンズと通信する通信部と、
前記交換レンズが前記第１の伝送線路と前記第２の伝送線路の両方を用いて前記カメラボディと通信を開始するのに先立って、前記通信部により先行して行われている前記第１の伝送線路を用いた前記交換レンズとの通信を遮断する遮断部と、
を備えるアクセサリ。
【請求項８】
アクセサリが着脱可能に装着される装着部と、
第１の伝送線路を用いて、レンズ情報を前記アクセサリから受信する第１通信部と、
前記レンズ情報を、前記第１の伝送線路と、前記第１の伝送線路とは異なる第２の伝送線路とを用いて前記アクセサリから受信する第２通信部と、
前記アクセサリとの通信を、前記第１通信部による通信と、前記第２通信部による通信との間で切り替える切替部とを備えるカメラボディ。
【請求項９】
請求項８に記載のカメラボディにおいて、
前記第１通信部と前記第２通信部は、同一の通信回路で実現され、
前記通信回路が第１の回路構成のとき前記第１通信部として動作し、
前記通信回路が前記第１の回路構成と異なる第２の回路構成のとき前記第２通信部として動作し、
前記切替部は、前記第１の回路構成と前記第２の回路構成との間で前記通信回路を切り替えるカメラボディ。
【請求項１０】
請求項８または９に記載のカメラボディにおいて、
前記第２通信部は、前記第１の伝送線路に出力された信号に相補的な反転信号を前記第２の伝送線路へ出力するカメラボディ。
【請求項１１】
請求項８乃至１０のいずれか一項に記載のカメラボディにおいて、
前記レンズ情報には、前記第１の伝送線路および前記第２の伝送線路を用いて前記アクセサリが前記第２通信部と通信可能か否かを表す情報が含まれ、
前記切替部は、前記アクセサリが前記第２通信部と通信可能であることを表す前記レンズ情報を前記第１通信部が受信した後に、前記第１通信部による通信を前記第２通信部による通信に切り替えるカメラボディ。
【請求項１２】
第１接点と第２接点とを備えるアクセサリが着脱可能に装着され、
前記アクセサリに装着されると前記第１接点と接続する第３接点と、
前記アクセサリに装着されると前記第２接点と接続する第４接点と、
前記アクセサリに装着されると、前記各接点を介して前記アクセサリと通信可能な通信部と、
前記通信部と前記第３接点とを接続する第１伝送線路と、
前記通信部と前記第４接点とを接続する第２伝送線路と、
を備え、
前記通信部は、
前記第１伝送線路と前記第３接点とを用いて前記アクセサリと通信する第１通信回路と、
前記第１伝送線路、前記第３接点、前記第２伝送線路、および前記第４接点を用いて前記アクセサリと通信する第２通信回路と、
前記第１通信回路と前記第２通信回路とを切り替える切替部と、
を含むカメラボディ。
【請求項１３】
第１ボディ接点と第２ボディ接点と第３ボディ接点と第４ボディ接点と第５ボディ接点と第６ボディ接点とを備えるカメラボディに着脱可能に装着されるアクセサリであって、
前記カメラボディに装着されているとき前記第１ボディ接点に接続される第１アクセサリ接点と、
前記カメラボディに装着されているとき前記第２ボディ接点に接続される第２アクセサリ接点と、
前記カメラボディに装着されているとき前記第３ボディ接点に接続される第３アクセサリ接点と、
前記カメラボディに装着されているとき前記第４ボディ接点に接続される第４アクセサリ接点と、
前記カメラボディに装着されているとき前記第５ボディ接点に接続される第５アクセサリ接点と、
前記カメラボディに装着されているとき前記第６ボディ接点に接続される第６アクセサリ接点と、
複数の第１伝送線路の各々を前記第１アクセサリ接点と前記第１ボディ接点との間、前記第２アクセサリ接点と前記第２ボディ接点との間、前記第３アクセサリ接点と前記第３ボディ接点との間にそれぞれ形成して、前記複数の第１伝送線路を用いて前記カメラボディと通信する第１通信部と、
所定条件が成立すると、複数の第２伝送線路の各々を前記第４アクセサリ接点と前記第４ボディ接点との間、前記第５アクセサリ接点と前記第５ボディ接点との間、前記第６アクセサリ接点と前記第６ボディ接点との間にそれぞれ形成して、前記複数の第１伝送線路と前記複数の第２伝送線路とを用いて前記カメラボディと通信する第２通信部と、
前記所定条件が成立すると、前記カメラボディとの通信を前記第１通信部による通信から前記第２通信部による通信に切り替える切替部と、
を備え、
前記第１通信部は、
前記第１アクセサリ接点と前記第１ボディ接点との間でリードライト信号を送受信し、
前記第２アクセサリ接点を介して前記第２ボディ接点から第１のクロックパルス信号を受信し、
前記リードライト信号が第１の真理値に対応するレベルの場合、前記第１のクロックパルス信号に同期した第１のデータ信号を前記第３アクセサリ接点を介して前記第３ボディ接点から受信し、
前記リードライト信号が前記第１の真理値とは異なる第２の真理値に対応するレベルの場合、前記第３アクセサリ接点を介して前記第３ボディ接点へ前記第１のデータ信号を送信し、
前記第２通信部は、
前記第１アクセサリ接点と前記第１ボディ接点との間で前記リードライト信号を送受信すると共に、前記リードライト信号に相補的な第１の反転信号を前記第４アクセサリ接点と前記第４ボディ接点との間で送受信し、
前記第２アクセサリ接点を介して前記第２ボディ接点から前記第１のクロックパルス信号より周波数が高い第２のクロックパルス信号を受信すると共に、前記第２のクロックパルス信号に相補的な第２の反転信号を前記第５アクセサリ接点を介して前記第５ボディ接点から受信し、
前記リードライト信号が前記第１の真理値に対応するレベルの場合、前記第２のクロックパルス信号に同期した第２のデータ信号を前記第３アクセサリ接点を介して前記第３ボディ接点から受信すると共に、前記第２のデータ信号に相補的な第３の反転信号を前記第６アクセサリ接点を介して前記第６ボディ接点から受信し、
前記リードライト信号が前記第２の真理値に対応するレベルの場合、前記第３アクセサリ接点を介して前記第３ボディ接点へ前記第２のデータ信号を送信すると共に、前記第３の反転信号を前記第６アクセサリ接点を介して前記第６ボディ接点へ送信するアクセサリ。
【請求項１４】
請求項１３に記載のアクセサリにおいて、
前記第１通信部と前記第２通信部は、同一の通信回路で実現され、
前記通信回路が第１の回路構成のとき前記第１通信部として動作し、
前記通信回路が前記第１の回路構成と異なる第２の回路構成のとき前記第２通信部として動作し、
前記切替部は、前記第１の回路構成と前記第２の回路構成との間で前記通信回路を切り替えるアクセサリ。
【請求項１５】
請求項１３または１４に記載のアクセサリにおいて、
前記アクセサリが前記第２通信部を備えることを表す仕様情報を記憶する情報記憶部をさらに備え、
前記第１通信部は、前記仕様情報を前記カメラボディへ送信し、
前記所定条件には、前記第１通信部が前記仕様情報を送信したことが含まれるアクセサリ。
【請求項１６】
請求項１３乃至１５のいずれか一項に記載のアクセサリにおいて、
前記アクセサリは、主アクセサリと、前記カメラボディと前記主アクセサリとの間に介在され、前記第２の伝送線路を構成する伝送線路を有する副アクセサリとを有し、
前記第１通信部は、
前記主アクセサリに前記副アクセサリが装着されているとき、前記第４アクセサリ接点を介して前記副アクセサリへ第３のクロックパルス信号を送信し、
前記主アクセサリに前記副アクセサリが装着されているとき、前記第５アクセサリ接点を介して前記副アクセサリとの間で前記第３のクロックパルス信号に同期する第３のデータ信号を送受信するアクセサリ。
【請求項１７】
第１ボディ接点と第２ボディ接点と第３ボディ接点と第４ボディ接点と第５ボディ接点と第６ボディ接点とを備えるカメラボディと、前記カメラボディに着脱可能に装着される交換レンズとを有するカメラシステムに用いられ、少なくとも前記交換レンズに着脱可能に装着されるアクセサリであって、
前記交換レンズは、
前記交換レンズが前記カメラボディに装着されているとき前記第１ボディ接点に接続される第１レンズ接点と、
前記交換レンズが前記カメラボディに装着されているとき前記第２ボディ接点に接続される第２レンズ接点と、
前記交換レンズが前記カメラボディに装着されているとき前記第３ボディ接点に接続される第３レンズ接点と、
前記交換レンズが前記カメラボディに装着されているとき前記第４ボディ接点に接続される第４レンズ接点と、
前記交換レンズが前記カメラボディに装着されているとき前記第５ボディ接点に接続される第５レンズ接点と、
前記交換レンズが前記カメラボディに装着されているとき前記第６ボディ接点に接続される第６レンズ接点と、
複数の第１伝送線路の各々を前記第１レンズ接点と前記第１ボディ接点との間、前記第２レンズ接点と前記第２ボディ接点との間、前記第３レンズ接点と前記第３ボディ接点との間にそれぞれ形成して、前記複数の第１伝送線路を用いて前記カメラボディと通信する第１通信部と、
所定条件が成立すると、複数の第２伝送線路の各々を前記第４レンズ接点と前記第４ボディ接点との間、前記第５レンズ接点と前記第５ボディ接点との間、前記第６レンズ接点と前記第６ボディ接点との間にそれぞれ形成して、前記複数の第１伝送線路と前記複数の第２伝送線路とを用いて前記カメラボディと通信する第２通信部と、
を備え、
前記アクセサリは、
前記交換レンズに装着されているとき前記第５レンズ接点に接続される第１アクセサリ接点と、
前記交換レンズに装着されているとき前記第６レンズ接点に接続される第２アクセサリ接点と、
前記第１アクセサリ接点と前記第２アクセサリ接点とを用いて前記交換レンズと通信する通信部と、
前記交換レンズが前記第２通信部を用いて前記カメラボディと通信を開始するのに先立って、前記通信部により先行して行われている前記交換レンズとの通信を遮断する遮断部と、
を備えるアクセサリ。
【請求項１８】
第１アクセサリ接点と第２アクセサリ接点と第３アクセサリ接点と第４アクセサリ接点と第５アクセサリ接点と第６アクセサリ接点とを備えるアクセサリに着脱可能に装着されるカメラボディであって、
前記アクセサリに装着されているとき前記第１アクセサリ接点に接続される第１ボディ接点と、
前記アクセサリに装着されているとき前記第２アクセサリ接点に接続される第２ボディ接点と、
前記アクセサリに装着されているとき前記第３アクセサリ接点に接続される第３ボディ接点と、
前記アクセサリに装着されているとき前記第４アクセサリ接点に接続される第４ボディ接点と、
前記アクセサリに装着されているとき前記第５アクセサリ接点に接続される第５ボディ接点と、
前記アクセサリに装着されているとき前記第６アクセサリ接点に接続される第６ボディ接点と、
複数の第１伝送線路の各々を前記第１アクセサリ接点と前記第１ボディ接点との間、前記第２アクセサリ接点と前記第２ボディ接点との間、前記第３アクセサリ接点と前記第３ボディ接点との間にそれぞれ形成して、前記複数の第１伝送線路を用いて前記アクセサリと通信する第１通信部と、
所定条件が成立すると、複数の第２伝送線路の各々を前記第４アクセサリ接点と前記第４ボディ接点との間、前記第５アクセサリ接点と前記第５ボディ接点との間、前記第６アクセサリ接点と前記第６ボディ接点との間にそれぞれ形成して、前記複数の第１伝送線路と前記複数の第２伝送線路とを用いて前記アクセサリと通信する第２通信部と、
前記所定条件が成立すると、前記アクセサリとの通信を前記第１通信部による通信から前記第２通信部による通信に切り替える切替部と、
を備え、
前記第１通信部は、
前記第１アクセサリ接点と前記第１ボディ接点との間でリードライト信号を送受信し、
前記第２ボディ接点を介して前記第２アクセサリ接点へ第１のクロックパルス信号を送信し、
前記リードライト信号が第１の真理値に対応するレベルの場合、前記第１のクロックパルス信号に同期した第１のデータ信号を前記第３ボディ接点を介して前記第３アクセサリ接点へ送信し、
前記リードライト信号が前記第１の真理値とは異なる第２の真理値に対応するレベルの場合、前記第３ボディ接点を介して前記第３アクセサリ接点から前記第１のデータ信号を受信し、
前記第２通信部は、
前記第１アクセサリ接点と前記第１ボディ接点との間で前記リードライト信号を送受信すると共に、前記リードライト信号に相補的な第１の反転信号を前記第４アクセサリ接点と前記第４ボディ接点との間で送受信し、
前記第２ボディ接点を介して前記第２アクセサリ接点へ前記第１のクロックパルス信号よりも周波数が高い第２のクロックパルス信号を送信すると共に、前記第２のクロックパルス信号に相補的な第２の反転信号を前記第５ボディ接点を介して前記第５アクセサリ接点へ送信し、
前記リードライト信号が前記第１の真理値に対応するレベルの場合、前記第２のクロックパルス信号に同期した第２のデータ信号を前記第３ボディ接点を介して前記第３アクセサリ接点へ送信すると共に、前記第６ボディ接点を介して前記第２のデータ信号に相補的な第３の反転信号を前記第６アクセサリ接点へ送信し、
前記リードライト信号が前記第２の真理値に対応するレベルの場合、前記第２のデータ信号を前記第３ボディ接点を介して前記第３アクセサリ接点から受信すると共に、前記第３の反転信号を前記第６ボディ接点を介して前記第６アクセサリ接点から受信するカメラボディ。
【手続補正２】
【補正対象書類名】明細書
【補正対象項目名】０００５
【補正方法】変更
【補正の内容】
【０００５】
本発明の第１の態様によると、アクセサリは、カメラボディに着脱可能に装着され、第１の伝送線路を用いて、レンズ情報をカメラボディへ送信する第１通信部と、レンズ情報を、第１の伝送線路と、第１の伝送線路とは異なる第２の伝送線路とを用いてカメラボディへ送信する第２通信部と、カメラボディとの通信を、第１通信部による通信と第２通信部による通信との間で切り替える切替部と、を備える。
本発明の第２の態様によると、第１の態様のアクセサリにおいて、第１通信部と第２通信部は、同一の通信回路で実現され、通信回路が第１の回路構成のとき第１通信部として動作し、通信回路が第１の回路構成と異なる第２の回路構成のとき第２通信部として動作し、切替部は、第１の回路構成と第２の回路構成との間で通信回路を切り替えることが好ましい。
本発明の第３の態様によると、第１または第２のアクセサリにおいて、第２通信部は、第１の伝送線路に出力された信号に相補的な反転信号を第２の伝送線路へ出力することが好ましい。
本発明の第４の態様によると、第１乃至第３のいずれか一態様のアクセサリにおいて、レンズ情報には、アクセサリが第２通信部を備えることを表す情報が含まれ、切替部は、第１通信部がレンズ情報を送信した後に第１通信部による通信を第２通信部による通信に切り替えることが好ましい。
本発明の第５の態様によると、第１から第４のいずれか一態様のアクセサリにおいて、アクセサリは、主アクセサリと、カメラボディと主アクセサリとの間に介在され、第２の伝送線路を構成する伝送線路を有する副アクセサリとを有し、第１通信部は、第２の伝送線路をさらに用いて、副アクセサリとさらに通信することが好ましい。
本発明の第６の態様によると、アクセサリは、第１接点と第２接点とを備えるカメラボディに着脱可能に装着され、カメラボディに装着されると第１接点と接続する第３接点と、カメラボディに装着されると第２接点と接続する第４接点と、カメラボディに装着されると、各接点を介してカメラボディと通信可能な通信部と、通信部と第３接点とを接続する第１伝送線路と、通信部と第４接点とを接続する第２伝送線路と、を備え、通信部は、第１伝送線路と第３接点とを用いてカメラボディと通信する第１通信回路と、第１伝送線路、第３接点、第２伝送線路、および第４接点を用いてカメラボディと通信する第２通信回路と、第１通信回路と第２通信回路とを切り替える切替部と、を含む。
【手続補正３】
【補正対象書類名】明細書
【補正対象項目名】０００６
【補正方法】変更
【補正の内容】
【０００６】
本発明の第７の態様によると、アクセサリは、カメラボディ、カメラボディに着脱可能に装着される交換レンズ、ならびに交換レンズのレンズ情報をカメラボディに伝送する第１の伝送線路および第２の伝送線路を有するカメラシステムに用いられ、交換レンズとカメラボディとの間に着脱可能に装着され、第１の伝送線路を用いて交換レンズと通信する通信部と、交換レンズが第１伝送線路と第２伝送線路の両方を用いてカメラボディと通信を開始するのに先立って、通信部により先行して行われている第１の伝送線路を用いた交換レンズとの通信を遮断する遮断部と、を備える。
【手続補正４】
【補正対象書類名】明細書
【補正対象項目名】０００７
【補正方法】変更
【補正の内容】
【０００７】
本発明の第８の態様によると、カメラボディは、アクセサリが着脱可能に装着される装着部と、第１の伝送線路を用いて、レンズ情報をアクセサリから受信する第１通信部と、レンズ情報を、第１の伝送線路と、第１の伝送線路とは異なる第２の伝送線路とを用いてアクセサリから受信する第２通信部と、アクセサリとの通信を、第１通信部による通信と、第２通信部による通信との間で切り替える切替部とを備える。
本発明の第９の態様によると、第８の態様のカメラボディにおいて、第１通信部と第２通信部は、同一の通信回路で実現され、通信回路が第１の回路構成のとき第１通信部として動作し、通信回路が第１の回路構成と異なる第２の回路構成のとき第２通信部として動作し、切替部は、第１の回路構成と第２の回路構成との間で通信回路を切り替える。
本発明の第１０の態様によると、第８または第９の態様のカメラボディにおいて、第２通信部は、第１の伝送線路に出力された信号に相補的な反転信号を第２の伝送線路へ出力することが好ましい。
本発明の第１１の態様によると、第８乃至第１０のいずれか一態様のカメラボディにおいて、レンズ情報には、第１の伝送線路および第２の伝送線路を用いてアクセサリが第２通信部と通信可能か否かを表す情報が含まれ、切替部は、アクセサリが第２通信部と通信可能であることを表すレンズ情報を第１通信部が受信した後に、第１通信部による通信を第２通信部による通信に切り替えることが好ましい。
本発明の第１２の態様によるとカメラボディは、第１接点と第２接点とを備えるアクセサリが着脱可能に装着され、アクセサリに装着されると第１接点と接続する第３接点と、アクセサリに装着されると第２接点と接続する第４接点と、アクセサリに装着されると、各接点を介してアクセサリと通信可能な通信部と、通信部と第３接点とを接続する第１伝送線路と、通信部と第４接点とを接続する第２伝送線路と、を備え、通信部は、第１伝送線路と第３接点とを用いてアクセサリと通信する第１通信回路と、第１伝送線路、第３接点、第２伝送線路、および第４接点を用いてアクセサリと通信する第２通信回路と、第１通信回路と第２通信回路とを切り替える切替部と、を含む。
【手続補正５】
【補正対象書類名】明細書
【補正対象項目名】０００８
【補正方法】変更
【補正の内容】
【０００８】
本発明の第１３の態様によると、アクセサリは、第１ボディ接点と第２ボディ接点と第３ボディ接点と第４ボディ接点と第５ボディ接点と第６ボディ接点とを備えるカメラボディに着脱可能に装着されるアクセサリであって、カメラボディに装着されているとき第１ボディ接点に接続される第１アクセサリ接点と、カメラボディに装着されているとき第２ボディ接点に接続される第２アクセサリ接点と、カメラボディに装着されているとき第３ボディ接点に接続される第３アクセサリ接点と、カメラボディに装着されているとき第４ボディ接点に接続される第４アクセサリ接点と、カメラボディに装着されているとき第５ボディ接点に接続される第５アクセサリ接点と、カメラボディに装着されているとき第６ボディ接点に接続される第６アクセサリ接点と、複数の第１伝送線路の各々を第１アクセサリ接点と第１ボディ接点との間、第２アクセサリ接点と第２ボディ接点との間、第３アクセサリ接点と第３ボディ接点との間にそれぞれ形成して、複数の第１伝送線路を用いてカメラボディと通信する第１通信部と、所定条件が成立すると、複数の第２伝送線路の各々を第４アクセサリ接点と第４ボディ接点との間、第５アクセサリ接点と第５ボディ接点との間、第６アクセサリ接点と第６ボディ接点との間にそれぞれ形成して、複数の第１伝送線路と複数の第２伝送線路とを用いてカメラボディと通信する第２通信部と、所定条件が成立すると、カメラボディとの通信を第１通信部による通信から第２通信部による通信に切り替える切替部と、を備え、第１通信部は、第１アクセサリ接点と第１ボディ接点との間でリードライト信号を送受信し、第２アクセサリ接点を介して第２ボディ接点から第１のクロックパルス信号を受信し、リードライト信号が第１の真理値に対応するレベルの場合、第１のクロックパルス信号に同期した第１のデータ信号を第３アクセサリ接点を介して第３ボディ接点から受信し、リードライト信号が第１の真理値とは異なる第２の真理値に対応するレベルの場合、第３アクセサリ接点を介して第３ボディ接点へ第１のデータ信号を送信し、第２通信部は、第１アクセサリ接点と第１ボディ接点との間でリードライト信号を送受信すると共に、リードライト信号に相補的な第１の反転信号を第４アクセサリ接点と第４ボディ接点との間で送受信し、第２アクセサリ接点を介して第２ボディ接点から第１のクロックパルス信号より周波数が高い第２のクロックパルス信号を受信すると共に、第２のクロックパルス信号に相補的な第２の反転信号を第５アクセサリ接点を介して第５ボディ接点から受信し、リードライト信号が第１の真理値に対応するレベルの場合、第２のクロックパルス信号に同期した第２のデータ信号を第３アクセサリ接点を介して第３ボディ接点から受信すると共に、第２のデータ信号に相補的な第３の反転信号を第６アクセサリ接点を介して第６ボディ接点から受信し、リードライト信号が第２の真理値に対応するレベルの場合、第３アクセサリ接点を介して第３ボディ接点へ第２のデータ信号を送信すると共に、第３の反転信号を第６アクセサリ接点を介して第６ボディ接点へ送信する。
本発明の第１４の態様によると、第１３の態様のアクセサリにおいて、第１通信部と第２通信部は、同一の通信回路で実現され、通信回路が第１の回路構成のとき第１通信部として動作し、通信回路が第１の回路構成と異なる第２の回路構成のとき第２通信部として動作し、切替部は、第１の回路構成と第２の回路構成との間で通信回路を切り替えることが好ましい。
本発明の第１５の態様によると、第１３または第１４の態様のアクセサリにおいて、アクセサリが第２通信部を備えることを表す仕様情報を記憶する情報記憶部をさらに備え、第１通信部は、仕様情報をカメラボディへ送信し、所定条件には、第１通信部が仕様情報を送信したことが含まれることが好ましい。
本発明の第１６の態様によると、第１３乃至第１５のいずれか一態様のアクセサリにおいて、アクセサリは、主アクセサリと、カメラボディと主アクセサリとの間に介在され、第２の伝送線路を構成する伝送線路を有する副アクセサリとを有し、第１通信部は、主アクセサリに副アクセサリが装着されているとき、第４アクセサリ接点を介して副アクセサリへ第３のクロックパルス信号を送信し、主アクセサリに副アクセサリが装着されているとき、第５アクセサリ接点を介して副アクセサリとの間で第３のクロックパルス信号に同期する第３のデータ信号を送受信することが好ましい。
【手続補正６】
【補正対象書類名】明細書
【補正対象項目名】０００９
【補正方法】変更
【補正の内容】
【０００９】
本発明の第１７の態様によると、アクセサリは、第１ボディ接点と第２ボディ接点と第３ボディ接点と第４ボディ接点と第５ボディ接点と第６ボディ接点とを備えるカメラボディと、カメラボディに着脱可能に装着される交換レンズとを有するカメラシステムに用いられ、少なくとも交換レンズに着脱可能に装着されるアクセサリであって、交換レンズは、交換レンズがカメラボディに装着されているとき第１ボディ接点に接続される第１レンズ接点と、交換レンズがカメラボディに装着されているとき第２ボディ接点に接続される第２レンズ接点と、交換レンズがカメラボディに装着されているとき第３ボディ接点に接続される第３レンズ接点と、交換レンズがカメラボディに装着されているとき第４ボディ接点に接続される第４レンズ接点と、交換レンズがカメラボディに装着されているとき第５ボディ接点に接続される第５レンズ接点と、交換レンズがカメラボディに装着されているとき第６ボディ接点に接続される第６レンズ接点と、複数の第１伝送線路の各々を第１レンズ接点と第１ボディ接点との間、第２レンズ接点と第２ボディ接点との間、第３レンズ接点と第３ボディ接点との間にそれぞれ形成して、複数の第１伝送線路を用いてカメラボディと通信する第１通信部と、所定条件が成立すると、複数の第２伝送線路の各々を第４レンズ接点と第４ボディ接点との間、第５レンズ接点と第５ボディ接点との間、第６レンズ接点と第６ボディ接点との間にそれぞれ形成して、複数の第１伝送線路と複数の第２伝送線路とを用いてカメラボディと通信する第２通信部と、を備え、アクセサリは、交換レンズに装着されているとき第５レンズ接点に接続される第１アクセサリ接点と、交換レンズに装着されているとき第６レンズ接点に接続される第２アクセサリ接点と、第１アクセサリ接点と第２アクセサリ接点とを用いて交換レンズと通信する通信部と、交換レンズが第２通信部を用いてカメラボディと通信を開始するのに先立って、通信部により先行して行われている交換レンズとの通信を遮断する遮断部と、を備える。
【手続補正７】
【補正対象書類名】明細書
【補正対象項目名】００１０
【補正方法】変更
【補正の内容】
【００１０】
本発明の第１８の態様によると、カメラボディは、第１アクセサリ接点と第２アクセサリ接点と第３アクセサリ接点と第４アクセサリ接点と第５アクセサリ接点と第６アクセサリ接点とを備えるアクセサリに着脱可能に装着されるカメラボディであって、アクセサリに装着されているとき第１アクセサリ接点に接続される第１ボディ接点と、アクセサリに装着されているとき第２アクセサリ接点に接続される第２ボディ接点と、アクセサリに装着されているとき第３アクセサリ接点に接続される第３ボディ接点と、アクセサリに装着されているとき第４アクセサリ接点に接続される第４ボディ接点と、アクセサリに装着されているとき第５アクセサリ接点に接続される第５ボディ接点と、アクセサリに装着されているとき第６アクセサリ接点に接続される第６ボディ接点と、複数の第１伝送線路の各々を第１アクセサリ接点と第１ボディ接点との間、第２アクセサリ接点と第２ボディ接点との間、第３アクセサリ接点と第３ボディ接点との間にそれぞれ形成して、複数の第１伝送線路を用いてアクセサリと通信する第１通信部と、所定条件が成立すると、複数の第２伝送線路の各々を第４アクセサリ接点と第４ボディ接点との間、第５アクセサリ接点と第５ボディ接点との間、第６アクセサリ接点と第６ボディ接点との間にそれぞれ形成して、複数の第１伝送線路と複数の第２伝送線路とを用いてアクセサリと通信する第２通信部と、所定条件が成立すると、アクセサリとの通信を第１通信部による通信から第２通信部による通信に切り替える切替部と、を備え、第１通信部は、第１アクセサリ接点と第１ボディ接点との間でリードライト信号を送受信し、第２ボディ接点を介して第２アクセサリ接点へ第１のクロックパルス信号を送信し、リードライト信号が第１の真理値に対応するレベルの場合、第１のクロックパルス信号に同期した第１のデータ信号を第３ボディ接点を介して第３アクセサリ接点へ送信し、リードライト信号が第１の真理値とは異なる第２の真理値に対応するレベルの場合、第３ボディ接点を介して第３アクセサリ接点から第１のデータ信号を受信し、第２通信部は、第１アクセサリ接点と第１ボディ接点との間でリードライト信号を送受信すると共に、リードライト信号に相補的な第１の反転信号を第４アクセサリ接点と第４ボディ接点との間で送受信し、第２ボディ接点を介して第２アクセサリ接点へ第１のクロックパルス信号よりも周波数が高い第２のクロックパルス信号を送信すると共に、第２のクロックパルス信号に相補的な第２の反転信号を第５ボディ接点を介して第５アクセサリ接点へ送信し、リードライト信号が第１の真理値に対応するレベルの場合、第２のクロックパルス信号に同期した第２のデータ信号を第３ボディ接点を介して第３アクセサリ接点へ送信すると共に、第６ボディ接点を介して第２のデータ信号に相補的な第３の反転信号を第６アクセサリ接点へ送信し、リードライト信号が第２の真理値に対応するレベルの場合、第２のデータ信号を第３ボディ接点を介して第３アクセサリ接点から受信すると共に、第３の反転信号を第６ボディ接点を介して第６アクセサリ接点から受信する。
【手続補正書】
【提出日】平成27年3月31日(2015.3.31)
【手続補正１】
【補正対象書類名】明細書
【補正対象項目名】００５０
【補正方法】変更
【補正の内容】
【００５０】
時間Ｔ１３０から時間Ｔ１４０の間の期間では、レンズ側マイコン１１０が図４（ｂ）のステップＳ１９０を実行し、ボディ側マイコン２１０が図４のステップＳ７０を実行する。これにより、レンズ側マイコン１１０とボディ側マイ
コン２１０との両方がレンズ側第１通信接点群１１１およびレンズ側第２通信接点群１１２の各端子ならびにボディ側第１通信接点群２１１およびボディ側第２通信接点群２１２の各端子に第２通信回路３０１を接続する。
【手続補正２】
【補正対象書類名】明細書
【補正対象項目名】００６４
【補正方法】変更
【補正の内容】
【００６４】
図９（ｂ）は、図９（ａ）のステップＳ５、Ｓ６、Ｓ７で実行される初期通信動作に関するフローチャートである。なお、図９（ｂ）において、図４（ｂ）と同様の動作を表すフローには同一の符号を付してその説明を省略する。
【手続補正３】
【補正対象書類名】明細書
【補正対象項目名】００６６
【補正方法】変更
【補正の内容】
【００６６】
ステップＳ３３０では、レンズ側マイコン１１０は、ステップＳ１３０と同様に、レンズ側第２通信接点群１１２を用いて、補正パラメータの要求コマンドを送信する。その後、レンズ側マイコン１１０は、ステップＳ３４０の動作に進み、補正パラメータの要求コマンドを送信後から所定時間経過するまでの間、補正パラメータの受信待ち状態となる。
ステップＳ４２０では、アダプタ側マイコン４５０は、ステップＳ３３０で送信された補正パラメータの要求コマンドを受信する。ステップＳ４３０では、アダプタ側マイコン４５０は、アダプタ記憶部４５１に記憶されている補正パラメータを、交換レンズ１００へ送信する。ステップＳ３４０で補正パラメータの受信待ち状態となっていたレンズ側マイコン１１０は、ステップＳ４３０で送信された補正パラメータを受信する。これにより、レンズ側マイコン１１０は、中間アダプタ４００との間の通信が第２通信接点群１１２を用いて確立されたことを認識する。
【手続補正４】
【補正対象書類名】明細書
【補正対象項目名】００６８
【補正方法】変更
【補正の内容】
【００６８】
ステップＳ３７０では、レンズ側マイコン１１０は、レンズ側第２通信接点群１１２を用いて、中間アダプタ用の遮断コマンドを送信する。
ステップＳ４４０では、アダプタ側マイコン４５０は、中間アダプタ用の遮断コマンドを受信する。ステップＳ４５０では、アダプタ側マイコン４５０は、開閉器３０４を開いて各端子から第１通信回路３００を遮断する。
【手続補正５】
【補正対象書類名】明細書
【補正対象項目名】００７３
【補正方法】変更
【補正の内容】
【００７３】
中間アダプタ３４００の前マウント部４１０にレンズ側マウント部１２０が装着されると、前接点群３４３０がレンズ側接点群３１３０に電気的に接続される。また、中間アダプタ３４００の後マウント部４２０にボディ側マウント部２２０が装着されると、後接点群３４４０がボディ側接点群３２３０に電気的に接続される。前接点群３４３０の各端子と後接点群３４４０の各端子は、中間アダプタ３４００の内部で電気的に接続されている。そのため、レンズ側接点群３１３０とボディ側接点群３２３０とは、中間アダプタ３４００を介して電気的に接続されている。
【手続補正６】
【補正対象書類名】明細書
【補正対象項目名】００７７
【補正方法】変更
【補正の内容】
【００７７】
ボディ側記憶部３２１５は、フラッシュメモリなどの不揮発性の記憶媒体であって、ボディ側マイコン３２１０がカメラボディ３２００を制御する際に実行する制御プログラムなどが記憶されている。また、ボディ側記憶部３２１５には、カメラボディ３２００がボディ側接点群３２３０を用いて実施可能な信号出力方式と伝送方式とに関する情報が含まれる。
【手続補正７】
【補正対象書類名】明細書
【補正対象項目名】００８４
【補正方法】変更
【補正の内容】
【００８４】
（レンズ側マイコン３１１０とボディ側マイコン３２１０との電気的な接続について）
図１７は、交換レンズ３１００とカメラボディ３２００と中間アダプタ３４００の通信に関係する構成とそれらの電気的な接続を示す図である。
図１７には、カメラボディ３２００の構成のうち、ボディ側マイコン３２１０とボディ側接点群３２３０とＤＣ／ＤＣコンバータ３２５０とバッテリ２４０とが図示されている。ボディ側マイコン３２１０は、信号制御回路３２１１ａ〜ｄを内蔵している。
【手続補正８】
【補正対象書類名】明細書
【補正対象項目名】００８５
【補正方法】変更
【補正の内容】
【００８５】
信号制御回路３２１１ａ〜ｄは、ボディ側マイコン３２１０の制御に基づいて通信を実行するための回路である。信号制御回路３２１１ａは、ボディ側接点群３２３０のＢＢ端子とＢＩ端子が接続されており、ＢＢ端子とＢＩ端子とを用いた通信を実行する。同様に、信号制御回路３２１１ｂにはボディ側接点群３２３０のＢＣ端子とＢＪ端子が接続され、信号制御回路３２１１ｃにはボディ側接点群３２３０のＢＤ端子とＢＫ端子が接続され、信号制御回路３２１１ｄにはボディ側接点群３２３０のＢＥ端子とＢＨ端子が接続されている。これらの信号制御回路３２１１ｂ〜ｄは、各々に接続されている各端子を用いた通信をそれぞれ実行する。
【手続補正９】
【補正対象書類名】明細書
【補正対象項目名】００８９
【補正方法】変更
【補正の内容】
【００８９】
交換レンズ３１００については、フォーカスレンズ駆動部１４１とレンズ側マイコン３１１０とレンズ側接点群３１３０とＤＣ／ＤＣコンバータ３１５０とが図１７に図示されている。レンズ側マイコン３１１０は、信号制御回路３１１１ａ〜ｄを内蔵している。
【手続補正１０】
【補正対象書類名】明細書
【補正対象項目名】００９０
【補正方法】変更
【補正の内容】
【００９０】
信号制御回路３１１１ａ〜ｄは、レンズ側マイコン３１１０の制御に基づいて通信を実行するための回路である。信号制御回路３１１１ａは、レンズ側接点群３１３０のＬＢ端子とＬＩ端子が接続されており、ＬＢ端子とＬＩ端子とを用いた通信を実行する。同様に、信号制御回路３１１１ｂにはレンズ側接点群３１３０のＬＣ端子とＬＪ端子が接続され、信号制御回路３１１１ｃにはレンズ側接点群３１３０のＬＤ端子とＬＫ端子が接続され、信号制御回路３１１１ｄにはレンズ側接点群３１３０のＬＥ端子とＬＨ端子が接続されている。これらの信号制御回路３１１１ｂ〜ｄは、各々に接続されている各端子を用いた通信をそれぞれ実行する。
【手続補正１１】
【補正対象書類名】明細書
【補正対象項目名】００９４
【補正方法】変更
【補正の内容】
【００９４】
（信号制御回路３１１１ａ〜ｄおよび信号制御回路３２１１ａ〜ｄ）
図１８は、信号制御回路３１１１ａの回路図の一例である。信号制御回路３１１１ｂ〜ｄと信号制御回路３２１１ａ〜ｄの回路も図１８に示す回路と同様の回路を有する。図１８に示すように、信号制御回路３１１１ａは、ＮＯＴ素子Ｘ１〜Ｘ４、ＮＡＮＤ素子Ｘ５およびＸ６、ＮＯＲ素子Ｘ７およびＸ８、ＡＮＤ素子Ｘ９およびＸ１０、ＯＲ素子Ｘ１１、バッファ回路Ｘ１２およびＸ１３、オペアンプＰ１、ｐチャネル型の金属酸化物半導体型電界効果トランジスタ（ＭＯＳＦＥＴ）Ｑ１〜Ｑ４、ｎチャネル型の金属酸化物半導体型電界効果トランジスタ（ＭＯＳＦＥＴ）Ｑ５およびＱ６、抵抗器Ｒ１およびＲ２を備える。以降、金属酸化物半導体型電界効果トランジスタのことを単に電界効果トランジスタと記載する。
【手続補正１２】
【補正対象書類名】明細書
【補正対象項目名】００９５
【補正方法】変更
【補正の内容】
【００９５】
信号制御回路３１１１ａには、Ｐｕｌｌ−ｕｐ  Ｅｎａｂｌｅ１、Ｐｕｌｌ−ｕｐ  Ｅｎａｂｌｅ２、Ｓｅｎｄ  ＤＡＴＡ１、Ｓｅｎｄ  ＤＡＴＡ２、Ｏｕｔｐｕｔ  Ｄｉｓａｂｌｅ１、Ｏｕｔｐｕｔ  Ｄｉｓａｂｌｅ２、Ｓｅｎｄ  ＤＡＴＡ  ＳＷとそれぞれ呼称される入力パラメータがレンズ側マイコン３１１０から入力される。各入力パラメータは、ＬレベルとＨレベルのいずれかの値を取る。Ｌレベルとは、真理値Ｆａｌｓｅ（偽、０）に対応する信号レベルであって、たとえば０．８Ｖ以下の信号電圧である。Ｈレベルとは、真理値Ｔｒｕｅ（真、１）に対応する信号レベルであって、たとえば電源電圧Ｖｄｄの約０．５倍以上の信号電圧である。
【手続補正１３】
【補正対象書類名】明細書
【補正対象項目名】００９６
【補正方法】変更
【補正の内容】
【００９６】
なお、これらの入力パラメータは信号制御回路３１１１ａ〜ｄの各々に対して一つずつ設けられており、レンズ側マイコン３１１０は信号制御回路３１１１ａ〜ｄの各々を個別に制御することができる。信号制御回路３２１１ａ〜ｄの各々に対しても同様に上記の入力パラメータが一つずつ設けられており、ボディ側マイコン３２１０は信号制御回路３２１１ａ〜ｄの各々を個別に制御することができる。
【手続補正１４】
【補正対象書類名】明細書
【補正対象項目名】００９７
【補正方法】変更
【補正の内容】
【００９７】
信号制御回路３１１１ａは、レンズ側接点群３１３０のＬＢ端子に接続される接続端子ＩＮ／ＯＵＴ１と、レンズ側接点群３１３０のＬＩ端子に接続される接続端子ＩＮ／ＯＵＴ２とを有する。接続端子ＩＮ／ＯＵＴ１は、レンズ側マイコン３１１０がＬＢ端子を介して信号を送信する場合は出力端子として用いられ、レンズ側マイコン３１１０がＬＢ端子を介して信号を受信する場合は入力端子として用いられる。不図示の信号制御回路３１１１ｂ〜ｄについても同様に接続端子ＩＮ／ＯＵＴ１と接続端子ＩＮ／ＯＵＴ２とを有し、レンズ側接点群３１３０の各端子に接続されている。たとえば、信号制御回路３１１１ｂの場合、接続端子ＩＮ／ＯＵＴ１がレンズ側接点群３１３０のＬＣ端子に接続され、接続端子ＩＮ／ＯＵＴ２がレンズ側接点群３１３０のＬＪ端子に接続される。
【手続補正１５】
【補正対象書類名】明細書
【補正対象項目名】００９８
【補正方法】変更
【補正の内容】
【００９８】
なお、不図示の信号制御回路３２１１ａも同様に接続端子ＩＮ／ＯＵＴ１と接続端子ＩＮ／ＯＵＴ２とを有し、接続端子ＩＮ／ＯＵＴ１がボディ側接点群３２３０のＢＢ端子に接続され、接続端子ＩＮ／ＯＵＴ２がボディ側接点群３２３０のＢＩ端子に接続されている。不図示の信号制御回路３２１１ｂ〜ｄについても同様に接続端子ＩＮ／ＯＵＴ１と接続端子ＩＮ／ＯＵＴ２とを有し、図１７で示したように、ボディ側接点群３２３０の各端子に接続されている。
【手続補正１６】
【補正対象書類名】明細書
【補正対象項目名】００９９
【補正方法】変更
【補正の内容】
【００９９】
Ｒｅｃｅｉｖｅ  ＤＡＴＡ１、Ｒｅｃｅｉｖｅ  ＤＡＴＡ２、Ｒｅｃｅｉｖｅ  ＤＡＴＡ３は、信号制御回路３１１１ａが接続端子ＩＮ／ＯＵＴ１や接続端子ＩＮ／ＯＵＴ２を介して受信した信号である。なお、信号制御回路３１１１ｂ〜ｄ、信号制御回路３２１１ａ〜ｄも、同様に、Ｒｅｃｅｉｖｅ  ＤＡＴＡ１、Ｒｅｃｅｉｖｅ  ＤＡＴＡ２、Ｒｅｃｅｉｖｅ  ＤＡＴＡ３を有する。
【手続補正１７】
【補正対象書類名】明細書
【補正対象項目名】０１００
【補正方法】変更
【補正の内容】
【０１００】
入力パラメータＰｕｌｌ−ｕｐ  Ｅｎａｂｌｅ１は、電界効果トランジスタＱ２のゲートへ入力される。入力パラメータＰｕｌｌ−ｕｐ  Ｅｎａｂｌｅ１がＬレベルのとき、電界効果トランジスタＱ２がオン状態となり、入力パラメータＰｕｌｌ−ｕｐ  Ｅｎａｂｌｅ１がＨレベルのとき電界効果トランジスタＱ２がオフ状態となる。
入力パラメータＳｅｎｄ  ＤＡＴＡ１は、ＮＯＴ素子Ｘ２とＮＡＮＤ素子Ｘ５とＮＯＲ素子Ｘ７へ入力される。
入力パラメータＯｕｔｐｕｔ  Ｄｉｓａｂｌｅ１は、ＮＯＴ素子Ｘ１とＮＯＲ素子Ｘ７へ入力される。
【手続補正１８】
【補正対象書類名】明細書
【補正対象項目名】０１０１
【補正方法】変更
【補正の内容】
【０１０１】
入力パラメータＰｕｌｌ−ｕｐ  Ｅｎａｂｌｅ２は、電界効果トランジスタＱ４のゲートへ入力される。入力パラメータＰｕｌｌ−ｕｐ  Ｅｎａｂｌｅ２がＬレベルのとき電界効果トランジスタＱ４がオン状態となり、入力パラメータＰｕｌｌ−ｕｐ  Ｅｎａｂｌｅ２がＨレベルのとき電界効果トランジスタＱ４がオフ状態となる。
入力パラメータＳｅｎｄ  ＤＡＴＡ２は、ＡＮＤ素子Ｘ９へ入力される。
入力パラメータＯｕｔｐｕｔ  Ｄｉｓａｂｌｅ２は、ＮＯＴ素子Ｘ４とＮＯＲ素子Ｘ８へ入力される。
【手続補正１９】
【補正対象書類名】明細書
【補正対象項目名】０１０４
【補正方法】変更
【補正の内容】
【０１０４】
ＮＡＮＤ素子Ｘ５は、入力パラメータＳｅｎｄ  ＤＡＴＡ１とＮＯＴ素子Ｘ１の演算結果とを入力として否定論理積を演算する。演算結果は、電界効果トランジスタＱ１のゲートへ出力される。
ＮＡＮＤ素子Ｘ６は、ＯＲ素子Ｘ１１による論理和の演算結果とＮＯＴ素子Ｘ４による論理否定の演算結果とを入力として否定論理積を演算する。演算結果は、電界効果トランジスタＱ３のゲートへ出力される。
【手続補正２０】
【補正対象書類名】明細書
【補正対象項目名】０１０５
【補正方法】変更
【補正の内容】
【０１０５】
ＮＯＲ素子Ｘ７は、入力パラメータＳｅｎｄ  ＤＡＴＡ１と入力パラメータＯｕｔｐｕｔ  Ｄｉｓａｂｌｅ１とを入力として否定論理和を演算する。演算結果は、電界効果トランジスタＱ５へ出力される。
ＮＯＲ素子Ｘ８は、ＯＲ素子Ｘ１１による論理和の演算結果と入力パラメータＯｕｔｐｕｔ  Ｄｉｓａｂｌｅ２とを入力として否定論理和を演算する。演算結果は、電界効果トランジスタＱ６へ出力される。
【手続補正２１】
【補正対象書類名】明細書
【補正対象項目名】０１１２
【補正方法】変更
【補正の内容】
【０１１２】
電界効果トランジスタＱ５は、そのドレインが接続端子ＩＮ／ＯＵＴ１に接続されており、ソースが接地されている。電界効果トランジスタＱ５のゲートにはＮＯＲ素子Ｘ７から否定論理和の演算結果が入力される。電界効果トランジスタＱ５がオン状態となると、接続端子ＩＮ／ＯＵＴ１が電界効果トランジスタＱ５を介してプルダウンされる。
【手続補正２２】
【補正対象書類名】明細書
【補正対象項目名】０１１７
【補正方法】変更
【補正の内容】
【０１１７】
（信号制御回路３１１１ａ〜ｄおよび信号制御回路３２１１ａ〜ｄによる通信制御）
レンズ側マイコン３１１０とボディ側マイコン３２１０とは、信号出力方式と伝送方式とを以下の通信パターン（１）〜（３）のように組み合わせた通信を実行する。
通信パターン（１）：オープンドレインタイプ，シングルエンド方式
通信パターン（２）ＣＭＯＳタイプ，シングルエンド方式
通信パターン（３）ＣＭＯＳタイプ，差動伝送方式
【手続補正２３】
【補正対象書類名】明細書
【補正対象項目名】０１１９
【補正方法】変更
【補正の内容】
【０１１９】
レンズ側マイコン３１１０がデータ信号ＤＡＴＡ３を出力する際、ＬＢ−ＢＢ端子間へＬレベルのリードライト信号Ｒ／Ｗ３を送信した後、ＬＤ−ＢＤ端子間へデータ信号ＤＡＴＡ３を出力する。このとき、ボディ側マイコン３２１０は、データ信号ＤＡＴＡ３を受信する。
ボディ側マイコン３２１０がデータ信号ＤＡＴＡ３を出力する際、ＬＢ−ＢＢ端子間へＨレベルのリードライト信号Ｒ／Ｗ３を送信した後、ＬＤ−ＢＤ端子間へデータ信号ＤＡＴＡ３を出力する。このとき、レンズ側マイコン３１１０は、データ信号ＤＡＴＡ３を受信する。
ＬＤ−ＢＤ端子間で送受信されるデータ信号ＤＡＴＡ３は、クロックパルス信号ＣＬＫ３に同期する。
【手続補正２４】
【補正対象書類名】明細書
【補正対象項目名】０１２１
【補正方法】変更
【補正の内容】
【０１２１】
通信パターン（１）では、レンズ側マイコン３１１０は、ＬＩ端子とＬＪ端子とをアダプタ側マイコン３４５０との通信に用いる。レンズ側マイコン３１１０は、レンズ側接点群３１３０のＬＩ端子から中間アダプタ３４００へクロックパルス信号ＣＬＫ４を片方向通信で送信する。また、レンズ側マイコン３１１０は、レンズ側接点群３１３０のＬＪ端子を介して、中間アダプタ３４００との間でデータ信号ＤＡＴＡ４を送受信する半二重通信を行う。
【手続補正２５】
【補正対象書類名】明細書
【補正対象項目名】０１３０
【補正方法】変更
【補正の内容】
【０１３０】
そして、レンズ側マイコン３１１０は、信号制御回路３１１１ｄに対して、フォーカスレンズ１４０の状態を示すパルス信号を入力パラメータＯｕｔｐｕｔ  Ｄｉｓａｂｌｅ１として出力する。信号制御回路３１１１ｄでは、ＮＯＲ素子Ｘ７において、そのパルス信号と、入力パラメータＳｅｎｄ  ＤＡＴＡ１として入力されたＬレベルの信号とを入力とする否定論理和演算が行われる。その結果、信号制御回路３１１１ｄでは、ＮＯＲ素子Ｘ７から電界効果トランジスタＱ５のゲートへパルス信号の反転信号が出力される。
【手続補正２６】
【補正対象書類名】明細書
【補正対象項目名】０１４３
【補正方法】変更
【補正の内容】
【０１４３】
ボディ側マイコン３２１０は、信号制御回路３２１１ａ〜ｃの各々に対して、入力パラメータＯｕｔｐｕｔ  Ｄｉｓａｂｌｅ１としてリードライト信号Ｒ／Ｗ３、クロックパルス信号ＣＬＫ３、データ信号ＤＡＴＡ３をそれぞれ出力する。信号制御回路３２１１ａ〜ｃの各々では、ＮＯＲ素子Ｘ７において、それらの信号と、入力パラメータＳｅｎｄ  ＤＡＴＡ１として入力されたＬレベルの信号とを入力とする否定論理和演算が行われる。その結果、信号制御回路３２１１ａ〜ｃでは、入力パラメータＯｕｔｐｕｔ  Ｄｉｓａｂｌｅ１として入力された信号の反転信号がＮＯＲ素子Ｘ７から電界効果トランジスタＱ５のゲートへ出力される。
【手続補正２７】
【補正対象書類名】明細書
【補正対象項目名】０１４４
【補正方法】変更
【補正の内容】
【０１４４】
ボディ側マイコン３２１０が信号制御回路３２１１ａ〜ｃの各々に対して入力パラメータＰｕｌｌ−ｕｐ  Ｅｎａｂｌｅ１とＳｅｎｄ  ＤＡＴＡ１とをＬレベルに設定することにより、信号制御回路３２１１ａ〜ｃの各々の接続端子ＩＮ／ＯＵＴ１に向けてオープンドレインタイプの信号出力が行われる。ボディ側マイコン３２１０は、信号制御回路３２１１ａ〜ｃの各々に対してリードライト信号Ｒ／Ｗ３、クロックパルス信号ＣＬＫ３、データ信号ＤＡＴＡ３をそれぞれ入力パラメータＯｕｔｐｕｔ  Ｄｉｓａｂｌｅ１として入力して、接続端子ＩＮ／ＯＵＴ１からオープンドレインタイプの信号出力方式でそれらの信号をＢＢ端子、ＢＣ端子、ＢＤ端子へ出力する。これらの信号は、ＬＢ−ＢＢ端子間、ＬＣ−ＢＣ端子間、ＬＤ−ＢＤ端子間の各伝送線路を介してレンズ側マイコン３１１０へ送信されて、信号制御回路３１１１ａ〜ｃの各々のＲｅｃｅｉｖｅ  ＤＡＴＡ１として受信される。また、信号制御回路３２１１ａ〜ｃの各々のバッファ回路Ｘ１２は、これらの信号をボディ側マイコン３２１０に向けて出力する。ボディ側マイコン３２１０は、これらの信号をＲｅｃｅｉｖｅ  ＤＡＴＡ１として受信する。
【手続補正２８】
【補正対象書類名】明細書
【補正対象項目名】０１５０
【補正方法】変更
【補正の内容】
【０１５０】
図２２を参照して、レンズ側マイコン３１１０とボディ側マイコン３２１０との間の半二重通信においてレンズ側マイコン３１１０を送信側とした場合について説明する。
レンズ側マイコン３１１０を送信側とした場合、レンズ側マイコン３１１０は、図２０に示した信号制御回路３１１１ｄに対する制御と同様の制御を信号制御回路３１１１ａに対して行う。ただし、入力パラメータＯｕｔｐｕｔ  Ｄｉｓａｂｌｅ１、入力パラメータＯｕｔｐｕｔ  Ｄｉｓａｂｌｅ２として入力する信号は、パルス信号からリードライト信号Ｒ／Ｗ３とクロックパルス信号ＣＬＫ４にそれぞれ変更する。
また、レンズ側マイコン３１１０は、ボディ側マイコン３２１０が図２１に示した信号制御回路３２１１ｃに対する制御と同様の制御を信号制御回路３１１１ｃに対して行う。
ボディ側マイコン３２１０は、レンズ側マイコン３１１０が図２０に示した信号制御回路３１１１ｃに対する制御と同様の制御を信号制御回路３２１１ａおよび３２１１ｃに対して行う。ただし、信号制御回路３２１１ａについては、Ｒｅｃｅｉｖｅ  ＤＡＴＡ１として受信する信号は、データ信号ＤＡＴＡ３からリードライト信号Ｒ／Ｗ３に変更する。
【手続補正２９】
【補正対象書類名】明細書
【補正対象項目名】０１６０
【補正方法】変更
【補正の内容】
【０１６０】
レンズ側マイコン３１１０は、信号制御回路３１１１ａおよび３１１１ｂの各々に対して、入力パラメータＰｕｌｌ−ｕｐ  Ｅｎａｂｌｅ２をＨレベルに設定する。そのため、信号制御回路３１１１ａおよび３１１１ｂの各々に内蔵される電界効果トランジスタＱ４がオフ状態となる。
【手続補正３０】
【補正対象書類名】明細書
【補正対象項目名】０１６９
【補正方法】変更
【補正の内容】
【０１６９】
レンズ側マイコン３１１０は、信号制御回路３１１１ｃに対して、入力パラメータＯｕｔｐｕｔ  Ｄｉｓａｂｌｅ２をＨレベルに設定する。そのため、信号制御回路３１１１ｃでは、ＮＯＲ素子Ｘ８から電界効果トランジスタＱ６のゲートへＬレベルの出力信号が出力されて、電界効果トランジスタＱ６がオフ状態となる。
また、信号制御回路３１１１ｃでは、ＮＯＴ素子Ｘ４の出力がＬレベルとなって、ＮＡＮＤ素子Ｘ６から電界効果トランジスタＱ３のゲートへＨレベルの出力信号が出力されて、電界効果トランジスタＱ３がオフ状態となる。
すなわち、レンズ側マイコン３１１０は、信号制御回路３１１１ｃに対して、電界効果トランジスタＱ６とＱ３とが共にオフ状態となるように設定する。その結果、信号制御回路３１１１ｃからＣＭＯＳタイプの信号出力が行われない。
【手続補正３１】
【補正対象書類名】明細書
【補正対象項目名】０１８４
【補正方法】変更
【補正の内容】
【０１８４】
信号制御回路３１１１ｄでは、入力パラメータＳｅｎｄ  ＤＡＴＡ２として出力されている出力信号がＨレベルのとき、電界効果トランジスタＱ３がオン状態となり、電界効果トランジスタＱ６がオフ状態となる。その結果、電界効果トランジスタＱ３のドレインに接続されている電源電圧ＶｄｄにＩＮ／ＯＵＴ２が接続されて、接続端子ＩＮ／ＯＵＴ２がプルアップされる。すなわち、信号制御回路３１１１ｄの接続端子ＩＮ／ＯＵＴ２の信号レベルが入力パラメータＳｅｎｄ  ＤＡＴＡ２として入力された信号と同レベルとなる。また、信号制御回路３１１１ｄのバッファ回路Ｘ１３の出力もＨレベルとなって、レンズ側マイコン３１１０は信号制御回路３１１１ｄからＲｅｃｅｉｖｉｎｇ  ＤＡＴＡ２としてＨレベルの信号を受信する。
【手続補正３２】
【補正対象書類名】明細書
【補正対象項目名】０１９３
【補正方法】変更
【補正の内容】
【０１９３】
換言すると、信号制御回路３２１１ａ〜ｃでは、ボディ側マイコン３２１０の制御により、電界効果トランジスタＱ１と電界効果トランジスタＱ５とがＣＭＯＳタイプの論理反転回路を形成する。ボディ側マイコン３２１０は、この論理反転回路に入力パラメータＳｅｎｄ  ＤＡＴＡ１として入力されたリードライト信号Ｒ／Ｗ３、クロックパルス信号ＣＬＫ３、データ信号ＤＡＴＡ３の各反転信号を入力することにより、リードライト信号Ｒ／Ｗ３、クロックパルス信号ＣＬＫ３、データ信号ＤＡＴＡ３をそれぞれ接続端子ＩＮ／ＯＵＴ１から出力する。すなわち、ボディ側マイコン３２１０は、信号制御回路３２１１ａ〜ｃの接続端子ＩＮ／ＯＵＴ１からＣＭＯＳタイプの信号出力が行われるように、信号制御回路３２１１ａ〜ｃを設定する。なお、入力パラメータＳｅｎｄ  ＤＡＴＡ１として入力された信号は、信号制御回路３２１１ａ〜ｃの各々のバッファ回路Ｘ１２を介してボディ側マイコン３２１０へ再入力される。
【手続補正３３】
【補正対象書類名】明細書
【補正対象項目名】０２００
【補正方法】変更
【補正の内容】
【０２００】
ボディ側マイコン３２１０は、信号制御回路３２１１ｄに対して、入力パラメータＯｕｔｐｕｔ  Ｄｉｓａｂｌｅ２をＨレベルに設定する。そのため、信号制御回路３２１１ｄでは、ＮＯＲ素子Ｘ８から電界効果トランジスタＱ６のゲートへＬレベルの出力信号が出力されて、電界効果トランジスタＱ６がオフ状態となる。
また、信号制御回路３２１１ｄでは、ＮＯＴ素子Ｘ４の出力がＬレベルとなって、ＮＡＮＤ素子Ｘ６から電界効果トランジスタＱ３のゲートへＨレベルの出力信号が出力されて、電界効果トランジスタＱ３がオフ状態となる。
すなわち、ボディ側マイコン３２１０は、信号制御回路３２１１ｄに対して、電界効果トランジスタＱ３とＱ６とが共にオフ状態となるように設定する。
【手続補正３４】
【補正対象書類名】明細書
【補正対象項目名】０２２２
【補正方法】変更
【補正の内容】
【０２２２】
換言すると、信号制御回路３１１１ａ、３１１１ｃ、３１１１ｄの各々では、レンズ側マイコン３１１０の制御により、電界効果トランジスタＱ３と電界効果トランジスタＱ６とがＣＭＯＳタイプの論理反転回路を形成する。ボディ側マイコン３２１０は、この論理反転回路に入力パラメータＳｅｎｄ  ＤＡＴＡ１として入力されたリードライト信号Ｒ／Ｗ３、データ信号ＤＡＴＡ３、パルス信号を入力することにより、リードライト信号Ｒ／Ｗ３、データ信号ＤＡＴＡ３、パルス信号の各々にそれぞれ相補的な反転信号を接続端子ＩＮ／ＯＵＴ２から出力する。すなわち、レンズ側マイコン３１１０は、信号制御回路３１１１ａ、３１１１ｃ、３１１１ｄの各々の接続端子ＩＮ／ＯＵＴ２からＣＭＯＳタイプの信号出力が行われるように、信号制御回路３１１１ａ、３１１１ｃ、３１１１ｄを設定する。なお、入力パラメータＳｅｎｄ  ＤＡＴＡ１の反転信号は、信号制御回路３１１１ａ、３１１１ｃ、３１１１ｄの各々のバッファ回路Ｘ１３を介して、Ｒｅｃｅｉｖｅ  ＤＡＴＡ２としてレンズ側マイコン３１１０へ再入力される。
【手続補正３５】
【補正対象書類名】明細書
【補正対象項目名】０２３５
【補正方法】変更
【補正の内容】
【０２３５】
信号制御回路３２１１ａ、３２１１ｃ、３２１１ｄの各々のオペアンプＰ１の非反転入力にはＲｅｃｅｉｖｅ  ＤＡＴＡ１と同じ信号が入力され、オペアンプＰ１の反転入力にはＲｅｃｅｉｖｅ  ＤＡＴＡ１に入力された信号に相補的な反転信号が入力される。信号制御回路３２１１ａのオペアンプＰ１からはリードライト信号Ｒ／Ｗ３とその反転信号との差分が出力され、信号制御回路３２１１ｃのオペアンプＰ１からはデータ信号ＤＡＴＡ３とその反転信号との差分が出力され、信号制御回路３２１１ｄのオペアンプＰ１からは、パルス信号とその反転信号との差分が出力される。ボディ側マイコン３２１０は、それらの差分をＲｅｃｅｉｖｅ  ＤＡＴＡ３として受信する。
【手続補正３６】
【補正対象書類名】明細書
【補正対象項目名】０２３７
【補正方法】変更
【補正の内容】
【０２３７】
（通信動作）
本発明の第３の実施の形態におけるデジタルカメラ３の通信動作に関するフローチャートは、第２の実施の形態におけるデジタルカメラ２の通信動作に関するフローチャートと同様である。デジタルカメラ３の通信動作に関するフローチャートは、図９（ａ）のステップＳ５、Ｓ６、Ｓ７で実行される初期通信動作が第２の実施の形態と相異する。
【手続補正３７】
【補正対象書類名】明細書
【補正対象項目名】０２３８
【補正方法】変更
【補正の内容】
【０２３８】
図２７は、図９（ａ）のステップＳ５、Ｓ６、Ｓ７で実行される初期通信動作に関するフローチャートである。カメラボディ３２００の電源がオンされると、バッテリ２４０の電源がＤＣ／ＤＣコンバータ３２５０に供給される。ＤＣ／ＤＣコンバータ３２５０は、入力電圧Ｖ１と入力電圧Ｖ２とを生成して、入力電圧Ｖ１およびＶ２をカメラボディ３２００のボディ側マイコン３２１０を含む各部へ供給する。
【手続補正３８】
【補正対象書類名】明細書
【補正対象項目名】０２５４
【補正方法】変更
【補正の内容】
【０２５４】
時間Ｔ４１３０から時間Ｔ４１４０の間の期間では、レンズ側マイコン３１１０が図２７のステップＳ１２９０を実行し、ボディ側マイコン３２１０がステップＳ１０９０を実行する。具体的には、レンズ側マイコン３１１０は信号制御回路３１１１ａ〜ｄに対して図２５に示す制御に切り替えて、ボディ側マイコン３２１０は信号制御回路３２１１ａ〜ｄに対して図２６に示す制御に切り替える。その結果、時間Ｔ４１４０以降では、レンズ側マイコン３１１０とボディ側マイコン３２１０との間で通信パターン（３）による通信を行っている。ＬＢ−ＢＢ端子間にはリードライト信号Ｒ／Ｗ３が出力され、ＬＩ−ＢＩ端子間にはそのリードライト信号Ｒ／Ｗ３の反転信号が出力されている。ＬＣ−ＢＣ端子間にはクロックパルス信号ＣＬＫ３が出力され、ＬＪ−ＢＪ端子間にはそのクロックパルス信号ＣＬＫ３の反転信号が出力されている。ＬＤ−ＢＤ端子間にはデータ信号ＤＡＴＡ３として信号“０１１０００００”が出力され、ＬＫ−ＢＫ端子間にはそのデータ信号の反転信号“１００１１１１１”が出力されている。
【手続補正３９】
【補正対象書類名】明細書
【補正対象項目名】０２６３
【補正方法】変更
【補正の内容】
【０２６３】
（変形例５）交換レンズとカメラボディとの間の高速通信開始動作は、図４（ｂ）、図９（ｂ）、図２７の処理だけに限定しない。
〔１〕交換レンズ１００は、カメラボディ２００からレンズ情報の要求コマンドを受信してから（図４（ｂ）および図９（ｂ）のステップＳ１２０、図２７のステップＳ１２２０）、中間アダプタ４００へ補正パラメータの要求コマンドを送信するまで（図４（ｂ）のステップＳ１３０、図９（ｂ）のステップＳ３３０、図２７のステップＳ１２３０）の間に、カメラボディ２００へ補正前のレンズ情報を送信することにしてもよい。このとき、カメラボディ２００は、レンズ情報を２回受信して１回目に受信したレンズ情報と２回目に受信したレンズ情報とに基づいて中間アダプタ４００または３４００の有無を判断することができる。
〔２〕開始信号の送受信は省略できる。第１および第２の実施の形態では、カメラボディ２００は、ステップＳ５０の処理の後、ステップＳ６０の処理を飛ばしてステップＳ７０へ処理を進めることにしてもよい。また、交換レンズ１００は、ステップＳ１７０（図４）またはステップＳ３７０（図９）の処理の後、ステップＳ１８０を飛ばしてステップＳ１９０へ処理を進めてもよい。第３の実施の形態では、カメラボディ３２００は、ステップＳ１０７０の処理の後、ステップＳ１０８０の処理を飛ばしてステップＳ１０９０へ処理を進めることにしてもよい。また、交換レンズ３１００は、ステップＳ１２７０の処理の後、ステップＳ１２８０を飛ばしてステップＳ１２９０へ処理を進めてもよい。
〔３〕遮断コマンドの送受信は省略できる。第１および第２の実施の形態では、交換レンズ１００は、ステップＳ１６０の処理の後、ステップＳ１７０（図４）またはステップＳ３７０（図９）の処理を飛ばしてステップＳ１８０へ処理を進めることにしてもよい。また、中間アダプタ４００は、ステップＳ４３０の処理の後、ステップＳ４４０を飛ばしてステップＳ４５０へ処理を進めてもよい。第３の実施の形態では、交換レンズ３１００は、ステップＳ１２６０の処理の後、ステップＳ１２７０の処理を飛ばしてステップＳ１２８０へ処理を進めることにしてもよい。また、中間アダプタ３４００は、ステップＳ１４２０の処理の後、ステップＳ１４３０を飛ばしてステップＳ１４４０へ処理を進めてもよい。なお、この変形例は、上記〔２〕と組み合わせてもよく、たとえば、第３の実施の形態の場合、交換レンズ３１００はステップＳ１２６０の処理の後ステップＳ１２７０とステップＳ１２８０を飛ばしてステップＳ１２９０へ処理を進めることにしてもよい。
〔４〕図４のフローチャートにおいて、ボディ側マイコン２１０は、ステップＳ１０にてボディ側第２通信接点群２１２の各端子に接続される通信回路を遮断（切断、オープン、開放、Ｈｉ−Ｚ状態にする）することとしたが、第１通信回路３００側に切り替えることにしてもよい。この場合、ボディ側マイコン２１０は、ステップＳ１３０で送信される補正パラメータの要求コマンドやステップＳ１７０で送信される遮断コマンドを、ボディ側第２通信接点群２１２を用いて受信する。ボディ側マイコン２１０は、補正パラメータの要求コマンドや遮断コマンドを受信したとき、ただちに通信切替コマンドを送信することにしてもよい。なお、ボディ側マイコン２１０が補正パラメータの要求コマンドを受信した後ただちに通信切替コマンドを送信した場合、カメラボディ２００は差動伝送方式を用いた通信などを用いてレンズ情報を交換レンズ１００から受信することが好ましい。
【国際調査報告】
2013168742.tif 000031
2013168742.tif 000032
2013168742.tif 000033
2013168742.tif 000034